(57)【要約】【課題】  電力供給再開時のコマンド送受に関わる制御負担を軽減し、一方の特別図柄表示器の表示結果が他方の表示態様にて予測可能となることを防止する。【解決手段】  電力供給が復旧すると、遊技制御用マイクロコンピュータは、停電復旧コマンドと、デモ表示コマンドとを送信する。デモ表示コマンドは、可変表示中であれば変動時間が経過したときに送信する。演出制御用マイクロコンピュータは、停電復旧コマンドに応じて停電復旧中画面を表示し、デモ表示コマンドに応じて初期出目表示を行ったあとデモ画面を表示する。また、第１特別図柄変動処理において、遊技制御用マイクロコンピュータは、第２大当り実行中フラグがセットされていれば、変動時間の計測を中断させるために計測実行フラグをリセットする。その後、第２大当り実行中フラグがリセットされていることを確認したら、変動時間の計測を再開させるために計測実行フラグをセットする。【選択図】  図４７
2006280545.tif 000002
【特許請求の範囲】
【請求項１】
あらかじめ定められている可変表示の実行条件が成立した後、可変表示の開始条件の成立にもとづいて複数種類の識別情報の可変表示を開始し、表示結果を導出表示する第１の可変表示装置および第２の可変表示装置を備え、前記第１の可変表示装置または前記第２の可変表示装置のいずれかに特定表示結果が導出表示されたことにもとづいて遊技者にとって有利な特定遊技状態に移行させる遊技機であって、
遊技の進行を制御し、前記第１の可変表示装置および前記第２の可変表示装置を制御させるためのコマンドを送信する遊技制御手段と、
前記コマンドを受信するコマンド受信手段と、
前記コマンド受信手段が受信したコマンドにもとづいて、前記識別情報を可変表示させるために前記第１の可変表示装置を制御する第１表示制御手段と、
前記コマンド受信手段が受信したコマンドにもとづいて、前記識別情報を可変表示させるために前記第２の可変表示装置を制御する第２表示制御手段とを備え、
前記遊技制御手段は、
遊技機への電力供給が停止した後も所定期間は記憶内容を保持可能なバックアップ記憶手段と、
該バックアップ記憶手段に含まれ、可変表示の実行条件は成立したが未だ可変表示の開始条件が成立していない可変表示の保留データを記憶する保留記憶手段と、
前記第１の可変表示装置および前記第２の可変表示装置の表示結果をその導出表示以前に決定する事前判定手段と、
該事前判定手段による判定結果にもとづいて、前記第１の可変表示装置および前記第２の可変表示装置における前記識別情報の可変表示を開始してから表示結果を導出表示するまでの可変表示時間を決定する可変表示時間決定手段と、
前記第１の可変表示装置における識別情報の可変表示時間を計測する可変表示時間計測手段と、
前記可変表示時間計測手段により計測された可変表示時間が前記可変表示時間決定手段により決定された可変表示時間になったか否かを判定する可変表示時間判定手段と、
前記第１表示制御手段による前記第１の可変表示装置での識別情報の可変表示の実行中に、前記第２表示制御手段によって前記第２の可変表示装置にて特定表示結果が導出表示されたときに、前記可変表示時間計測手段による可変表示時間の計測を中断させる可変表示時間計測中断手段と、
前記可変表示時間計測中断手段によって可変表示時間の計測が中断されているときに、前記第２の可変表示装置にて導出表示された特定表示結果にもとづく特定遊技状態が終了したことを条件に、前記可変表示時間計測手段による可変表示時間の計測を再開させる可変表示時間計測再開手段と、
可変表示の開始条件が成立したときに前記可変表示時間決定手段によって決定された可変表示時間を指定する可変表示時間指定コマンドと前記事前判定手段によって決定された表示結果を指定する表示結果指定コマンドとを前記コマンドとして送信するコマンド送信手段と、を有し、
前記第１表示制御手段は、前記コマンド受信手段が前記第１の可変表示装置用の可変表示時間指定コマンドを受信したことにもとづいて前記第１の可変表示装置にて識別情報の可変表示を開始し、前記可変表示時間指定コマンドが示す可変表示時間が経過したことにもとづいて、表示結果指定コマンドが示す表示結果を前記第１の可変表示装置に導出表示する第１表示制御実行手段を有し、
前記第２表示制御手段は、前記コマンド受信手段が前記第２の可変表示装置用の可変表示時間指定コマンドを受信したことにもとづいて前記第２の可変表示装置にて識別情報の可変表示を開始し、前記可変表示時間指定コマンドが示す可変表示時間が経過したことにもとづいて、表示結果指定コマンドが示す表示結果を前記第２の可変表示装置に導出表示する第２表示制御実行手段を有し、
前記コマンド送信手段は、
前記第１の可変表示装置にて識別情報の可変表示が実行されており前記第２の可変表示装置では識別情報の可変表示が実行されていないときに遊技機への電力供給が停止し、その後に遊技機への電力供給が開始されたときには、所定の復旧条件が成立したことにもとづいて、前記第１の可変表示装置に電力供給が停止されたときの状態に復旧することを表示させるための第１復旧コマンドと、電力供給が停止するときに実行されていた可変表示の表示結果を指定する表示結果指定コマンドと、前記第２の可変表示装置に電力供給が停止されたときの状態に復旧することを表示させるための第２復旧コマンドとを送信し、
電力供給が開始された後、前記可変表示時間判定手段により前記第１の可変表示装置において前記可変表示時間決定手段により決定された可変表示時間が経過した旨の判定がなされ、前記保留記憶手段に保留データが記憶されていないときに、所定期間に亘って可変表示の実行条件が成立しないときに表示されるデモンストレーション表示を前記第１の可変表示装置に表示させるための第１デモンストレーション表示指定コマンドを送信し、
電力供給が開始され前記第２復旧コマンドを送信した後、前記保留記憶手段に保留データが記憶されていないときに、前記デモンストレーション表示を前記第２の可変表示装置に表示させるための第２デモンストレーション表示指定コマンドを送信し、
前記第１表示制御実行手段は、
前記コマンド受信手段が前記第１復旧コマンドを受信したときに、前記第１の可変表示装置に電力供給が停止されたときの状態に復旧する旨の復旧表示を行う第１復旧表示実行手段と、
前記コマンド受信手段が前記第１デモンストレーション表示指定コマンドを受信したときに、前記表示結果指定コマンドが特定表示結果を示すものでなければ、前記第１の可変表示装置にあらかじめ定められた第１初期表示を行う第１初期表示実行手段と、
前記コマンド受信手段が前記第１デモンストレーション表示指定コマンドを受信したときからの経過時間を計測する第１経過時間計測手段と、
前記第１経過時間計測手段により計測された時間が所定時間を経過したか否かを判定する第１経過判定手段と、
前記第１経過判定手段により所定時間が経過したと判定されたときに、第１デモンストレーション表示を行う第１デモンストレーション表示実行手段とを有し、
前記第２表示制御実行手段は、
前記コマンド受信手段が前記第２復旧コマンドを受信したときに、前記第２の可変表示装置に前記復旧表示を行う第２復旧表示実行手段と、
電力供給が開始され前記コマンド受信手段が前記第２デモンストレーション表示指定コマンドを受信したときに、前記第２の可変表示装置にあらかじめ定められた第２初期表示を行う第２初期表示実行手段と、
前記コマンド受信手段が前記第２デモンストレーション表示指定コマンドを受信したときからの経過時間を計測する第２経過時間計測手段と、
前記第２経過時間計測手段により計測された時間が所定時間を経過したか否かを判定する第２経過判定手段と、
前記第２経過判定手段により所定時間が経過したと判定されたときに、第２デモンストレーション表示を行う第２デモンストレーション表示実行手段とを有する
ことを特徴とする遊技機。
【請求項２】
あらかじめ定められている可変表示の実行条件が成立した後、可変表示の開始条件の成立にもとづいて複数種類の識別情報の可変表示を開始し、表示結果を導出表示する第１の可変表示装置および第２の可変表示装置を備え、前記第１の可変表示装置または前記第２の可変表示装置のいずれかに特定表示結果が導出表示されたことにもとづいて遊技者にとって有利な特定遊技状態に移行させる遊技機であって、
遊技の進行を制御し、前記第１の可変表示装置および前記第２の可変表示装置を制御させるためのコマンドを送信する遊技制御手段と、
前記コマンドを受信するコマンド受信手段と、
前記コマンド受信手段が受信したコマンドにもとづいて、前記識別情報を可変表示させるために前記第１の可変表示装置を制御する第１表示制御手段と、
前記コマンド受信手段が受信したコマンドにもとづいて、前記識別情報を可変表示させるために前記第２の可変表示装置を制御する第２表示制御手段とを備え、
前記遊技制御手段は、
遊技機への電力供給が停止した後も所定期間は記憶内容を保持可能なバックアップ記憶手段と、
該バックアップ記憶手段に含まれ、可変表示の実行条件は成立したが未だ可変表示の開始条件が成立していない可変表示の保留データを記憶する保留記憶手段と、
前記第１の可変表示装置および前記第２の可変表示装置の表示結果をその導出表示以前に決定する事前判定手段と、
該事前判定手段による判定結果にもとづいて、前記第１の可変表示装置および前記第２の可変表示装置における前記識別情報の可変表示を開始してから表示結果を導出表示するまでの可変表示時間を決定する可変表示時間決定手段と、
前記第１の可変表示装置における識別情報の可変表示時間を計測する可変表示時間計測手段と、
前記可変表示時間計測手段により計測された可変表示時間が前記可変表示時間決定手段により決定された可変表示時間になったか否かを判定する可変表示時間判定手段と、
前記第１表示制御手段による前記第１の可変表示装置での識別情報の可変表示の実行中に、前記第２表示制御手段によって前記第２の可変表示装置にて特定表示結果が導出表示されたときに、前記可変表示時間計測手段による可変表示時間の計測を中断させる可変表示時間計測中断手段と、
前記可変表示時間計測中断手段によって可変表示時間の計測が中断されているときに、前記第２の可変表示装置にて導出表示された特定表示結果にもとづく特定遊技状態が終了したことを条件に、前記可変表示時間計測手段による可変表示時間の計測を再開させる可変表示時間計測再開手段と、
可変表示の開始条件が成立したときに前記可変表示時間決定手段によって決定された可変表示時間を指定する可変表示時間指定コマンドと前記事前判定手段によって決定された表示結果を指定する表示結果指定コマンドとを前記コマンドとして送信するコマンド送信手段と、を有し、
前記第１表示制御手段は、前記コマンド受信手段が前記第１の可変表示装置用の可変表示時間指定コマンドを受信したことにもとづいて前記第１の可変表示装置にて識別情報の可変表示を開始し、前記可変表示時間指定コマンドが示す可変表示時間が経過したことにもとづいて、表示結果指定コマンドが示す表示結果を前記第１の可変表示装置に導出表示する第１表示制御実行手段を有し、
前記第２表示制御手段は、前記コマンド受信手段が前記第２の可変表示装置用の可変表示時間指定コマンドを受信したことにもとづいて前記第２の可変表示装置にて識別情報の可変表示を開始し、前記可変表示時間指定コマンドが示す可変表示時間が経過したことにもとづいて、表示結果指定コマンドが示す表示結果を前記第２の可変表示装置に導出表示する第２表示制御実行手段を有し、
前記コマンド送信手段は、
前記第１の可変表示装置にて識別情報の可変表示が実行されており前記第２の可変表示装置では識別情報の可変表示が実行されていないときに遊技機への電力供給が停止し、その後に遊技機への電力供給が開始されたときには、所定の復旧条件が成立したことにもとづいて、前記第１の可変表示装置および前記第２の可変表示装置に電力供給が停止されたときの状態に復旧することを表示させるための復旧コマンドと、電力供給が停止するときに実行されていた可変表示の表示結果を指定する表示結果指定コマンドとを送信し、
電力供給が開始された後、前記可変表示時間判定手段により前記第１の可変表示装置において前記可変表示時間決定手段により決定された可変表示時間が経過した旨の判定がなされ、前記保留記憶手段に保留データが記憶されていないときに、所定期間に亘って可変表示の実行条件が成立しないときに表示されるデモンストレーション表示を前記第１の可変表示装置に表示させるための第１デモンストレーション表示指定コマンドを送信し、
電力供給が開始され前記復旧コマンドを送信した後、前記保留記憶手段に保留データが記憶されていないときに、前記デモンストレーション表示を前記第２の可変表示装置に表示させるための第２デモンストレーション表示指定コマンドを送信し、
前記第１表示制御実行手段は、
前記コマンド受信手段が前記復旧コマンドを受信したときに、前記第１の可変表示装置に電力供給が停止されたときの状態に復旧する旨の復旧表示を行う第１復旧表示実行手段と、
前記コマンド受信手段が前記第１デモンストレーション表示指定コマンドを受信したときに、前記表示結果指定コマンドが特定表示結果を示すものでなければ、前記第１の可変表示装置にあらかじめ定められた第１初期表示を行う第１初期表示実行手段と、
前記コマンド受信手段が前記第１デモンストレーション表示指定コマンドを受信したときからの経過時間を計測する第１経過時間計測手段と、
前記第１経過時間計測手段により計測された時間が所定時間を経過したか否かを判定する第１経過判定手段と、
前記第１経過判定手段により所定時間が経過したと判定されたときに、第１デモンストレーション表示を行う第１デモンストレーション表示実行手段とを有し、
前記第２表示制御実行手段は、
前記コマンド受信手段が前記復旧コマンドを受信したときに、前記第２の可変表示装置に前記復旧表示を行う第２復旧表示実行手段と、
電力供給が開始され前記コマンド受信手段が前記第２デモンストレーション表示指定コマンドを受信したときに、前記第２の可変表示装置にあらかじめ定められた第２初期表示を行う第２初期表示実行手段と、
前記コマンド受信手段が前記第２デモンストレーション表示指定コマンドを受信したときからの経過時間を計測する第２経過時間計測手段と、
前記第２経過時間計測手段により計測された時間が所定時間を経過したか否かを判定する第２経過判定手段と、
前記第２経過判定手段により所定時間が経過したと判定されたときに、第２デモンストレーション表示を行う第２デモンストレーション表示実行手段とを有する
ことを特徴とする遊技機。
【請求項３】
あらかじめ定められている可変表示の実行条件が成立した後、可変表示の開始条件の成立にもとづいて複数種類の識別情報の可変表示を開始し、表示結果を導出表示する第１の可変表示装置および第２の可変表示装置を備え、前記第１の可変表示装置または前記第２の可変表示装置のいずれかに特定表示結果が導出表示されたことにもとづいて遊技者にとって有利な特定遊技状態に移行させる遊技機であって、
遊技の進行を制御し、前記第１の可変表示装置および前記第２の可変表示装置を制御させるためのコマンドを送信する遊技制御手段と、
前記コマンドを受信するコマンド受信手段と、
前記コマンド受信手段が受信したコマンドにもとづいて、前記識別情報を可変表示させるために前記第１の可変表示装置を制御する第１表示制御手段と、
前記コマンド受信手段が受信したコマンドにもとづいて、前記識別情報を可変表示させるために前記第２の可変表示装置を制御する第２表示制御手段とを備え、
前記遊技制御手段は、
遊技機への電力供給が停止した後も所定期間は記憶内容を保持可能なバックアップ記憶手段と、
該バックアップ記憶手段に含まれ、可変表示の実行条件は成立したが未だ可変表示の開始条件が成立していない可変表示の保留データを記憶する保留記憶手段と、
前記第１の可変表示装置および前記第２の可変表示装置の表示結果をその導出表示以前に決定する事前判定手段と、
該事前判定手段による判定結果にもとづいて、前記第１の可変表示装置および前記第２の可変表示装置における前記識別情報の可変表示を開始してから表示結果を導出表示するまでの可変表示時間を決定する可変表示時間決定手段と、
前記第１の可変表示装置における識別情報の可変表示時間を計測する可変表示時間計測手段と、
前記可変表示時間計測手段により計測された可変表示時間が前記可変表示時間決定手段により決定された可変表示時間になったか否かを判定する可変表示時間判定手段と、
前記第１表示制御手段による前記第１の可変表示装置での識別情報の可変表示の実行中に、前記第２表示制御手段によって前記第２の可変表示装置にて特定表示結果が導出表示されたときに、前記可変表示時間計測手段による可変表示時間の計測を中断させる可変表示時間計測中断手段と、
前記可変表示時間計測中断手段によって可変表示時間の計測が中断されているときに、前記第２の可変表示装置にて導出表示された特定表示結果にもとづく特定遊技状態が終了したことを条件に、前記可変表示時間計測手段による可変表示時間の計測を再開させる可変表示時間計測再開手段と、
可変表示の開始条件が成立したときに前記可変表示時間決定手段によって決定された可変表示時間を指定する可変表示時間指定コマンドと前記事前判定手段によって決定された表示結果を指定する表示結果指定コマンドとを前記コマンドとして送信するコマンド送信手段と、を有し、
前記第１表示制御手段は、前記コマンド受信手段が前記第１の可変表示装置用の可変表示時間指定コマンドを受信したことにもとづいて前記第１の可変表示装置にて識別情報の可変表示を開始し、前記可変表示時間指定コマンドが示す可変表示時間が経過したことにもとづいて、表示結果指定コマンドが示す表示結果を前記第１の可変表示装置に導出表示する第１表示制御実行手段を有し、
前記第２表示制御手段は、前記コマンド受信手段が前記第２の可変表示装置用の可変表示時間指定コマンドを受信したことにもとづいて前記第２の可変表示装置にて識別情報の可変表示を開始し、前記可変表示時間指定コマンドが示す可変表示時間が経過したことにもとづいて、表示結果指定コマンドが示す表示結果を前記第２の可変表示装置に導出表示する第２表示制御実行手段を有し、
前記コマンド送信手段は、
前記第１の可変表示装置にて識別情報の可変表示が実行されており前記第２の可変表示装置では識別情報の可変表示が実行されていないときに遊技機への電力供給が停止し、その後に遊技機への電力供給が開始されたときには、所定の復旧条件が成立したことにもとづいて、前記第１の可変表示装置に電力供給が停止されたときの状態に復旧することを表示させるための変動中復旧コマンドと、電力供給が停止するときに実行されていた可変表示の表示結果を指定する表示結果指定コマンドと、所定期間に亘って可変表示の実行条件が成立しないときに表示されるデモンストレーション表示を前記第２の可変表示装置に表示させるための第２デモンストレーション表示指定コマンドを送信し、
電力供給が開始された後、前記可変表示時間判定手段により前記第１の可変表示装置において前記可変表示時間決定手段により決定された可変表示時間が経過した旨の判定がなされ、前記保留記憶手段に保留データが記憶されていないときに、前記デモンストレーション表示を前記第１の可変表示装置に表示させるための第１デモンストレーション表示指定コマンドを送信し、
前記第１表示制御実行手段は、
前記変動中復旧コマンドを受信したときに、前記第１の可変表示装置に電力供給が停止されたときの状態に復旧する旨の復旧表示を行う第１復旧表示実行手段と、
前記コマンド受信手段が前記第１デモンストレーション表示指定コマンドを受信したときに、前記表示結果指定コマンドが特定表示結果を示すものでなければ、前記第１の可変表示装置にあらかじめ定められた第１初期表示を行う第１初期表示実行手段と、
前記コマンド受信手段が前記第１デモンストレーション表示指定コマンドを受信したときからの経過時間を計測する第１経過時間計測手段と、
前記第１経過時間計測手段により計測された時間が所定時間を経過したか否かを判定する第１経過判定手段と、
前記第１経過判定手段により所定時間が経過したと判定されたときに、第１デモンストレーション表示を行う第１デモンストレーション表示実行手段とを有し、
前記第２表示制御実行手段は、
電力供給が開始され前記コマンド受信手段が前記第２デモンストレーション表示指定コマンドを受信したときに、前記第２の可変表示装置にあらかじめ定められた第２初期表示を行う第２初期表示実行手段と、
前記コマンド受信手段が前記第２デモンストレーション表示指定コマンドを受信したときからの経過時間を計測する第２経過時間計測手段と、
前記第２経過時間計測手段により計測された時間が所定時間を経過したか否かを判定する第２経過判定手段と、
前記第２経過判定手段により所定時間が経過したと判定されたときに、第２デモンストレーション表示を行う第２デモンストレーション表示実行手段とを有する
ことを特徴とする遊技機。
【請求項４】
第１表示制御実行手段は、可変表示時間計測中断手段によって可変表示時間計測手段による可変表示時間の計測が中断されているときに、第１の可変表示装置にて識別情報の可変表示を継続して実行する
請求項１から請求項３のうちいずれかに記載の遊技機。
【請求項５】
第１表示制御実行手段は、可変表示時間計測中断手段によって可変表示時間計測手段による可変表示時間の計測が中断されているときに、第１の可変表示装置にて特定表示結果以外の表示態様で識別情報を停止表示する
請求項１から請求項４のうちいずれかに記載の遊技機。
【請求項６】
コマンド送信手段は、遊技機への電力供給が開始されたときに、保留記憶手段に第１の可変表示装置に対する可変表示の保留データが記憶されていれば、保留データの数を示す保留記憶数指定コマンドを送信し、
第１表示制御実行手段は、コマンド受信手段が前記保留記憶数指定コマンドを受信したことに応じて第１の可変表示装置に前記保留記憶数指定コマンドが示す保留データの数を示す表示をする
請求項１から請求項５のうちいずれかに記載の遊技機。
【発明の詳細な説明】
【技術分野】
【０００１】
本発明は、あらかじめ定められている可変表示の実行条件が成立した後、可変表示の開始条件の成立にもとづいて複数種類の識別情報の可変表示を開始し、表示結果を導出表示する第１の可変表示装置および第２の可変表示装置を備え、第１の可変表示装置または第２の可変表示装置のいずれかに特定表示結果が導出表示されたことにもとづいて遊技者にとって有利な特定遊技状態に移行させるパチンコ遊技機等の遊技機に関する。
【背景技術】
【０００２】
遊技機として、遊技球などの遊技媒体を発射装置によって遊技領域に発射し、遊技領域に設けられている入賞口などの入賞領域に遊技媒体が入賞すると、所定個の賞球が遊技者に払い出されるものがある。さらに、表示状態が変化可能な可変表示部が設けられ、可変表示部の表示結果があらかじめ定められた特定表示態様となった場合に所定の遊技価値を遊技者に与えるように構成されたものがある。
【０００３】
なお、遊技価値とは、遊技機の遊技領域に設けられた可変入賞球装置の状態が打球が入賞しやすい遊技者にとって有利な状態になることや、遊技者にとって有利な状態となるための権利を発生させたりすることや、賞球払出の条件が成立しやすくなる状態になることである。
【０００４】
パチンコ遊技機では、特別図柄（識別情報）を表示する可変表示部の表示結果があらかじめ定められた特定の表示態様となることを、通常、「大当り」という。大当りが発生すると、例えば、大入賞口が所定回数開放して打球が入賞しやすい大当り遊技状態に移行する。そして、各開放期間において、所定個（例えば１０個）の大入賞口への入賞があると大入賞口は閉成する。そして、大入賞口の開放回数は、所定回数（例えば１５ラウンド）に固定されている。なお、各開放について開放時間（例えば２９．５秒）が決められ、入賞数が所定個に達しなくても開放時間が経過すると大入賞口は閉成する。また、大入賞口が閉成した時点で所定の条件（例えば、大入賞口内に設けられているＶゾーンへの入賞）が成立していない場合には、大当り遊技状態は終了する。
【０００５】
また、可変表示部において、最終停止図柄（例えば左右中図柄のうち中図柄）となる図柄以外の図柄が、所定時間継続して、特定の表示結果と一致している状態で停止、揺動、拡大縮小もしくは変形している状態、または、複数の図柄が同一図柄で同期して変動したり、表示図柄の位置が入れ替わっていたりして、最終結果が表示される前で大当り発生の可能性が継続している状態（以下、これらの状態をリーチ状態という。）において行われる演出をリーチ演出という。また、リーチ状態やその様子をリーチ態様という。さらに、リーチ演出を含む可変表示をリーチ可変表示という。そして、可変表示部に変動表示される図柄の表示結果が特定の表示結果でない場合には「はずれ」となり、変動表示状態は終了する。遊技者は、大当りをいかにして発生させるかを楽しみつつ遊技を行う。
【０００６】
このような遊技機において、特別図柄の可変表示中に停電が発生し、その後に電力供給が復旧したときに、遊技の進行を制御する遊技制御手段が、停電復旧の表示を指定するための表示制御コマンドと、可変表示中の左中右それぞれの特別図柄の停止図柄を指定するための表示制御コマンドと、特別図柄の停止を指示する図柄停止コマンドとを、可変表示部での図柄表示制御を行う表示制御手段に送信するものがある（例えば特許文献１）。
【０００７】
また、このような遊技機において、特別図柄の可変表示を行う特別図柄表示器が２つ設けられ、いずれかの特別図柄表示器にて特定表示結果が導出表示されたときに、大当り遊技状態に移行するものがある（例えば特許文献２−３）。
【０００８】
特許文献２−３に記載された遊技機では、複数の特別図柄表示器で同時に特定表示結果が導出表示されることを防止するために、一方の特別図柄表示器で特定表示結果が導出表示されるときに、他方の特別図柄表示器における特別図柄の可変表示の開始が遅延される。
【０００９】
【特許文献１】特開２００２−３５３６０号公報
【特許文献２】特開２００１−６２０８０号公報
【特許文献３】特開２００１−６２０８１号公報
【発明の開示】
【発明が解決しようとする課題】
【００１０】
特許文献１に記載された遊技機と特許文献２−３に記載された遊技機とを組み合わせると、停電が発生したあと電力供給が復旧したときには、遊技制御手段が多くの種類の表示制御コマンドを送信しなければならなくなるため、電力供給の再開時に取り扱うコマンドデータのデータ容量が増加し、コマンドの送受に関わる制御負担が増加してしまうという課題があった。
【００１１】
また、特許文献２−３に記載された遊技機では、上述したように、一方の特別図柄表示器で特定表示結果が導出表示されるときに、他方の特別図柄表示器における特別図柄の可変表示の開始が遅延されるため、その開始の遅延によって、一方の特別図柄表示器にて特定表示結果が導出表示されることが遊技者に分かってしまうおそれがあり、遊技の興趣が低下してしまう可能性があるという課題があった。
【００１２】
そこで、本発明は、複数の特別図柄表示器を備えた遊技機において、電力供給再開時のコマンド送受に関わる制御負担を軽減し、一方の特別図柄表示器にて特定表示結果が導出表示されることが、他方の特別図柄表示器の表示態様によって予測可能となってしまうことを防止し、遊技の興趣を向上させることができる遊技機を提供することを目的とする。
【課題を解決するための手段】
【００１３】
本発明による遊技機は、あらかじめ定められている可変表示の実行条件が成立（例えば始動入賞口１３ａ，１３ｂへの遊技球の入賞）した後、可変表示の開始条件の成立（例えば、前回の可変表示の終了）にもとづいて複数種類の識別情報（例えば、飾り図柄、特別図柄）の可変表示を開始し、表示結果を導出表示する第１の可変表示装置（例えば可変表示装置９ａ、特別図柄表示器８ａ）および第２の可変表示装置（例えば可変表示装置９ｂ、特別図柄表示器８ｂ）を備え、第１の可変表示装置または第２の可変表示装置のいずれかに特定表示結果（例えば大当り図柄）が導出表示されたことにもとづいて遊技者にとって有利な特定遊技状態（例えば大当り遊技状態）に移行させる遊技機であって、遊技の進行を制御し、第１の可変表示装置および第２の可変表示装置を制御させるためのコマンド（例えば演出制御コマンド）を送信する遊技制御手段（例えば遊技制御用マイクロコンピュータ６０等）と、コマンドを受信するコマンド受信手段（例えば演出制御用マイクロコンピュータ１０１における割込処理により受信した演出制御コマンドデータをコマンド受信個数カウンタが示す受信コマンドバッファに格納する処理を実行する部分）と、コマンド受信手段が受信したコマンドにもとづいて、識別情報を可変表示させるために第１の可変表示装置を制御する第１表示制御手段（例えば演出制御用マイクロコンピュータ１０１におけるステップＳ７０５を実行する部分）と、コマンド受信手段が受信したコマンドにもとづいて、識別情報を可変表示させるために第２の可変表示装置を制御する第２表示制御手段（例えば演出制御用マイクロコンピュータ１０１におけるステップＳ７０６を実行する部分）とを備え、遊技制御手段は、遊技機への電力供給が停止した後も所定期間は記憶内容を保持可能なバックアップ記憶手段（例えば電源バックアップされているＲＡＭ５５）と、バックアップ記憶手段に含まれ、可変表示の実行条件は成立したが未だ可変表示の開始条件が成立していない可変表示の保留データを記憶する保留記憶手段（例えばＲＡＭ５５における動入賞カウンタを格納している領域）と、第１の可変表示装置および第２の可変表示装置の表示結果をその導出表示以前に決定する事前判定手段（例えば遊技制御用マイクロコンピュータ６０におけるステップＳ６７〜Ｓ６９，Ｓ７６，Ｓ７７を実行する部分）と、事前判定手段による判定結果にもとづいて、第１の可変表示装置および第２の可変表示装置における識別情報の可変表示を開始してから表示結果を導出表示するまでの可変表示時間を決定する可変表示時間決定手段（例えば遊技制御用マイクロコンピュータ６０におけるステップＳ９０を実行する部分）と、第１の可変表示装置における識別情報の可変表示時間を計測する可変表示時間計測手段（例えば遊技制御用マイクロコンピュータ６０におけるステップＳ３５ｃを実行する部分）と、可変表示時間計測手段により計測された可変表示時間が可変表示時間決定手段により決定された可変表示時間になったか否かを判定する可変表示時間判定手段（例えば遊技制御用マイクロコンピュータ６０におけるステップＳ１２６を実行する部分）と、第１表示制御手段による第１の可変表示装置での識別情報の可変表示の実行中に、第２表示制御手段によって第２の可変表示装置にて特定表示結果が導出表示されたときに、可変表示時間計測手段による可変表示時間の計測を中断させる可変表示時間計測中断手段（例えば遊技制御用マイクロコンピュータ６０におけるステップＳ１２４，Ｓ１２５，Ｓ３５ｎを実行する部分）と、可変表示時間計測中断手段によって可変表示時間の計測が中断されているときに、第２の可変表示装置にて導出表示された特定表示結果にもとづく特定遊技状態が終了したことを条件に、可変表示時間計測手段による可変表示時間の計測を再開させる可変表示時間計測再開手段（例えば遊技制御用マイクロコンピュータ６０におけるステップＳ１２２，Ｓ１２３，Ｓ３５ｎを実行する部分）と、可変表示の開始条件が成立したときに可変表示時間決定手段によって決定された可変表示時間を指定する可変表示時間指定コマンド（例えば変動パターンコマンド）と事前判定手段によって決定された表示結果を指定する表示結果指定コマンド（例えば表示結果指定コマンド）とをコマンドとして送信するコマンド送信手段（例えば遊技制御用マイクロコンピュータ６０におけるステップＳ９１ａ，Ｓ９１ｂ，Ｓ９２ａ，Ｓ９２ｂを実行する部分）と、を有し、第１表示制御手段は、コマンド受信手段が第１の可変表示装置用の可変表示時間指定コマンドを受信したことにもとづいて第１の可変表示装置にて識別情報の可変表示を開始し、可変表示時間指定コマンドが示す可変表示時間が経過したことにもとづいて、表示結果指定コマンドが示す表示結果を第１の可変表示装置に導出表示する第１表示制御実行手段（例えば演出制御用マイクロコンピュータ１０１におけるステップＳ８４６，Ｓ８４７，Ｓ８５２，Ｓ８５３を実行する部分）を有し、第２表示制御手段は、コマンド受信手段が第２の可変表示装置用の可変表示時間指定コマンドを受信したことにもとづいて第２の可変表示装置にて識別情報の可変表示を開始し、可変表示時間指定コマンドが示す可変表示時間が経過したことにもとづいて、表示結果指定コマンドが示す表示結果を第２の可変表示装置に導出表示する第２表示制御実行手段（例えば演出制御用マイクロコンピュータ１０１におけるステップＳ８４６，Ｓ８４７，Ｓ８５２，Ｓ８５３に対応する第２特別図柄に関する処理を実行する部分）を有し、コマンド送信手段は、第１の可変表示装置にて識別情報の可変表示が実行されており第２の可変表示装置では識別情報の可変表示が実行されていないときに遊技機への電力供給が停止し、その後に遊技機への電力供給が開始されたときには、所定の復旧条件が成立したことにもとづいて、第１の可変表示装置に電力供給が停止されたときの状態に復旧することを表示させるための第１復旧コマンド（例えば第１停電復旧コマンド）と、電力供給が停止するときに実行されていた可変表示の表示結果を指定する表示結果指定コマンド（例えば第１表示結果指定コマンド）と、第２の可変表示装置に電力供給が停止されたときの状態に復旧することを表示させるための第２復旧コマンド（例えば第２停電復旧コマンド）とを送信し（例えばステップＳ２０２，Ｓ２０４）、電力供給が開始された後、可変表示時間判定手段により第１の可変表示装置において可変表示時間決定手段により決定された可変表示時間が経過した旨の判定がなされ、保留記憶手段に保留データが記憶されていないときに、所定期間に亘って可変表示の実行条件が成立しないときに表示されるデモンストレーション表示を第１の可変表示装置に表示させるための第１デモンストレーション表示指定コマンド（例えば第１デモンストレーション表示コマンド）を送信し（例えばステップＳ１３６，Ｓ１３７、あるいはステップＳ７２〜Ｓ７４）、電力供給が開始され第２復旧コマンドを送信した後、保留記憶手段に保留データが記憶されていないときに、デモンストレーション表示を前記第２の可変表示装置に表示させるための第２デモンストレーション表示指定コマンドを送信し（例えばステップＳ７２〜Ｓ７４に対応する第２特別図柄に関する処理）、第１表示制御実行手段は、コマンド受信手段が第１復旧コマンドを受信したときに、第１の可変表示装置に電力供給が停止されたときの状態に復旧する旨の復旧表示を行う第１復旧表示実行手段（例えば演出制御用マイクロコンピュータ１０１におけるステップＳ６２３を実行する部分）と、コマンド受信手段が第１デモンストレーション表示指定コマンドを受信したときに、表示結果指定コマンドが特定表示結果を示すものでなければ、第１の可変表示装置にあらかじめ定められた第１初期表示を行う第１初期表示実行手段（例えば演出制御用マイクロコンピュータ１０１におけるステップＳ６２９を実行する部分）と、コマンド受信手段が第１デモンストレーション表示指定コマンドを受信したときからの経過時間を計測する第１経過時間計測手段（例えば演出制御用マイクロコンピュータ１０１におけるステップＳ６３０にてスタートされた第１初期出目表示計測タイマを進行させる処理を実行する部分）と、第１経過時間計測手段により計測された時間が所定時間を経過したか否かを判定する第１経過判定手段（例えば演出制御用マイクロコンピュータ１０１におけるステップＳ８１６を実行する部分）と、第１経過判定手段により所定時間が経過したと判定されたときに、第１デモンストレーション表示を行う第１デモンストレーション表示実行手段（例えば演出制御用マイクロコンピュータ１０１におけるステップＳ８１７を実行する部分）とを有し、第２表示制御実行手段は、コマンド受信手段が第２復旧コマンドを受信したときに、第２の可変表示装置に復旧表示を行う第２復旧表示実行手段（例えば演出制御用マイクロコンピュータ１０１におけるステップＳ６２５を実行する部分）と、電力供給が開始されコマンド受信手段が第２デモンストレーション表示指定コマンドを受信したときに、第２の可変表示装置にあらかじめ定められた第２初期表示を行う第２初期表示実行手段（例えば演出制御用マイクロコンピュータ１０１におけるステップＳ６３６を実行する部分）と、コマンド受信手段が第２デモンストレーション表示指定コマンドを受信したときからの経過時間を計測する第２経過時間計測手段（例えば演出制御用マイクロコンピュータ１０１におけるステップＳ６３７にてスタートされた第２初期出目表示計測タイマを進行させる処理を実行する部分）と、第２経過時間計測手段により計測された時間が所定時間を経過したか否かを判定する第２経過判定手段（例えば演出制御用マイクロコンピュータ１０１におけるステップＳ８１６に対応する第２特別図柄に関する処理を実行する部分）と、第２経過判定手段により所定時間が経過したと判定されたときに、第２デモンストレーション表示を行う第２デモンストレーション表示実行手段（例えば演出制御用マイクロコンピュータ１０１におけるステップＳ８１７に対応する第２特別図柄に関する処理を実行する部分）とを有することを特徴とする。
【００１４】
また、本発明による遊技機は、あらかじめ定められている可変表示の実行条件が成立（例えば始動入賞口１３ａ，１３ｂへの遊技球の入賞）した後、可変表示の開始条件の成立（例えば、前回の可変表示の終了）にもとづいて複数種類の識別情報（例えば、飾り図柄、特別図柄）の可変表示を開始し、表示結果を導出表示する第１の可変表示装置（例えば可変表示装置９ａ、特別図柄表示器８ａ）および第２の可変表示装置（例えば可変表示装置９ｂ、特別図柄表示器８ｂ）を備え、第１の可変表示装置または第２の可変表示装置のいずれかに特定表示結果（例えば大当り図柄）が導出表示されたことにもとづいて遊技者にとって有利な特定遊技状態（例えば大当り遊技状態）に移行させる遊技機であって、遊技の進行を制御し、第１の可変表示装置および第２の可変表示装置を制御させるためのコマンド（例えば演出制御コマンド）を送信する遊技制御手段（例えば遊技制御用マイクロコンピュータ６０等）と、コマンドを受信するコマンド受信手段（例えば演出制御用マイクロコンピュータ１０１における割込処理により受信した演出制御コマンドデータをコマンド受信個数カウンタが示す受信コマンドバッファに格納する処理を実行する部分）と、コマンド受信手段が受信したコマンドにもとづいて、識別情報を可変表示させるために第１の可変表示装置を制御する第１表示制御手段（例えば演出制御用マイクロコンピュータ１０１におけるステップＳ７０５を実行する部分）と、コマンド受信手段が受信したコマンドにもとづいて、識別情報を可変表示させるために第２の可変表示装置を制御する第２表示制御手段（例えば演出制御用マイクロコンピュータ１０１におけるステップＳ７０６を実行する部分）とを備え、遊技制御手段は、遊技機への電力供給が停止した後も所定期間は記憶内容を保持可能なバックアップ記憶手段（例えば電源バックアップされているＲＡＭ５５）と、バックアップ記憶手段に含まれ、可変表示の実行条件は成立したが未だ可変表示の開始条件が成立していない可変表示の保留データを記憶する保留記憶手段（例えばＲＡＭ５５における動入賞カウンタを格納している領域）と、第１の可変表示装置および第２の可変表示装置の表示結果をその導出表示以前に決定する事前判定手段（例えば遊技制御用マイクロコンピュータ６０におけるステップＳ６７〜Ｓ６９，Ｓ７６，Ｓ７７を実行する部分）と、事前判定手段による判定結果にもとづいて、第１の可変表示装置および第２の可変表示装置における識別情報の可変表示を開始してから表示結果を導出表示するまでの可変表示時間を決定する可変表示時間決定手段（例えば遊技制御用マイクロコンピュータ６０におけるステップＳ９０を実行する部分）と、第１の可変表示装置における識別情報の可変表示時間を計測する可変表示時間計測手段（例えば遊技制御用マイクロコンピュータ６０におけるステップＳ３５ｃを実行する部分）と、可変表示時間計測手段により計測された可変表示時間が可変表示時間決定手段により決定された可変表示時間になったか否かを判定する可変表示時間判定手段（例えば遊技制御用マイクロコンピュータ６０におけるステップＳ１２６を実行する部分）と、第１表示制御手段による第１の可変表示装置での識別情報の可変表示の実行中に、第２表示制御手段によって第２の可変表示装置にて特定表示結果が導出表示されたときに、可変表示時間計測手段による可変表示時間の計測を中断させる可変表示時間計測中断手段（例えば遊技制御用マイクロコンピュータ６０におけるステップＳ１２４，Ｓ１２５，Ｓ３５ｎを実行する部分）と、可変表示時間計測中断手段によって可変表示時間の計測が中断されているときに、第２の可変表示装置にて導出表示された特定表示結果にもとづく特定遊技状態が終了したことを条件に、可変表示時間計測手段による可変表示時間の計測を再開させる可変表示時間計測再開手段（例えば遊技制御用マイクロコンピュータ６０におけるステップＳ１２２，Ｓ１２３，Ｓ３５ｎを実行する部分）と、可変表示の開始条件が成立したときに可変表示時間決定手段によって決定された可変表示時間を指定する可変表示時間指定コマンド（例えば変動パターンコマンド）と事前判定手段によって決定された表示結果を指定する表示結果指定コマンド（例えば表示結果指定コマンド）とをコマンドとして送信するコマンド送信手段（例えば遊技制御用マイクロコンピュータ６０におけるステップＳ９１ａ，Ｓ９１ｂ，Ｓ９２ａ，Ｓ９２ｂを実行する部分）と、を有し、第１表示制御手段は、コマンド受信手段が第１の可変表示装置用の可変表示時間指定コマンドを受信したことにもとづいて第１の可変表示装置にて識別情報の可変表示を開始し、可変表示時間指定コマンドが示す可変表示時間が経過したことにもとづいて、表示結果指定コマンドが示す表示結果を第１の可変表示装置に導出表示する第１表示制御実行手段（例えば演出制御用マイクロコンピュータ１０１におけるステップＳ８４６，Ｓ８４７，Ｓ８５２，Ｓ８５３を実行する部分）を有し、第２表示制御手段は、コマンド受信手段が第２の可変表示装置用の可変表示時間指定コマンドを受信したことにもとづいて第２の可変表示装置にて識別情報の可変表示を開始し、可変表示時間指定コマンドが示す可変表示時間が経過したことにもとづいて、表示結果指定コマンドが示す表示結果を第２の可変表示装置に導出表示する第２表示制御実行手段（例えば演出制御用マイクロコンピュータ１０１におけるステップＳ８４６，Ｓ８４７，Ｓ８５２，Ｓ８５３に対応する第２特別図柄に関する処理を実行する部分）を有し、コマンド送信手段は、第１の可変表示装置にて識別情報の可変表示が実行されており第２の可変表示装置では識別情報の可変表示が実行されていないときに遊技機への電力供給が停止し、その後に遊技機への電力供給が開始されたときには、所定の復旧条件が成立したことにもとづいて、第１の可変表示装置および第２の可変表示装置に電力供給が停止されたときの状態に復旧することを表示させるための復旧コマンド（例えば図４９に示す停電復旧コマンド）と、電力供給が停止するときに実行されていた可変表示の表示結果を指定する表示結果指定コマンド（例えば第１表示結果指定コマンド）とを送信し、電力供給が開始された後、可変表示時間判定手段により第１の可変表示装置において可変表示時間決定手段により決定された可変表示時間が経過した旨の判定がなされ、保留記憶手段に保留データが記憶されていないときに、所定期間に亘って可変表示の実行条件が成立しないときに表示されるデモンストレーション表示を第１の可変表示装置に表示させるための第１デモンストレーション表示指定コマンド（例えば第１デモンストレーション表示コマンド）を送信し、電力供給が開始され復旧コマンドを送信した後、保留記憶手段に保留データが記憶されていないときに、デモンストレーション表示を第２の可変表示装置に表示させるための第２デモンストレーション表示指定コマンドを送信し（例えばステップＳ１３６，Ｓ１３７、あるいはステップＳ７２〜Ｓ７４）、第１表示制御実行手段は、コマンド受信手段が復旧コマンドを受信したときに、第１の可変表示装置に電力供給が停止されたときの状態に復旧する旨の復旧表示を行う第１復旧表示実行手段（例えば演出制御用マイクロコンピュータ１０１におけるステップＳ６２３を実行する部分）と、コマンド受信手段が第１デモンストレーション表示指定コマンドを受信したときに、表示結果指定コマンドが特定表示結果を示すものでなければ、第１の可変表示装置にあらかじめ定められた第１初期表示を行う第１初期表示実行手段（例えば演出制御用マイクロコンピュータ１０１におけるステップＳ６２９を実行する部分）と、コマンド受信手段が第１デモンストレーション表示指定コマンドを受信したときからの経過時間を計測する第１経過時間計測手段（例えば演出制御用マイクロコンピュータ１０１におけるステップＳ６３０にてスタートされた第１初期出目表示計測タイマを進行させる処理を実行する部分）と、第１経過時間計測手段により計測された時間が所定時間を経過したか否かを判定する第１経過判定手段（例えば演出制御用マイクロコンピュータ１０１におけるステップＳ８１６を実行する部分）と、第１経過判定手段により所定時間が経過したと判定されたときに、第１デモンストレーション表示を行う第１デモンストレーション表示実行手段（例えば演出制御用マイクロコンピュータ１０１におけるステップＳ８１７を実行する部分）とを有し、第２表示制御実行手段は、コマンド受信手段が復旧コマンドを受信したときに、第２の可変表示装置に復旧表示を行う第２復旧表示実行手段（例えば演出制御用マイクロコンピュータ１０１におけるステップＳ６２５を実行する部分）と、電力供給が開始されコマンド受信手段が第２デモンストレーション表示指定コマンドを受信したときに、第２の可変表示装置にあらかじめ定められた第２初期表示を行う第２初期表示実行手段（例えば演出制御用マイクロコンピュータ１０１におけるステップＳ６３６を実行する部分）と、コマンド受信手段が第２デモンストレーション表示指定コマンドを受信したときからの経過時間を計測する第２経過時間計測手段（例えば演出制御用マイクロコンピュータ１０１におけるステップＳ６３７にてスタートされた第２初期出目表示計測タイマを進行させる処理を実行する部分）と、第２経過時間計測手段により計測された時間が所定時間を経過したか否かを判定する第２経過判定手段（例えば演出制御用マイクロコンピュータ１０１におけるステップＳ８１６に対応する第２特別図柄に関する処理を実行する部分）と、第２経過判定手段により所定時間が経過したと判定されたときに、第２デモンストレーション表示を行う第２デモンストレーション表示実行手段（例えば演出制御用マイクロコンピュータ１０１におけるステップＳ８１７に対応する第２特別図柄に関する処理を実行する部分）とを有することを特徴とする。
【００１５】
また、本発明による遊技機は、あらかじめ定められている可変表示の実行条件が成立（例えば始動入賞口１３ａ，１３ｂへの遊技球の入賞）した後、可変表示の開始条件の成立（例えば、前回の可変表示の終了）にもとづいて複数種類の識別情報（例えば、飾り図柄、特別図柄）の可変表示を開始し、表示結果を導出表示する第１の可変表示装置（例えば可変表示装置９ａ、特別図柄表示器８ａ）および第２の可変表示装置（例えば可変表示装置９ｂ、特別図柄表示器８ｂ）を備え、第１の可変表示装置または第２の可変表示装置のいずれかに特定表示結果（例えば大当り図柄）が導出表示されたことにもとづいて遊技者にとって有利な特定遊技状態（例えば大当り遊技状態）に移行させる遊技機であって、遊技の進行を制御し、第１の可変表示装置および第２の可変表示装置を制御させるためのコマンド（例えば演出制御コマンド）を送信する遊技制御手段（例えば遊技制御用マイクロコンピュータ６０等）と、コマンドを受信するコマンド受信手段（例えば演出制御用マイクロコンピュータ１０１における割込処理により受信した演出制御コマンドデータをコマンド受信個数カウンタが示す受信コマンドバッファに格納する処理を実行する部分）と、コマンド受信手段が受信したコマンドにもとづいて、識別情報を可変表示させるために第１の可変表示装置を制御する第１表示制御手段（例えば演出制御用マイクロコンピュータ１０１におけるステップＳ７０５を実行する部分）と、コマンド受信手段が受信したコマンドにもとづいて、識別情報を可変表示させるために第２の可変表示装置を制御する第２表示制御手段（例えば演出制御用マイクロコンピュータ１０１におけるステップＳ７０６を実行する部分）とを備え、遊技制御手段は、遊技機への電力供給が停止した後も所定期間は記憶内容を保持可能なバックアップ記憶手段（例えば電源バックアップされているＲＡＭ５５）と、バックアップ記憶手段に含まれ、可変表示の実行条件は成立したが未だ可変表示の開始条件が成立していない可変表示の保留データを記憶する保留記憶手段（例えばＲＡＭ５５における動入賞カウンタを格納している領域）と、第１の可変表示装置および第２の可変表示装置の表示結果をその導出表示以前に決定する事前判定手段（例えば遊技制御用マイクロコンピュータ６０におけるステップＳ６７〜Ｓ６９，Ｓ７６，Ｓ７７を実行する部分）と、事前判定手段による判定結果にもとづいて、第１の可変表示装置および第２の可変表示装置における識別情報の可変表示を開始してから表示結果を導出表示するまでの可変表示時間を決定する可変表示時間決定手段（例えば遊技制御用マイクロコンピュータ６０におけるステップＳ９０を実行する部分）と、第１の可変表示装置における識別情報の可変表示時間を計測する可変表示時間計測手段（例えば遊技制御用マイクロコンピュータ６０におけるステップＳ３５ｃを実行する部分）と、可変表示時間計測手段により計測された可変表示時間が可変表示時間決定手段により決定された可変表示時間になったか否かを判定する可変表示時間判定手段（例えば遊技制御用マイクロコンピュータ６０におけるステップＳ１２６を実行する部分）と、第１表示制御手段による第１の可変表示装置での識別情報の可変表示の実行中に、第２表示制御手段によって第２の可変表示装置にて特定表示結果が導出表示されたときに、可変表示時間計測手段による可変表示時間の計測を中断させる可変表示時間計測中断手段（例えば遊技制御用マイクロコンピュータ６０におけるステップＳ１２４，Ｓ１２５，Ｓ３５ｎを実行する部分）と、可変表示時間計測中断手段によって可変表示時間の計測が中断されているときに、第２の可変表示装置にて導出表示された特定表示結果にもとづく特定遊技状態が終了したことを条件に、可変表示時間計測手段による可変表示時間の計測を再開させる可変表示時間計測再開手段（例えば遊技制御用マイクロコンピュータ６０におけるステップＳ１２２，Ｓ１２３，Ｓ３５ｎを実行する部分）と、可変表示の開始条件が成立したときに可変表示時間決定手段によって決定された可変表示時間を指定する可変表示時間指定コマンド（例えば変動パターンコマンド）と事前判定手段によって決定された表示結果を指定する表示結果指定コマンド（例えば表示結果指定コマンド）とをコマンドとして送信するコマンド送信手段（例えば遊技制御用マイクロコンピュータ６０におけるステップＳ９１ａ，Ｓ９１ｂ，Ｓ９２ａ，Ｓ９２ｂを実行する部分）と、を有し、第１表示制御手段は、コマンド受信手段が第１の可変表示装置用の可変表示時間指定コマンドを受信したことにもとづいて第１の可変表示装置にて識別情報の可変表示を開始し、可変表示時間指定コマンドが示す可変表示時間が経過したことにもとづいて、表示結果指定コマンドが示す表示結果を第１の可変表示装置に導出表示する第１表示制御実行手段（例えば演出制御用マイクロコンピュータ１０１におけるステップＳ８４６，Ｓ８４７，Ｓ８５２，Ｓ８５３を実行する部分）を有し、第２表示制御手段は、コマンド受信手段が第２の可変表示装置用の可変表示時間指定コマンドを受信したことにもとづいて第２の可変表示装置にて識別情報の可変表示を開始し、可変表示時間指定コマンドが示す可変表示時間が経過したことにもとづいて、表示結果指定コマンドが示す表示結果を第２の可変表示装置に導出表示する第２表示制御実行手段（例えば演出制御用マイクロコンピュータ１０１におけるステップＳ８４６，Ｓ８４７，Ｓ８５２，Ｓ８５３に対応する第２特別図柄に関する処理を実行する部分）を有し、コマンド送信手段は、第１の可変表示装置にて識別情報の可変表示が実行されており第２の可変表示装置では識別情報の可変表示が実行されていないときに遊技機への電力供給が停止し、その後に遊技機への電力供給が開始されたときには、所定の復旧条件が成立したことにもとづいて、第１の可変表示装置に電力供給が停止されたときの状態に復旧することを表示させるための変動中復旧コマンド（例えば第１停電復旧コマンド）と、電力供給が停止するときに実行されていた可変表示の表示結果を指定する表示結果指定コマンド（例えば第１表示結果指定コマンド）と、所定期間に亘って可変表示の実行条件が成立しないときに表示されるデモンストレーション表示を第２の可変表示装置に表示させるための第２デモンストレーション表示指定コマンド（例えば第２デモンストレーション表示コマンド）を送信し（例えば図５０参照）、電力供給が開始された後、可変表示時間判定手段により第１の可変表示装置において前記可変表示時間決定手段により決定された可変表示時間が経過した旨の判定がなされ、保留記憶手段に保留データが記憶されていないときに、デモンストレーション表示を第１の可変表示装置に表示させるための第１デモンストレーション表示指定コマンド（例えば第１デモンストレーション表示コマンド）を送信し（例えば、ステップＳ１３６，Ｓ１３７、あるいはステップＳ７２〜Ｓ７４）、第１表示制御実行手段は、変動中復旧コマンドを受信したときに、第１の可変表示装置に電力供給が停止されたときの状態に復旧する旨の復旧表示を行う第１復旧表示実行手段（例えば演出制御用マイクロコンピュータ１０１におけるステップＳ６２３を実行する部分）と、コマンド受信手段が第１デモンストレーション表示指定コマンドを受信したときに、表示結果指定コマンドが特定表示結果を示すものでなければ、第１の可変表示装置にあらかじめ定められた第１初期表示を行う第１初期表示実行手段（例えば演出制御用マイクロコンピュータ１０１におけるステップＳ６２９を実行する部分）と、コマンド受信手段が第１デモンストレーション表示指定コマンドを受信したときからの経過時間を計測する第１経過時間計測手段（例えば演出制御用マイクロコンピュータ１０１におけるステップＳ６３０にてスタートされた第１初期出目表示計測タイマを進行させる処理を実行する部分）と、第１経過時間計測手段により計測された時間が所定時間を経過したか否かを判定する第１経過判定手段（例えば演出制御用マイクロコンピュータ１０１におけるステップＳ８１６を実行する部分）と、第１経過判定手段により所定時間が経過したと判定されたときに、第１デモンストレーション表示を行う第１デモンストレーション表示実行手段（例えば演出制御用マイクロコンピュータ１０１におけるステップＳ８１７を実行する部分）とを有し、第２表示制御実行手段は、電力供給が開始されコマンド受信手段が第２デモンストレーション表示指定コマンドを受信したときに、第２の可変表示装置にあらかじめ定められた第２初期表示を行う第２初期表示実行手段（例えば演出制御用マイクロコンピュータ１０１におけるステップＳ６３６を実行する部分）と、コマンド受信手段が第２デモンストレーション表示指定コマンドを受信したときからの経過時間を計測する第２経過時間計測手段（例えば演出制御用マイクロコンピュータ１０１におけるステップＳ６３７にてスタートされた第２初期出目表示計測タイマを進行させる処理を実行する部分）と、第２経過時間計測手段により計測された時間が所定時間を経過したか否かを判定する第２経過判定手段（例えば演出制御用マイクロコンピュータ１０１におけるステップＳ８１６に対応する第２特別図柄に関する処理を実行する部分）と、第２経過判定手段により所定時間が経過したと判定されたときに、第２デモンストレーション表示を行う第２デモンストレーション表示実行手段（例えば演出制御用マイクロコンピュータ１０１におけるステップＳ８１７に対応する第２特別図柄に関する処理を実行する部分）とを有することを特徴とする。
【００１６】
第１表示制御実行手段が、可変表示時間計測中断手段によって可変表示時間計測手段による可変表示時間の計測が中断されているとき（例えば、ステップＳ３０２の第１変動時間タイマで示された時間の計測が中断されているとき）に、第１の可変表示装置にて識別情報の可変表示を継続して実行する（例えば、ステップＳ８４８にて第１特別図柄の変動表示が中断されたときからステップＳ８４９にて再開されるまでの間、第１特別図柄の変動表示を見た目上継続して実行する）ように構成されていてもよい。
【００１７】
第１表示制御実行手段が、可変表示時間計測中断手段によって可変表示時間計測手段による可変表示時間の計測が中断されているとき（例えば、ステップＳ３０２の第１変動時間タイマで示された時間の計測が中断されているとき）に、第１の可変表示装置にて特定表示結果以外の表示態様（例えば、はずれ図柄）で識別情報を停止表示する（例えば、ステップＳ８４８にて第１特別図柄の変動表示が中断されたときからステップＳ８４９にて再開されるまでの間、はずれ図柄を停止表示する）ように構成されていてもよい。
【００１８】
コマンド送信手段が、遊技機への電力供給が開始されたときに、保留記憶手段に第１の可変表示装置に対する可変表示の保留データが記憶されていれば、保留データの数を示す保留記憶数指定コマンドを送信し（例えばステップＳ２０４にて第１始動入賞記憶数指定コマンドをも送信する）、第１表示制御実行手段が、コマンド受信手段が保留記憶数指定コマンドを受信したことに応じて第１の可変表示装置に保留記憶数指定コマンドが示す保留データの数を示す表示をする（第１始動入賞記憶数指定コマンドの受信に応じて、演出制御用マイクロコンピュータ１０１が、第１始動入賞記憶数指定コマンドが示す始動入賞記憶数を可変表示装置９ａに表示する。）ように構成されていてもよい。
【発明の効果】
【００１９】
請求項１記載の発明によれば、複数の可変表示装置を備えた遊技機において、電力供給が復旧したときに遊技制御手段から表示制御手段に送信されるコマンドの種類を減らすことができ、遊技制御手段の制御負担を軽減させることができる。また、一の可変表示装置にて特定表示結果が導出表示されることが、他の可変表示装置の表示態様によって遊技者が予測可能となってしまうことを防止することができ、遊技の興趣を向上させることができるという効果を奏する。
【００２０】
請求項２記載の発明によれば、複数の可変表示装置を備えた遊技機において、電力供給が復旧したときに遊技制御手段から表示制御手段に送信されるコマンドの種類を、コマンドを極力共通化することによって減らすことができ、遊技制御手段の制御負担を軽減させることができる。また、一の可変表示装置にて特定表示結果が導出表示されることが、他の可変表示装置の表示態様によって遊技者が予測可能となってしまうことを防止することができ、遊技の興趣を向上させることができるという効果を奏する。
【００２１】
請求項３記載の発明では、複数の可変表示装置を備えた遊技機において、電力供給が復旧したときに遊技制御手段から表示制御手段に送信されるコマンドの種類を、必要なコマンドに絞ることによって減らすことができ、遊技制御手段の制御負担を軽減させることができる。また、一の可変表示装置にて特定表示結果が導出表示されることが、他の可変表示装置の表示態様によって遊技者が予測可能となってしまうことを防止することができ、遊技の興趣を向上させることができるという効果を奏する。
【００２２】
請求項４記載の発明では、第１表示制御実行手段が、可変表示時間計測中断手段によって可変表示時間計測手段による可変表示時間の計測が中断されているときに、第１の可変表示装置にて識別情報の可変表示を継続して実行するように構成されているので、可変表示時間の計測が中断されている間に第１の可変表示装置で識別情報の表示結果が導出表示されることを防止することができ、可変表示の整合をとることができる。
【００２３】
請求項５記載の発明では、第１表示制御実行手段が、可変表示時間計測中断手段によって可変表示時間計測手段による可変表示時間の計測が中断されているときに、第１の可変表示装置にて特定表示結果以外の表示態様で識別情報を停止表示するように構成されているので、可変表示時間の計測が中断されている間に第１の可変表示装置で特定表示結果が停止表示されることを防止することができ、可変表示の整合をとることができるとともに、遊技者に誤解を与えてしまうことを防止することができる。
【００２４】
請求項６記載の発明では、コマンド送信手段が、遊技機への電力供給が開始されたときに、保留記憶手段に第１の可変表示装置に対する可変表示の保留データが記憶されていれば、保留データの数を示す保留記憶数指定コマンドを送信し、第１表示制御実行手段が、コマンド受信手段が保留記憶数指定コマンドを受信したことに応じて第１の可変表示装置に保留記憶数指定コマンドが示す保留データの数を示す表示をする構成とされているので、遊技機への電力供給が開始されたときに保留データの数を表示することができ、保留データが失われていないとの安心感を遊技者に与えるようにすることができる。
【発明を実施するための最良の形態】
【００２５】
以下、本発明の一実施形態を図面を参照して説明する。
まず、遊技機の一例であるパチンコ遊技機の全体の構成について説明する。図１はパチンコ遊技機を正面からみた正面図である。なお、以下の実施の形態では、パチンコ遊技機を例に説明を行うが、本発明による遊技機はパチンコ遊技機に限られず、スロット機やパチロット機（遊技球を用いて遊技が行われるスロット機を意味し、パロット機、スリットスロット機などとも呼ばれる）などの他の遊技機に適用することもできる。
【００２６】
パチンコ遊技機１は、縦長の方形状に形成された外枠（図示せず）と、外枠の内側に開閉可能に取り付けられた遊技枠とで構成される。また、パチンコ遊技機１は、遊技枠に開閉可能に設けられている額縁状に形成されたガラス扉枠２を有する。遊技枠は、外枠に対して開閉自在に設置される前面枠（図示せず）と、機構部品等が取り付けられる機構板と、それらに取り付けられる種々の部品（後述する遊技盤を除く。）とを含む構造体である。
【００２７】
図１に示すように、パチンコ遊技機１は、額縁状に形成されたガラス扉枠２を有する。ガラス扉枠２の下部表面には打球供給皿（上皿）３がある。打球供給皿３の下部には、打球供給皿３に収容しきれない遊技球を貯留する余剰球受皿４と遊技球を発射する打球操作ハンドル（操作ノブ）５が設けられている。ガラス扉枠２の背面には、遊技盤６が着脱可能に取り付けられている。なお、遊技盤６は、それを構成する板状体と、その板状体に取り付けられた種々の部品とを含む構造体である。また、遊技盤６の前面には遊技領域７が形成されている。
【００２８】
遊技領域７の中央付近の左右には、それぞれが識別情報としての飾り図柄を可変表示（変動表示）する複数の可変表示部を含む２つの可変表示装置（可変表示部）９ａ，９ｂが設けられている。可変表示装置９ａ，９ｂには、それぞれ、例えば「左」、「中」、「右」の３つの可変表示部（図柄表示エリア）がある。
【００２９】
可変表示装置９ａ，９ｂの上部には、それぞれ、識別情報としての特別図柄を可変表示する可変表示部を含む２つの特別図柄表示器８ａ，８ｂが設けられている。特別図柄表示器８ａ，８ｂは、それぞれ、例えば、１つの７セグメント表示器によって構成される。なお、可変表示装置９ａ，９ｂは、それぞれ、特別図柄表示器８ａ，８ｂに対応して設けられている。
【００３０】
可変表示装置９ａの下方には、始動入賞口１３ａが設けられている。始動入賞口１３ａに入った入賞球は、遊技盤６の背面に導かれ、始動口スイッチ１４ａによって検出される。
【００３１】
また、可変表示装置９ｂの下方には、始動入賞口１３ｂが設けられている。そして、始動入賞口１３ｂの下部には、開閉動作を行う可変入賞球装置１５が設けられている。可変入賞球装置１５は、ソレノイド１６によって開状態とされたり閉状態とされたりする。始動入賞口１３ｂに入った入賞球は、遊技盤６の背面に導かれ、始動口スイッチ１４ｂによって検出される。
【００３２】
上記のように、本例では２つの特別図柄表示器８ａ，８ｂに対応して２つの始動入賞口１３ａ，１３ｂが設けられている。本例では、一方の始動入賞口１３ｂの下部にのみ開閉動作を行う可変入賞球装置１５を設ける構成としているが、両方の始動入賞口１３ａ，１３ｂの下部にそれぞれ開閉動作を行う可変入賞球装置を設ける構成としてもよい。また、いずれの始動入賞口１３ａ，１３ｂの下部にも可変入賞球装置を設けない構成としてもよい。また、本例では、２つの始動入賞口１３ａ，１３ｂを設けているが、１つの始動入賞口を設ける構成とし、入賞した遊技球を２つの始動口スイッチ１４ａ，１４ｂのいずれかで検出する構成としてもよい。
【００３３】
また、２つの始動入賞口１３ａ，１３ｂにそれぞれ入賞した遊技球を１つの始動口スイッチで検出する構成としてもよい。さらに、１つの始動入賞口と１つの始動口スイッチを設ける構成としてもよい。これらの場合、第１特別図柄に対応する入賞とするか、第２特別図柄に対応する入賞とするかは、乱数などによる抽選によって決定するようにすればよい。
【００３４】
可変表示装置９ａ，９ｂと特別図柄表示器８ａ，８ｂとの間には、始動入賞口１３ａ，１３ｂのいずれかに遊技球が入った有効入賞球数すなわち始動記憶数を表示する４つのＬＥＤから成る特別図柄始動記憶表示器１８が設けられている。すなわち、始動記憶数のうち入賞順に４個まで表示する。特別図柄始動記憶表示器１８は、始動入賞口１３ａ，１３ｂのいずれかに有効始動入賞がある毎に、点灯状態とするＬＥＤの数を１増やす。そして、特別図柄始動記憶表示器１８は、特別図柄表示器８ａ，８ｂのいずれかで可変表示が開始される毎に、始動記憶数が３個以下となったときは点灯状態とするＬＥＤの数を１減らす（すなわち１つのＬＥＤを消灯する）。この例では、特別図柄始動記憶表示器１８は、２色の点灯表示が可能なＬＥＤが用いられ、始動入賞口１３ａ，１３ｂのいずれに入ったことによる始動記憶であるかを点灯色によって識別可能に表示する。例えば、始動入賞口１３ａへの始動記憶であれば赤色に点灯し、始動入賞口１３ｂへの始動記憶であれば緑色に点灯する。そして、特別図柄表示器８ａ，８ｂのいずれかで可変表示が開始される毎に、点灯状態をシフトする。なお、特別図柄始動記憶表示器は、始動入賞口１３ａ，１３ｂに対応して２つ設けられていてもよい。また、この例では、始動入賞口１３ａ，１３ｂそれぞれへの入賞による始動記憶数に上限数（それぞれ４個まで）を設けているが、上限数を設けなくてもよい。
【００３５】
始動入賞口１３ａおよび可変入賞球装置１５の下部には、それぞれ、特定遊技状態（大当り状態）においてソレノイド２１ａ，２１ｂによって開状態とされる開閉板２０ａ，２０ｂが設けられている。開閉板２０ａ，２０ｂは、それぞれ、大入賞口（可変入賞球装置）を開閉する手段である。開閉板２０ａから遊技盤６の背面に導かれた入賞球のうち一方（Ｖ入賞領域：特別領域）に入った入賞球はＶ入賞スイッチ２２ａで検出され、開閉板２０ａからの入賞球はカウントスイッチ２３ａで検出される。同様に、開閉板２０ｂから遊技盤６の背面に導かれた入賞球のうち一方（Ｖ入賞領域：特別領域）に入った入賞球はＶ入賞スイッチ２２ｂで検出され、開閉板２０ｂからの入賞球はカウントスイッチ２３ｂで検出される。遊技盤６の背面には、開閉板２０ａ，２０ｂによって開閉されるそれぞれの大入賞口内の経路を切り換えるためのソレノイド２４ａ，２４ｂも設けられている。
【００３６】
上記のように、本例では、同一形状の大入賞口が特別図柄表示器８ａ，８ｂに対応して２個設けられているが、大入賞口は１個であってもよい。また、異なる形状の大入賞口が２個設けられていてもよい。
【００３７】
ゲート３２に遊技球が入賞しゲートスイッチ３２ａで検出されると、普通図柄表示器１０の表示の可変表示が開始される。この実施の形態では、左右のランプ（点灯時に図柄が視認可能になる）が交互に点灯することによって可変表示が行われ、例えば、可変表示の終了時に左側のランプ（○のランプ）が点灯すれば当たりとなり、右側のランプ（×のランプ）が点灯すればはずれとなる。そして、普通図柄表示器１０における停止図柄が所定の図柄（当り図柄：○）である場合に、可変入賞球装置１５が所定回数、所定時間だけ開状態になる。なお、普通図柄の当り確率は、例えば１２／１３とされる。普通図柄表示器１０の近傍には、ゲート３２に入った入賞球数を表示する４つのＬＥＤによる表示部を有する普通図柄始動記憶表示器４１が設けられている。ゲート３２への入賞がある毎に、普通図柄始動記憶表示器４１は点灯するＬＥＤを１増やす。そして、普通図柄表示器１０の可変表示が開始される毎に、点灯するＬＥＤを１減らす。
【００３８】
遊技領域７の左右周辺には、ランプの点灯や点滅などによって演出を行うための装飾ランプ２５が設けられている。遊技領域７の下部には、入賞しなかった遊技球を吸収するアウト口２６がある。また、遊技領域７の外側の左右上部には、効果音を発する２つのスピーカ２７が設けられている。遊技領域７の外周には、天枠ランプ２８ａ、左枠ランプ２８ｂおよび右枠ランプ２８ｃが設けられている。さらに、遊技領域７における各構造物（大入賞口等）の周囲には装飾ＬＥＤが設置されている。天枠ランプ２８ａ、左枠ランプ２８ｂおよび右枠ランプ２８ｃおよび装飾用ＬＥＤは、遊技機に設けられている装飾発光体の一例である。
【００３９】
また、可変表示装置９ａ，９ｂの上部に、遊技者を撮影するための２次元ＣＣＤやＣＭＯＳセンサ等によるカメラ１２０が設置されている。そして、図１に示すように、打球操作ハンドル５の近傍に、撮像画像による演出を許容するかしないかを選択するための撮像演出選択スイッチ（以下、選択スイッチという。）１２２、および撮影後に再び撮影を可能にするため等に用いられるリセットスイッチ１２３が設置されている。なお、カメラ１２０は、遊技盤６にではなく、遊技枠の側に設置されていてもよい。
【００４０】
そして、この例では、左枠ランプ２８ｂの近傍に、賞球払出中に点灯する賞球ＬＥＤ５１が設けられ、右枠ランプ２８ｃの近傍に、補給球が切れたときに点灯する球切れＬＥＤ５２が設けられている。上記のように、この実施の形態のパチンコ遊技機１には、発光体としてのランプやＬＥＤが各所に設けられている。さらに、プリペイドカードが挿入されることによって球貸しを可能にするプリペイドカードユニットが、パチンコ遊技機１に隣接して設置される（図示せず）。
【００４１】
打球発射装置から発射された遊技球は、打球レールを通って遊技領域７に入り、その後、遊技領域７を下りてくる。
【００４２】
打球が始動入賞口１３ａに入り始動口スイッチ１４ａで検出されると、図柄の可変表示を開始できる状態であれば、特別図柄表示器８ａにおいて特別図柄（第１特別図柄）が可変表示を始めるとともに、可変表示装置９ａにおいて飾り図柄（第１飾り図柄）が可変表示を始める。図柄の可変表示を開始できる状態でなければ、特別図柄表示器８ａでの特別図柄（第１特別図柄）の可変表示の保留記憶である始動入賞記憶数を１増やす。
【００４３】
また、打球が始動入賞口１３ｂに入り始動口スイッチ１４ｂで検出されると、図柄の可変表示を開始できる状態であれば、特別図柄表示器８ｂにおいて特別図柄（第２特別図柄）が可変表示を始めるとともに、可変表示装置９ｂにおいて飾り図柄（第２飾り図柄）が可変表示を始める。図柄の可変表示を開始できる状態でなければ、特別図柄表示器８ｂでの特別図柄（第２特別図柄）の可変表示の保留記憶である始動入賞記憶数を１増やす。
【００４４】
特別図柄表示器８ａ，８ｂにおける特別図柄の可変表示は、それぞれ、一定時間が経過したときに停止する。停止時の特別図柄が大当り図柄（特定表示結果）であると、大当り遊技状態に移行する。すなわち、対応する開閉板２０ａ，２０ｂが、一定時間経過するまで、または、所定個数（例えば１０個）の打球が入賞するまで開放する。そして、開閉板２０ａ，２０ｂの開放中に打球がＶ入賞領域に入賞して対応するＶ入賞スイッチ２２ａ，２２ｂで検出されると、継続権が発生し開閉板２０ａ，２０ｂの開放が再度行われる。継続権の発生は、所定回数（例えば１５ラウンド）許容される。
【００４５】
なお、継続権の発生を要求することなく、大当り遊技状態に移行したときは、所定回数のラウンドが常に実行される構成としてもよい。このように構成した場合には、Ｖ入賞スイッチ２２ａ，２２ｂは不要となる。
【００４６】
特別図柄表示器８ａ，８ｂのいずれかにおける停止時の特別図柄が確率変動を伴う大当り図柄（確変図柄）である場合には、次に大当りとなる確率が高くなる。すなわち、確変状態（特定有利状態：識別情報の可変表示の表示結果を特定表示結果とする確率を通常状態であるときおよび特別有利状態であるときに比べて向上させた状態）という遊技者にとってさらに有利な状態となる。確変状態では、例えば、次に大当りとなる確率が、確変状態でない通常状態であるときは約２／６３０（１／３１５）とされているのに対し、約１０／６３０（１／６３：通常状態の５倍程度）に高められる。
【００４７】
本例では、大当りとなったときに、確変大当りである確率（確変突入率）は１／２とされる。また、確変状態は、所定の確変終了条件が成立するまで（例えば例えば次に大当りが発生したときまで）継続する。
【００４８】
なお、大当りとなったときに常に確変大当りとなる構成（すなわち非確変大当りが存在しない構成）としてもよい。また、確変状態は、次に大当りが発生するまで、あるいは、所定回数の特別図柄の可変表示が行われるまで継続するようにしてもよい。さらに、確変状態を終了するか否かの抽選を、特別図柄の可変表示を実行する毎に乱数を用いて行い、その抽選結果に応じて確変状態を終了するようにしてもよい。
【００４９】
また、特別図柄表示器８ａ，８ｂのいずれかにおける停止時の特別図柄が時短を伴う大当り図柄（時短図柄）である場合にも、次に大当りとなる確率が高められた状態となる。すなわち、時短状態（特別有利状態：特定遊技状態と異なる通常状態であるときに比べて所定回数の識別情報の可変表示の可変表示期間を短縮する状態）という遊技者にとってさらに有利な状態となる。時短状態では、例えば、時短状態でない通常状態である場合に比べて、単位時間あたりに始動入賞が発生する回数が高められるとともに、特別図柄の変動時間（可変表示期間）が短縮された状態となる。従って、時短状態では、通常状態と比較して、単位時間あたりに特別図柄の変動表示が実行される回数が高められた状態となり、結果として、単位時間あたりに大当りが発生する確率が高められた状態となる。なお、単位時間あたりに始動入賞が発生する回数を高めるために、時短状態において、例えば、可変入賞球装置１５の開放時間と開放回数とのうちの一方または双方が通常状態に比べて高められるようにしたり、普通図柄表示器１０における変動時間が短縮されるようにしてもよい。
【００５０】
時短図柄となったことにもとづく大当り遊技状態が終了したあとは、本例では、所定の時短終了条件が成立するまで（例えば所定回数（例えば１００回）の特別図柄の可変表示が行われるまで）、時短状態が継続する。
【００５１】
遊技球がゲート３２に入賞すると、普通図柄表示器１０において普通図柄が可変表示される状態になる。また、普通図柄表示器１０における停止図柄が所定の図柄（当り図柄）である場合に、可変入賞球装置１５が所定時間だけ開状態になる。さらに、確変状態や時短状態では、普通図柄表示器１０における停止図柄が当り図柄になる確率が高められるとともに、可変入賞球装置１５の開放時間と開放回数が高められる。
【００５２】
次に、パチンコ遊技機１の裏面の構造について図２を参照して説明する。図２は、遊技機を裏面から見た背面図である。
【００５３】
図２に示すように、パチンコ遊技機１の裏面側には、外枠２Ａ内の機構板の上部に球貯留タンク３８が設けられ、パチンコ遊技機１が遊技機設置島に設置された状態でその上方から遊技球が球貯留タンク３８に供給される。球貯留タンク３８内の遊技球は、誘導樋３９を通って賞球ケース４０Ａで覆われる球払出装置９７（図２では図示せず）に至る。
【００５４】
また、遊技機裏面側には、可変表示装置９ａ，９ｂを制御する演出制御用マイクロコンピュータ１０１（図４参照）等が搭載された演出制御基板８０を含む可変表示制御ユニット４９、および遊技制御用マイクロコンピュータ６０（図３参照）等が搭載された遊技制御基板（主基板）３１が設置されている。また、球払出制御を行う払出制御用マイクロコンピュータ等が搭載された払出制御基板３７が設置されている。
【００５５】
可変表示装置９ａ，９ｂの可変表示制御を行う表示制御手段は、演出制御基板８０に搭載されている演出制御用マイクロコンピュータ１０１やＶＤＰ（ビデオディスプレイプロセッサ）１０９（図４参照）などで実現される。また、遊技機には、枠側に設けられている天枠ランプ２８ａ、左枠ランプ２８ｂおよび右枠ランプ２８ｃなどを駆動する回路が搭載されている枠側ランプドライバ基板３５と、スピーカ２７を駆動する回路が搭載されている音声制御基板７０とが設置されている。
【００５６】
さらに、ＤＣ３０Ｖ、ＤＣ２１Ｖ、ＤＣ１２ＶおよびＤＣ５Ｖを作成する電源回路が搭載された電源基板９１０やその他の基板（図示せず）が設けられている。
【００５７】
なお、電気部品制御基板（払出制御基板、演出制御基板）には、それぞれ、電気部品制御用マイクロコンピュータを含む電気部品制御手段（払出制御手段、演出制御手段）が搭載されている。払出制御手段および演出制御手段は、遊技制御手段からの指令信号（制御信号）に従って遊技機に設けられている電気部品（遊技用装置：球払出装置９７、可変表示装置９ａ，９ｂ等）を制御する。また、枠側に設けられているランプやＬＥＤなどの発光体およびスピーカ２７等の電気部品は、演出制御手段からの制御信号に従って、枠側ランプドライバ基板３５および音声制御基板７０に搭載されている回路部品によって駆動される。さらに、遊技機には、スイッチを搭載した基板やランプやＬＥＤなどの発光体（以下。ランプ・ＬＥＤともいう。）が搭載された基板がある。なお、基板とは、電気的に駆動される電気部品、回路部品、コネクタや端子などの接続部品などを搭載した印刷配線板である。
【００５８】
遊技機裏面において、上方には、各種情報を遊技機外部に出力するための各端子を備え、払出制御基板３７と接続されたターミナル基板１６０が設置されている。また、中央付近には、主基板３１からの各種情報を遊技機外部に出力するための各端子を備えた情報端子盤（情報出力基板）３４が設置されている。このターミナル基板１６０は遊技機外部の管理コンピュータ等と接続され遊技機に関わるデータ収集に用いられる。
【００５９】
球貯留タンク３８に貯留された遊技球は誘導樋３９を通り、カーブ樋を経て払出ケース４０Ａで覆われた球払出装置９７に至る。球払出装置９７の上部には、遊技媒体切れ検出手段としての球切れスイッチが設けられている。球切れスイッチが球切れを検出すると、球払出装置９７の払出動作が停止する。球切れスイッチは遊技球通路内の遊技球の有無を検出するスイッチであるが、貯留タンク３８内の補給球の不足を検出する球切れ検出スイッチも誘導樋３９における上流部分（貯留タンク３８に近接する部分）に設けられている。この球切れ検出スイッチが遊技球の不足を検知すると、遊技機設置島に設けられている補給機構から遊技機に対して遊技球の補給が行われる。
【００６０】
図３は、主基板３１における回路構成の一例を示すブロック図である。なお、図３には、払出制御基板３７および演出制御基板８０等も示されている。主基板３１には、プログラムに従ってパチンコ遊技機１を制御する基本回路（遊技制御用マイクロコンピュータ６０）５３と、ゲートスイッチ３２ａ、始動口スイッチ１４ａ，１４ｂ、Ｖ入賞スイッチ２２ａ，２２ｂ、およびカウントスイッチ２３ａ，２３ｂからの信号を基本回路５３に与える入力ドライバ回路５８と、可変入賞球装置１５を開閉するソレノイド１６、開閉板２０ａ，２０ｂを開閉するソレノイド２１ａ，２１ｂおよび大入賞口内の経路を切り換えるためのソレノイド２４ａ，２４ｂを基本回路５３からの指令に従って駆動するソレノイド回路５９とが搭載されている。
【００６１】
なお、ゲートスイッチ３２ａ、始動口スイッチ１４ａ，１４ｂ、Ｖ入賞スイッチ２２ａ，２２ｂ、カウントスイッチ２３ａ，２３ｂ等のスイッチは、センサと称されているものでもよい。すなわち、遊技球を検出できる遊技媒体検出手段（この例では遊技球検出手段）であれば、その名称を問わない。入賞検出を行う始動口スイッチ１４ａ，１４ｂ、Ｖ入賞スイッチ２２ａ，２２ｂ、カウントスイッチ２３ａ，２３ｂの各スイッチは、入賞検出手段でもある。なお、入賞検出手段は、複数の入賞口に別個に入賞したそれぞれの遊技球をまとめて検出するものであってもよい。また、ゲートスイッチ３２ａのような通過ゲートであっても、賞球の払い出しが行われるものであれば、通過ゲートへ遊技球が進入することが入賞になり、通過ゲートに設けられているスイッチ（例えばゲートスイッチ３２ａ）が入賞検出手段になる。さらに、この実施の形態では、Ｖ入賞領域に入賞した遊技球は対応するＶ入賞スイッチ２２ａ，２２ｂのみで検出されるので、大入賞口に入賞した遊技球数は、Ｖ入賞スイッチ２２ａ，２２ｂによる検出数とカウントスイッチ２３ａ，２３ｂによる検出数との和になる。しかし、Ｖ入賞領域に入賞した遊技球が、Ｖ入賞スイッチ２２ａ，２２ｂで検出されるとともにカウントスイッチ２３ａ，２３ｂでも検出されるようにしてもよい。その場合には、大入賞口に入賞した遊技球数は、カウントスイッチ２３ａ，２３ｂによる検出数に相当する。
【００６２】
また、基本回路５３から与えられるデータに従って、大当りの発生を示す大当り情報、特別図柄表示器８ａ，８ｂにおける特別図柄の可変表示開始に利用された始動入賞球の個数を示す有効始動情報、確率変動が生じたことを示す確変情報等の情報出力信号をホールコンピュータ等の外部装置に対して出力する情報出力回路６４が搭載されている。
【００６３】
基本回路５３は、遊技制御用マイクロコンピュータ６０と、Ｉ／Ｏポート部５７とを含む。遊技制御用マイクロコンピュータ６０は、ゲーム制御（遊技制御）用のプログラム等を記憶するＲＯＭ５４、ワークメモリとして使用される記憶手段（変動データを記憶する変動データ記憶手段）としてのＲＡＭ５５、およびプログラムに従って制御動作を行うＣＰＵ５６で実現される。この実施の形態では、ＲＯＭ５４およびＲＡＭ５５は遊技制御用マイクロコンピュータ６０に内蔵されている。すなわち、遊技制御用マイクロコンピュータ６０は、１チップマイクロコンピュータである。１チップマイクロコンピュータは、少なくともＲＡＭ５５が内蔵されていればよい。このため、ＲＯＭ５４は外付けであってもよい。また、Ｉ／Ｏポート部５７が遊技制御用マイクロコンピュータ６０に内蔵されていてもよい。なお、遊技制御用マイクロコンピュータ６０はＲＯＭ５４に格納されているプログラムに従って制御を実行するので、以下、遊技制御用マイクロコンピュータ６０が実行する（または、処理を行う）ということは、具体的には、遊技制御用マイクロコンピュータ６０がプログラムに従って制御を実行することである。このことは、主基板３１以外の他の基板に搭載されているマイクロコンピュータについても同様である。
【００６４】
また、ＲＡＭ５５は、その一部または全部が電源基板において作成されるバックアップ電源によってバックアップされている不揮発性記憶手段としてのバックアップＲＡＭである。すなわち、遊技機に対する電力供給が停止しても、所定期間（バックアップ電源が電力供給不能になるまで）は、ＲＡＭ５５の一部または全部の内容は保存される。少なくとも、遊技状態すなわち遊技制御用マイクロコンピュータ６０の制御状態に応じたデータ（特別図柄プロセスフラグ、状態データ等）は、バックアップＲＡＭに保存される。遊技制御用マイクロコンピュータ６０の制御状態に応じたデータとは、停電等が生じた後に復旧した場合に、そのデータにもとづいて、制御状態を停電等の発生前に復旧させるために必要なデータである。
【００６５】
図４は、演出制御基板８０、枠側ランプドライバ基板３５および音声制御基板７０の回路構成例を示すブロック図である。なお、図４に示す例では、枠側ランプドライバ基板３５および音声制御基板７０には、マイクロコンピュータは搭載されていない。演出制御基板８０は、図示しない演出制御用ＣＰＵおよびＲＡＭを含む演出制御用マイクロコンピュータ１０１を搭載している。なお、ＲＡＭは外付けであってもよい。演出制御基板８０において、演出制御用マイクロコンピュータ１０１は、内蔵または外付けのＲＯＭ（図示せず）に格納されたプログラムに従って動作し、主基板３１からのストローブ信号（演出制御ＩＮＴ信号）に応じて、入力ポート１０３を介して演出制御コマンドを受信する。また、演出制御用マイクロコンピュータ１０１は、演出制御コマンドにもとづいて、ＶＤＰ（ビデオディスプレイプロセッサ）１０９に、ＬＣＤを用いた可変表示装置９ａ，９ｂの表示制御を行わせる。
【００６６】
演出制御コマンドおよび演出制御ＩＮＴ信号は、演出制御基板８０において、まず、入力ドライバ１０２に入力する。入力ドライバ１０２は、主基板３１から入力された信号を演出制御基板８０の内部に向かう方向にしか信号を通過させない（演出制御基板８０の内部から主基板３１への方向には信号を通過させない）信号方向規制手段としての単方向性回路でもある。
【００６７】
さらに、演出制御用マイクロコンピュータ１０１は、出力ポート１０４および出力ドライバ１１０を介して音声制御基板７０に対して音番号データを出力する。また、演出制御用マイクロコンピュータ１０１に入出力するバス（アドレスバス、データバス、および書込／読出信号等の制御信号ラインを含む）はバスドライバ１０５を介して枠側ランプドライバ基板３５まで延長されている。
【００６８】
また、演出制御用マイクロコンピュータ１０１は、入力ポート１１１を介して、カメラ１２０から画像データを入力する。また、選択スイッチ（選択ＳＷ）１２２およびリセットスイッチ（リセットＳＷ）１２３から、遊技者によって操作がなされたか否かを示す操作信号を入力する。
【００６９】
枠側ランプドライバ基板３５において、演出制御用マイクロコンピュータ１０１から入力するバスは、バスレシーバ３５１を介して出力ポート３５２に接続される。出力ポート３５２から出力される各ランプを駆動する信号は、ランプドライバ３５４で増幅され天枠ランプ２８ａ、左枠ランプ２８ｂ、右枠ランプ２８ｃなどの枠側に設けられている各ランプに供給される。また、出力ポート３５２から出力される各ＬＥＤを駆動する信号は、ＬＥＤ駆動回路３５５で増幅され賞球ＬＥＤ５１や球切れＬＥＤ５２などの枠側に設けられている各ＬＥＤに供給される。
【００７０】
この実施の形態では、枠側に設けられているランプ・ＬＥＤは、演出制御基板８０に搭載されている演出制御用マイクロコンピュータ１０１を含む演出制御手段によって制御される。また、可変表示装置９ａ，９ｂおよびランプ・ＬＥＤ等を制御するためのデータがＲＯＭに格納されている。演出制御用マイクロコンピュータ１０１は、ＲＯＭに格納されているデータにもとづいて可変表示装置９ａ，９ｂおよびランプ・ＬＥＤ等を制御する。そして、枠側ランプドライバ基板３５に搭載されている出力ポート３５２および各ドライバまたは駆動回路を介して、ランプ・ＬＥＤが駆動される。
【００７１】
なお、演出制御基板８０、枠側ランプドライバ基板３５および音声制御基板７０は独立した基板であるが、それらは、例えば、遊技機裏面において、１つのボックスに収容された状態で設置される。
【００７２】
音声制御基板７０において、演出制御基板８０からの音番号データは、入力ドライバ７０２を介して、例えばデジタルシグナルプロセッサによる音声合成用ＩＣ７０３に入力される。音声合成用ＩＣ７０３は、音番号データに応じたデータを音声データＲＯＭ７０４から読み出し、読み出したデータに応じた音声や効果音を発生し増幅回路７０５に出力する。増幅回路７０５は、音声合成用ＩＣ７０３の出力レベルを、ボリューム７０６で設定されている音量に応じたレベルに増幅した音声信号をスピーカ２７に出力する。
【００７３】
また、カメラ１２０は、例えば、遊技者が写っている撮影画像を可変表示装置９における背景画像とするために使用されたり、あらかじめ遊技者を撮影した画像を大当り予告演出として使用するために用いられる。大当り予告演出として使用する場合に、演出制御用マイクロコンピュータ１０１は、識別情報の可変表示の表示結果が大当り図柄になるときには、可変表示装置９ａ，９ｂにおいて、表示結果が導出表示（最終的に停止表示されること）される前に、高い確率（１００％でもよい。）で、遊技者を撮影した画像を可変表示装置９ａ，９ｂの表示画面における所定位置に表示する。また、識別情報の可変表示の表示結果が大当り図柄にならない場合には、低い確率（確率０でもよい。）で、遊技者を撮影した画像を可変表示装置９ａ，９ｂの表示画面における所定位置に表示する。
【００７４】
選択スイッチ１２２は、例えば、カメラ１２０によって撮影された画像（例えば遊技者の顔を撮影した画像）を演出に使用するか否かを遊技者が選択するために用いられる。また、リセットスイッチ１２３は、選択スイッチ１２２によって選択されている状態をリセットしたり、カメラ１２０によって撮影された画像をキャンセル（具体的には演出制御手段の記憶部から消去）するため等に用いられる。
【００７５】
なお、カメラ１２０を大当り予告演出として使用することは一例であって、遊技機における他の演出にカメラ１２０を使用してもよい。また、選択スイッチ１２２やリセットスイッチ１２３が、カメラ１２０とともに用いられるような使い方も一例であって、例えば、カメラ１２０が設けられていない場合に、遊技者が、可変表示装置９に表示された演出用の複数のキャラクタ画像から１つのキャラクタ画像を選択するために使用されてもよい。その場合、演出制御用マイクロコンピュータ１０１は、遊技者が選択したキャラクタ画像に応じて、可変表示装置９ａ，９ｂやランプ・ＬＥＤ等の演出用装置により異なった演出を行う。さらに、遊技機に設けられている演出用装置（例えば可変表示装置９ａ，９ｂ）による演出の種類を選択するための操作手段であれば、スイッチのようなものではなく他の操作手段（例えばレバーやハンドル）が設けられていてもよく、また赤外線センサなどの非接触型の遠隔操作手段であってもよい。
【００７６】
図５は、特別図柄表示器８ａ，８ｂや可変表示装置９ａ，９ｂなどの各図柄表示装置の接続状態の例を示す説明図である。図５に示すように、本例では、主基板３１に搭載されている遊技制御用マイクロコンピュータ６０は、２つの特別図柄表示器８ａ，８ｂと、特別図柄始動記憶表示器１８と、普通図柄表示器１０と、普通図柄始動記憶表示器４１の表示制御を行う。また、演出制御基板８０に搭載されている演出制御用マイクロコンピュータ１０１は、主基板３１からの演出制御コマンドにもとづいて、２つの可変表示装置９ａ，９ｂを制御して、それぞれの可変表示装置９ａ，９ｂにて飾り図柄の表示制御を行う。なお、演出制御用マイクロコンピュータを２つ搭載する構成とし、可変表示装置９ａと可変表示装置９ｂとを別個のマイクロコンピュータにより制御するようにしてもよい。
【００７７】
本例では、特別図柄表示器８ａ，８ｂは、それぞれ、７セグメント表示器によって構成され、セグメント表示を行う。特別図柄の可変表示は、７セグメント表示器にて「０」〜「９」、「−」を順番に変更して表示することによって行われる。特別図柄表示器８ａ，８ｂでは、可変表示が終了したときの停止図柄が「０」〜「９」のときは大当りを意味し、「−」のときははずれを意味する。特別図柄表示器８ａ，８ｂにて可変表示の表示結果が大当りとなる確率は、例えば２／６３０（＝１／３１５）で同一確率とされる。なお、特別図柄は複数桁であってもよい。また、特別図柄表示器８ａ，８ｂにてそれぞれ別個の特別図柄を表示（例えば特別図柄表示器８ａでは数字、特別図柄表示器８ｂではアルファベットを特別図柄として表示）するようにしてもよい。
【００７８】
また、本例では、特別図柄始動記憶表示器１８と、普通図柄始動記憶表示器４１とがＬＥＤによって構成されている。また、普通図柄表示器１０と遊技状態報知ランプ２５とがランプによって構成され、２つの可変表示装置９ａ，９ｂがＬＣＤによって構成されている。飾り図柄は、例えば左中右の３図柄によって表示され、左中右それぞれの図柄には例えば「０」〜「９」の１０個の数字が用いられる。そして、飾り図柄は、停止図柄が左中右それぞれが同一の図柄である場合には「大当り」を示唆（単に「大当り」ということがある）していることを意味し、それ以外の停止図柄である場合には「はずれ」を示唆（単に「はずれ」ということがある）していることを意味する。なお、可変表示装置９ａ，９ｂによる表示演出を、キャラクタなどの識別情報により行うようにしてもよい。例えば、キャラクタにより表示演出を行う場合には、例えば野球選手を登場させてホームランを打った様子を表示することにより、大当りを示唆するようにすることなどが考えられる。
【００７９】
本例では、遊技領域７の左側に設けられている電気部品（始動入賞口１３ａ、特別図柄表示器８ａ、可変表示装置９ａ、開閉板２０ａ）と、遊技領域７の右側に設けられている電気部品（始動入賞口１３ｂ、特別図柄表示器８ｂ、可変表示装置９ｂ、開閉板２０ｂ、普通図柄始動記憶表示器４１、普通図柄表示器１０、ゲート３２）とがそれぞれ対応している。
【００８０】
すなわち、始動入賞口１３ａに遊技球が入賞すると、特別図柄表示器８ａでの第１特別図柄の可変表示中でなければ、特別図柄表示器８ａにて第１特別図柄の可変表示が開始されるとともに、可変表示装置９ａにて第１飾り図柄（可変表示装置９ａで可変表示される飾り図柄）の可変表示が開始される。なお、特別図柄表示器８ａにて第１特別図柄の可変表示中であれば、保留記憶の上限数でない場合には特別図柄始動記憶表示器１８の点灯数を１増やす。そして、第１特別図柄の可変表示結果が大当り表示結果であれば、大当り遊技状態に移行して開閉板２０ａが開閉される。
【００８１】
同様に、始動入賞口１３ｂに遊技球が入賞すると、特別図柄表示器８ｂでの第２特別図柄の可変表示中でなければ、特別図柄表示器８ｂにて第２特別図柄の可変表示が開始されるとともに、可変表示装置９ｂにて第２飾り図柄（可変表示装置９ｂで可変表示される飾り図柄）の可変表示が開始される。なお、特別図柄表示器８ｂにて第２特別図柄の可変表示中であれば、保留記憶の上限数でない場合には特別図柄始動記憶表示器１８の点灯数を１増やす。そして、第２特別図柄の可変表示結果が大当り表示結果であれば、大当り遊技状態に移行して開閉板２０ｂが開閉される。
【００８２】
次に遊技機の動作について説明する。図６は、主基板３１における遊技制御手段（遊技制御用マイクロコンピュータ６０：ＣＰＵ５６およびＲＯＭ５４，ＲＡＭ５５等の周辺回路）が実行するメイン処理を示すフローチャートである。遊技機に対して電源が投入され、リセット端子の入力レベルがハイレベルになると、遊技制御用マイクロコンピュータ６０は、ステップＳ１以降のメイン処理を開始する。メイン処理において、遊技制御用マイクロコンピュータ６０は、まず、必要な初期設定を行う。
【００８３】
初期設定処理において、遊技制御用マイクロコンピュータ６０は、まず、割込禁止に設定する（ステップＳ１）。次に、割込モードを割込モード２に設定し（ステップＳ２）、スタックポインタにスタックポインタ指定アドレスを設定する（ステップＳ３）。そして、内蔵デバイスレジスタの初期化を行う（ステップＳ４）。また、内蔵デバイス（内蔵周辺回路）であるＣＴＣ（カウンタ／タイマ）およびＰＩＯ（パラレル入出力ポート）の初期化（ステップＳ５）を行った後、ＲＡＭをアクセス可能状態に設定する（ステップＳ６）。なお、割込みモード２は、遊技制御用マイクロコンピュータ６０が内蔵する特定レジスタ（Ｉレジスタ）の値（１バイト）と内蔵デバイスが出力する割込みベクタ（１バイト：最下位ビット０）から合成されるアドレスが、割込み番地を示すモードである。
【００８４】
次いで、遊技制御用マイクロコンピュータ６０は、入力ポートを介して入力されるクリアスイッチ（図示せず）の出力信号の状態を１回だけ確認する（ステップＳ７）。その確認においてオンを検出した場合には、遊技制御用マイクロコンピュータ６０は、通常の初期化処理を実行する（ステップＳ１１〜ステップＳ１４）。
【００８５】
クリアスイッチがオンの状態でない場合には、遊技機への電力供給が停止したときにＲＡＭ５５のバックアップＲＡＭ領域のデータ保護処理（例えばパリティデータの付加等の電力供給停止時処理）が行われたか否か確認する（ステップＳ８）。そのような保護処理が行われていないことを確認したら、遊技制御用マイクロコンピュータ６０は初期化処理を実行する。バックアップＲＡＭ領域にバックアップデータがあるか否かは、例えば、電力供給停止時処理においてバックアップＲＡＭ領域に設定されるバックアップフラグの状態によって確認される。この例では、バックアップフラグ領域に「５５Ｈ」が設定されていればバックアップあり（オン状態）を意味し、「５５Ｈ」以外の値が設定されていればバックアップなし（オフ状態）を意味する。
【００８６】
バックアップありを確認したら、遊技制御用マイクロコンピュータ６０は、バックアップＲＡＭ領域のデータチェック（この例ではパリティチェック）を行う（ステップＳ９）。ステップＳ９では、算出したチェックサムと、電力供給停止時処理にて同一の処理によって算出され保存されているチェックサムとを比較する。不測の停電等の電力供給停止が生じた後に復旧した場合には、バックアップＲＡＭ領域のデータは保存されているはずであるから、チェック結果（比較結果）は正常（一致）になる。チェック結果が正常でないということは、バックアップＲＡＭ領域のデータが、電力供給停止時のデータとは異なっていることを意味する。そのような場合には、内部状態を電力供給停止時の状態に戻すことができないので、電力供給の停止からの復旧時でない電源投入時に実行される初期化処理を実行する。
【００８７】
チェック結果が正常であれば、遊技制御用マイクロコンピュータ６０は、遊技制御手段の内部状態と演出制御手段等の電気部品制御手段の制御状態を電力供給停止時の状態に戻すための遊技状態復旧処理を行う（ステップＳ１０）。そして、バックアップＲＡＭ領域に保存されていたＰＣ（プログラムカウンタ）の退避値がＰＣに設定され、そのアドレスに復帰する。
【００８８】
なお、この実施の形態では、バックアップフラグとチェックデータとの双方を用いてバックアップＲＡＭ領域のデータが保存されているか否かを確認しているが、いずれか一方のみを用いてもよい。すなわち、バックアップフラグとチェックデータとのいずれかを、状態復旧処理を実行するための契機としてもよい。
【００８９】
初期化処理では、遊技制御用マイクロコンピュータ６０は、まず、ＲＡＭクリア処理を行う（ステップＳ１１）。また、所定の作業領域（例えば、普通図柄判定用乱数カウンタ、普通図柄判定用バッファ、特別図柄左中右図柄バッファ、特別図柄プロセスフラグ、払出コマンド格納ポインタ、賞球中フラグ、球切れフラグ、払出停止フラグなど制御状態に応じて選択的に処理を行うためのフラグ）に初期値を設定する作業領域設定処理を行う（ステップＳ１２）。さらに、サブ基板（この実施の形態では払出制御基板３７および演出制御基板８０）を初期化するための初期化コマンドを各サブ基板に送信する処理を実行する（ステップＳ１３）。初期化コマンドとして、可変表示装置９ａ，９ｂに表示される飾り図柄の初期図柄を示すコマンド（演出制御基板８０に対して）や賞球ＬＥＤ５１および球切れＬＥＤ５２の消灯を指示するコマンド等がある。
【００９０】
そして、２ｍｓ毎に定期的にタイマ割込がかかるように遊技制御用マイクロコンピュータ６０に設けられているＣＴＣのレジスタの設定が行われる（ステップＳ１４）。すなわち、初期値として２ｍｓに相当する値が所定のレジスタ（時間定数レジスタ）に設定される。
【００９１】
初期化処理の実行（ステップＳ１１〜Ｓ１４）が完了すると、メイン処理で、表示用乱数更新処理（ステップＳ１７）および初期値用乱数更新処理（ステップＳ１８）が繰り返し実行される。表示用乱数更新処理および初期値用乱数更新処理が実行されるときには割込禁止状態とされ（ステップＳ１６）、表示用乱数更新処理および初期値用乱数更新処理の実行が終了すると割込許可状態とされる（ステップＳ１９）。表示用乱数とは、特別図柄表示器８ａ，８ｂに表示される図柄を決定するための乱数であり、表示用乱数更新処理とは、表示用乱数を発生するためのカウンタのカウント値を更新する処理である。また、初期値用乱数更新処理とは、初期値用乱数を発生するためのカウンタのカウント値を更新する処理である。初期値用乱数とは、大当りとするか否かを決定するための乱数を発生するためのカウンタ（大当り決定用乱数発生カウンタ）等の、カウント値の初期値を決定するための乱数である。後述する遊技制御処理において、大当り決定用乱数発生カウンタのカウント値が１周すると、そのカウンタに初期値が設定される。
【００９２】
なお、表示用乱数更新処理および初期値用乱数更新処理が実行されるときには割込禁止状態とされるのは、表示用乱数更新処理および初期値用乱数更新処理が後述するタイマ割込処理でも実行されることから、タイマ割込処理における処理と競合してしまうのを避けるためである。すなわち、ステップＳ１７やステップＳ１８の処理中にタイマ割込が発生してタイマ割込処理中で表示用乱数を発生するためのカウンタのカウント値や初期値用乱数を発生するためのカウンタのカウント値を更新してしまったのでは、カウント値の連続性が損なわれる場合がある。しかし、ステップＳ１７およびステップＳ１８の処理中では割込禁止状態にしておけば、そのような不都合が生ずることはない。
【００９３】
タイマ割込が発生すると、遊技制御用マイクロコンピュータ６０は、まず、レジスタの退避処理を行う（ステップＳ２０ａ）。次いで、電源断信号が出力されたか否か（オン状態になったか否か）を検出する電源断処理（電源断検出処理）を実行した後（ステップＳ２０ｂ）、図７に示すステップＳ２１〜Ｓ３７の遊技制御処理を実行する。遊技制御処理において、遊技制御用マイクロコンピュータ６０は、まず、スイッチ回路５８を介して、ゲートスイッチ３２ａ、始動口スイッチ１４ａ，１４ｂ、カウントスイッチ２３ａ，２３ｂ等のスイッチの検出信号を入力し、それらの状態判定を行う（スイッチ処理：ステップＳ２１）。
【００９４】
次に、遊技制御用マイクロコンピュータ６０は、特別図柄表示器８ａ，８ｂ、普通図柄表示器１０、および普通図柄始動記憶表示器４１の表示制御を行う表示制御処理を実行する（ステップＳ２２）。表示制御処理では、ステップＳ３４〜Ｓ３７にて設定された出力バッファの内容に応じて各表示器に対して駆動信号を出力する制御が実行される。
【００９５】
次に、遊技制御用マイクロコンピュータ６０は、初期値用乱数を生成するためのカウンタのカウント値を更新する処理および表示用乱数を生成するためのカウンタのカウント値を更新する処理を行う（ステップＳ２３，Ｓ２４）。
【００９６】
また、遊技制御用マイクロコンピュータ６０は、第１特別図柄プロセス処理を行う（ステップＳ２５）。第１特別図柄プロセス処理では、遊技状態に応じてパチンコ遊技機１を所定の順序で制御するための第１特別図柄プロセスフラグに従って該当する処理が選び出されて実行される。そして、第１特別図柄プロセスフラグの値は、遊技状態に応じて各処理中に更新される。
【００９７】
さらに、遊技制御用マイクロコンピュータ６０は、遊技制御に用いられる大当り判定用の乱数等の各判定用乱数を生成するための各カウンタのカウント値を更新する処理を行う（ステップＳ２６）。
【００９８】
図８は、各乱数を示す説明図である。各乱数を示す説明図である。各乱数は、以下のように使用される。
（１）ランダム１：大当りを発生させるか否か決定する（大当り判定用）
（２）ランダム２：特別図柄のはずれ図柄（例えば左右図柄が異なる図柄）を決定する（特別図柄判定用）
（３）ランダム３：大当りを発生させる特別図柄を決定する（大当り図柄決定用）
（４）ランダム４：特別図柄の変動パターンを決定する（変動パターン決定用）
（５）ランダム５：大当りを発生させない場合にリーチとするか否か（本例では、飾り図柄でリーチ演出を実行するか否か）を決定する（リーチ判定用）
（６）ランダム６：普通図柄にもとづく当りを発生させるか否か決定する（普通図柄当り判定用）
（７）ランダム７：ランダム１の初期値を決定する（ランダム１初期値決定用）
（８）ランダム８：ランダム６の初期値を決定する（ランダム６初期値決定用）
（９）ランダム９：確変状態を終了させるか否かを決定する（抽選判定用）。ランダム９は０〜４９の範囲の値をとる。
【００９９】
図７に示された遊技制御処理におけるステップＳ２３では、遊技制御用マイクロコンピュータ６０は、（１）の大当り判定用乱数、（３）の大当り図柄決定用乱数、および（６）の普通図柄当り判定用乱数を生成するためのカウンタのカウントアップ（１加算）を行う。すなわち、それらが判定用乱数であり、それら以外の乱数が表示用乱数または初期値用乱数である。なお、遊技効果を高めるために、上記（１）〜（９）の乱数以外の乱数も用いられている。
【０１００】
次いで、遊技制御用マイクロコンピュータ６０は、第２特別図柄プロセス処理を行う（ステップＳ２７）。第２特別図柄プロセス処理では、遊技状態に応じてパチンコ遊技機１を所定の順序で制御するための第２特別図柄プロセスフラグに従って該当する処理が選び出されて実行される。そして、第２特別図柄プロセスフラグの値は、遊技状態に応じて各処理中に更新される。
【０１０１】
また、遊技制御用マイクロコンピュータ６０は、普通図柄プロセス処理を行う（ステップＳ２８）。普通図柄プロセス処理では、普通図柄表示器１０の表示状態を所定の順序で制御するための普通図柄プロセスフラグに従って該当する処理が選び出されて実行される。そして、普通図柄プロセスフラグの値は、遊技状態に応じて各処理中に更新される。
【０１０２】
次いで、遊技制御用マイクロコンピュータ６０は、飾り図柄に関する演出制御コマンドをＲＡＭ５５の所定の領域に設定して演出制御コマンドを送出する処理を行う（飾り図柄コマンド制御処理：ステップＳ２９）。
【０１０３】
さらに、遊技制御用マイクロコンピュータ６０は、例えばホール管理用コンピュータに供給される大当り情報、始動情報、確率変動情報などのデータを出力する情報出力処理を行う（ステップＳ３０）。
【０１０４】
また、遊技制御用マイクロコンピュータ６０は、入賞口スイッチの検出信号にもとづく賞球個数の設定などを行う賞球処理を実行する（ステップＳ３１）。具体的には、入賞口スイッチ（賞球払い出しの条件とされている始動口スイッチ１４ａ，１４ｂなどの各スイッチ）の何れかがオンしたことにもとづく入賞検出に応じて、払出制御基板３７に賞球個数を示す払出制御コマンドを出力する。払出制御基板３７に搭載されている払出制御用マイクロコンピュータは、賞球個数を示す払出制御コマンドに応じて球払出装置９７を駆動する。
【０１０５】
そして、遊技制御用マイクロコンピュータ６０は、遊技機の制御状態を遊技機外部で確認できるようにするための試験信号を出力する処理である試験端子処理を実行する（ステップＳ３２）。さらに、所定の条件が成立したときにソレノイド回路５９に駆動指令を行う（ステップＳ３３）。可変入賞球装置１５または開閉板２０ａ，２０ｂを開状態または閉状態としたり、大入賞口内の遊技球通路を切り替えたりするために、ソレノイド回路５９は、駆動指令に応じてソレノイド１６，２１ａ，２１ｂ，２４ａ，２４ｂを駆動する。
【０１０６】
また、遊技制御用マイクロコンピュータ６０は、普通図柄の始動入賞記憶数の記憶状態に応じた普通図柄保留記憶数データを普通図柄保留記憶数データ設定用の出力バッファに設定するとともに、特別図柄の始動入賞記憶数の記憶状態に応じた特別図柄保留記憶数データを特別図柄保留記憶数データ設定用の出力バッファに設定する（記憶処理：ステップＳ３４）。なお、ここで出力バッファに設定された保留記憶数データに応じて、ステップＳ２２にて駆動信号が出力されることで、普通図柄始動記憶表示器４１および特別図柄始動記憶表示器１８の点灯／消灯制御が実行される。
【０１０７】
また、遊技制御用マイクロコンピュータ６０は、第１特別図柄プロセスフラグの値に応じて第１特別図柄の演出表示を行うための第１特別図柄表示制御データを第１特別図柄表示制御データ設定用の出力バッファに設定するとともに、第２特別図柄プロセスフラグの値に応じて第２特別図柄の演出表示を行うための第２特別図柄表示制御データを第２特別図柄表示制御データ設定用の出力バッファに設定する特別図柄表示制御処理を行う（ステップＳ３５）。なお、ここで出力バッファに設定された表示制御データに応じて、ステップＳ２２にて駆動信号が出力されることで、特別図柄表示器８ａ，８ｂでの特別図柄の演出表示が実行される。
【０１０８】
さらに、遊技制御用マイクロコンピュータ６０は、普通図柄プロセスフラグの値に応じて普通図柄の演出表示を行うための普通図柄表示制御データを普通図柄表示制御データ設定用の出力バッファに設定する普通図柄表示制御処理を行う（ステップＳ３６）。なお、ここで出力バッファに設定された表示制御データに応じて、ステップＳ２２にて駆動信号が出力されることで、普通図柄表示器１０での普通図柄の演出表示が実行される。
【０１０９】
その後、レジスタの内容を復帰させ（ステップＳ３７）、割込許可状態に設定する（ステップＳ３８）。
【０１１０】
以上の制御によって、この実施の形態では、遊技制御処理は２ｍｓ毎に起動されることになる。なお、この実施の形態では、タイマ割込処理で遊技制御処理が実行されているが、タイマ割込処理では例えば割込が発生したことを示すフラグのセットのみがなされ、遊技制御処理はメイン処理において実行されるようにしてもよい。
【０１１１】
上述したようにこの実施の形態では、２つの特別図柄表示器８ａ，８ｂによって、それぞれ、第１特別図柄の変動表示が実行されるとともに第２特別図柄の変動表示が実行される。そして、特別図柄表示器８ａ，８ｂのいずれかで特定表示結果が導出表示されたときに大当り遊技状態に移行する制御が実行される。このような複数の特別図柄表示器８ａ，８ｂを備えてそれぞれの特別図柄表示器８ａ，８ｂにて特別図柄の変動表示を行う遊技機では同時に大当りが発生する虞がある。ゆえに、この実施の形態では、２つの特別図柄表示器８ａ，８ｂにて同時に大当り遊技状態が発生しないような制御を行っている。以下、これらの制御について説明する。なお、以下の説明においては特別図柄表示器８ａを制御する処理について説明するが、特別図柄表示器８ｂを制御する処理も同様の制御が実行される。特別図柄表示器８ａを制御する処理において特別図柄表示器８ｂの表示制御状態にもとづく処理（例えば第２大当り実行中フラグの状態にもとづく処理）を行う部分については、特別図柄表示器８ｂを制御する処理に適用した場合、特別図柄表示器８ａの表示制御状態にもとづく処理（例えば第１大当り実行中フラグの状態にもとづく処理）を行うことになる。
【０１１２】
図９は、この実施の形態で用いられる特別図柄の停止図柄と、大当り／はずれの何れであるかおよび制御される遊技状態との関係を示す説明図である。図９に示す例では、特別図柄が１または５で停止すると、大当り遊技終了後に、遊技状態（遊技機の制御状態）が確変状態に移行する。また、９で停止すると、大当り遊技終了後に、遊技状態が時短状態に移行する。そして、３または７で停止すると、大当り遊技終了後に、遊技状態が確変状態および時短状態に移行する。ただし、その場合には、確変状態が優先され、確変状態の終了時に時短状態に移行される。
【０１１３】
また、特別図柄が０、２、４、６または８で停止すると、大当り遊技は実行されるが、大当り遊技終了後の遊技状態は通常状態となる。さらに、特別図柄が「−」で停止すると、大当り遊技が実行されることなく、遊技状態は維持される。
【０１１４】
確変状態では、特別図柄の表示結果（最終停止図柄、単に停止図柄ともいう。）が大当り図柄となる確率が、確変状態でない状態（低確率状態）に比べて高められる。このことを、以下、「確変状態では高確率で当り／はずれが判定される」と表現することがある。この実施の形態では、確変状態では大当り図柄となる確率が５倍に高められているとする。
【０１１５】
また、確変状態が終了すると、特別図柄変動時間短縮状態（時短状態）に移行するように制御されることがある。時短状態では、特別図柄の変動時間（可変表示期間）が、時短状態でない場合に比べて短縮される。なお、短縮の態様（各変動パターンについてどの程度短くするのか、どの変動パターンを短くするのか等）は、確変状態（確変時短状態を含む。）における態様と同一でもよい。時短状態は、所定回（例えば１００回）の特別図柄の変動が終了するまで、または、大当りが発生するまで継続する。なお、所定回を抽選によって複数種類のうちから選択してもよい。時短状態では、特別図柄の変動時間が短縮されるので、特別図柄の変動が開始される頻度が高くなり（換言すれば、保留記憶の消化が速くなる。）、結果として、大当り遊技が行われる可能性が高まる。
【０１１６】
なお、有利状態は、確変状態（特定有利状態）と時短状態（特別有利状態）とを含み、有利状態でない遊技状態（遊技機の状態）が通常状態である。また、高確率状態は確変状態であり、低確率状態は、時短状態と通常状態とを含む。
【０１１７】
図１０は、遊技制御用マイクロコンピュータ６０が実行する第１特別図柄プロセス処理のプログラムの一例を示すフローチャートである。図１０に示す特別図柄プロセス処理は、図７のフローチャートにおけるステップＳ２５の具体的な処理である。遊技制御用マイクロコンピュータ６０は、第１特別図柄プロセス処理を行う際に、変動短縮タイマ減算処理（ステップＳ３１０）を行い、遊技盤６に設けられている始動入賞口１３ａに遊技球が入賞したことを検出するための始動口スイッチ１４ａがオンしていたら、すなわち遊技球が始動入賞口１３ａに入賞する始動入賞が発生していたら（ステップＳ３１１）、始動口スイッチ通過処理（ステップＳ３１２）を行った後に、内部状態に応じて、ステップＳ３００〜Ｓ３０８のうちのいずれかの処理を行う。変動短縮タイマは、特別図柄の変動時間が短縮される場合に、変動時間を設定するためのタイマである。
【０１１８】
第１特別図柄通常処理（ステップＳ３００）：第１特別図柄の可変表示を開始できる状態になるのを待つ。第１特別図柄の可変表示が開始できる状態になると、第１特別図柄についての始動入賞記憶数を確認する。始動入賞記憶数が０でなければ、第１特別図柄の可変表示の結果を大当りとするか否か決定する。そして、内部状態（第１特別図柄プロセスフラグ）をステップＳ３０１に移行するように更新する。
【０１１９】
第１特別図柄停止図柄設定処理（ステップＳ３０１）：第１特別図柄の可変表示後の停止図柄を決定する。そして、内部状態（第１特別図柄プロセスフラグ）をステップＳ３０２に移行するように更新する。
【０１２０】
変動時間設定処理（ステップＳ３０２）：ランダム４の値に応じて変動パターンを決定し、その変動パターンにおける変動時間（可変表示時間：可変表示を開始してから表示結果が導出表示（停止表示）するまでの時間）を第１特別図柄の可変表示の変動時間とすることに決定する。また、決定した第１特別図柄の変動時間を計測する第１変動時間タイマをスタートさせる。そして、内部状態（第１特別図柄プロセスフラグ）をステップＳ３０３に移行するように更新する。
【０１２１】
第１特別図柄変動処理（ステップＳ３０３）：第１特別図柄の変動表示を開始したあと、第２特別図柄が大当り図柄となったことにもとづく大当り遊技（第２大当り遊技）が開始されたか否か監視する処理を行う。具体的には、後述する第２大当り実行中フラグの状態を監視する。第２大当り遊技が開始された場合には、第１特別図柄の変動時間（ステップＳ３０２の第１変動時間タイマで示された時間）の計測を中断し、第２大当り遊技が終了したあと再開する。そして、第１特別図柄の変動時間が経過すると、内部状態（特別図柄プロセスフラグ）をステップＳ３０４に移行するように更新する。
【０１２２】
第１特別図柄停止処理（ステップＳ３０４）：演出制御基板８０に対して、第１飾り図柄の停止を指示するための第１飾り図柄停止コマンドを送信する。また、特別図柄表示器８ａにおける第１特別図柄を停止させる。そして、第１特別図柄の停止図柄が大当り図柄である場合には、内部状態（第１特別図柄プロセスフラグ）をステップＳ３０５に移行するように更新する。そうでない場合には、内部状態をステップＳ３００に移行するように更新する。なお、第１飾り図柄停止コマンドを送信しない構成としてもよい。この場合、演出制御基板８０は、主基板３１からの変動パターンコマンドにもとづいて第１変動時間タイマに変動時間を設定するとともに、その第１変動時間タイマを更新していくことで第１飾り図柄の変動時間を独自に監視し、その変動時間が経過したと判定したときに第１飾り図柄を停止する処理を行うようにすればよい。
【０１２３】
大入賞口開放前処理（ステップＳ３０５）：大入賞口を開放する制御を開始する。具体的には、カウンタやフラグを初期化するとともに、ソレノイド２１ａを駆動して大入賞口を開放する。また、プロセスタイマによって大入賞口開放中処理の実行時間を設定し、第１大当り中フラグをセットする。そして、内部状態（第１特別図柄プロセスフラグ）をステップＳ３０６に移行するように更新する。
【０１２４】
大入賞口開放中処理（ステップＳ３０６）：大入賞口ラウンド表示の演出制御コマンドを演出制御基板８０に送出する制御や大入賞口の閉成条件の成立を確認する処理等を行う。大入賞口の閉成条件が成立したら、内部状態をステップＳ３０７に移行するように更新する。
【０１２５】
特定領域有効時間処理（ステップＳ３０７）：Ｖ入賞スイッチ２２ａの通過の有無を監視して、大当り遊技状態継続条件の成立を確認する処理を行う。大当り遊技状態継続の条件が成立し、かつ、まだ残りラウンドがある場合には、内部状態をステップＳ３０５に移行するように更新する。また、所定の有効時間内に大当り遊技状態継続条件が成立しなかった場合、または、全てのラウンドを終えた場合には、内部状態をステップＳ３０８に移行するように更新する。
【０１２６】
大当り終了処理（ステップＳ３０８）：大当り遊技状態が終了したことを遊技者に報知する表示制御を演出制御手段に行わせるための制御を行う。そして、内部状態をステップＳ３００に移行するように更新する。
【０１２７】
図１１は、この実施の形態で用いられる変動パターンの一例を示す説明図である。図１１において、「ＥＸＴ」とは、２バイト構成の演出制御コマンドにおける２バイト目のＥＸＴデータを示す。また、「時間」は特別図柄の変動時間（識別情報の可変表示期間）を示す。
【０１２８】
図１１に示されている変動パターンは、第１特別図柄の変動パターンおよび第２特別図柄の変動パターンとして共通に用いられる。第１特別図柄の変動パターンであるか第２特別図柄の変動パターンであるかは２バイト構成の演出制御コマンドにおける１バイト目のＭＯＤＥデータによって区別される。
【０１２９】
この例では、特別図柄の各変動パターンは、はずれとするか否か、確変大当りとするか否か、非確変大当りとするか否か、リーチとするか否か、リーチとする場合のリーチ態様、予告演出を行うか否か、予告演出を行う場合の演出態様、短縮変動とするか否かなど、各種の演出態様の違いに応じて複数種類用意されている。なお、本例では、リーチ演出、および予告演出は、飾り図柄の変動表示を行う可変表示装置９ａ，９ｂを用いて行う。また、予告演出を行う場合の演出態様を演出制御基板８０で決定するようにしてもよい。この場合、さらに、予告演出を行うか否かについても、演出制御基板８０で決定するようにしてもよい。
【０１３０】
なお、「通常変動」とは、リーチ態様を伴わない変動パターンである。「ノーマルリーチ」とは、リーチ態様を伴う変動パターンである。「リーチＡ」は、「ノーマルリーチ」とは異なるリーチ態様を持つ変動パターンである。また、リーチ態様が異なるとは、リーチ変動時間において異なった態様の変動態様（速度や回転方向等）やキャラクタ等が現れることをいう。例えば、「ノーマル」では単に１種類の変動態様によってリーチ態様が実現されるのに対して、「リーチＡ」では、変動速度や変動方向が異なる複数の変動態様を含むリーチ態様が実現される。
【０１３１】
また、「リーチＢ」は、「ノーマルリーチ」および「リーチＡ」とは異なるリーチ態様を持つ変動パターンである。なお、「ノーマルリーチ」、「リーチＡ」および「リーチＢ」では、大当りとなる場合と大当りとならない場合とがある。なお、図１１では、「ノーマルリーチ」については大当りとならない場合のみ明示されている。
【０１３２】
また、「予告１」は、あらかじめ定められた予告演出態様を持つ変動パターンである。なお、簡単のため、予告演出態様を示す変動パターンを１種類例示しているが、実際には複数種類の変動パターンが設定されている。さらに、「短縮変動」は、識別情報の変動時間が極めて短い変動パターンである。「短縮リーチ変動」は、表示結果はリーチ状態となるが、リーチ演出を行わず識別情報の変動時間が極めて短い変動パターンである。なお、変動パターン１１は、リーチが成立するまで短縮変動を行い、「リーチＡ」の演出を行ったあと、大当りとなる変動パターンである。また、変動パターン１２は、短縮リーチ変動を行ったあと、時短大当りとなる変動パターンである。
【０１３３】
なお、図１１には示されていないが、リーチ演出以外にも、再変動演出の有無など、他の特定演出の実行の有無を含む変動パターンが含まれていてもよい。また、図１１には、変動パターンの一部が例示されているが、実際には、リーチ態様や表示結果などの様々な組み合わせの変動パターンが用意されている。
【０１３４】
図１２は第１始動口スイッチ通過処理（ステップＳ３１２）を示すフローチャートである。第１始動口スイッチ通過処理において、遊技制御用マイクロコンピュータ６０は、第１始動入賞記憶数が最大値である４に達しているかどうか確認する（ステップＳ１１１）。第１始動入賞記憶数が４に達していなければ、第１始動入賞記憶数を１増やし（ステップＳ１１２）、大当り判定用乱数等の各乱数の値を抽出し、それらを第１始動入賞記憶数の値に対応した保存領域（第１特別図柄判定用バッファ）に格納する（ステップＳ１１３）。なお、乱数を抽出するとは、乱数を生成させるためのカウンタからカウント値を読み出して、読み出したカウント値を乱数値とすることである。ステップＳ１１３では、図８に示された乱数のうち、ランダム１〜ランダム５，ランダム９が抽出される。
【０１３５】
そして、遊技制御用マイクロコンピュータ６０は、変動時間を短縮するか否かの判定を行うための変動時間短縮判定時間を変動短縮タイマにセットする（ステップＳ１１９）。なお、上述したように、ここでセットされた変動短縮タイマはステップＳ３１０にて減算される。
【０１３６】
図１３は、第１特別図柄プロセス処理における第１特別図柄通常処理（ステップＳ３００）の例を示すフローチャートである。第１特別図柄通常処理において、遊技制御用マイクロコンピュータ６０は、第２大当り実行中フラグがセットされておらず（ステップＳ５０）、かつ、第１特別図柄の変動を開始することができる状態（例えば第１特別図柄プロセスフラグの値がステップＳ３００を示す値となっている場合）であれば（ステップＳ５１）、第１始動入賞記憶数の値を確認する（ステップＳ５２）。具体的には、第１始動入賞カウンタのカウント値を確認する。第１始動入賞カウンタは、ＲＡＭ５５の所定の領域に保存されている。
【０１３７】
なお、第２大当り実行中フラグは、特別図柄表示器８ｂにおいて第２特別図柄の可変表示結果が大当り表示結果となったことにより発生した大当り（第２大当り）にもとづく大当り遊技（第２大当り遊技）が開始するときにセットされ、その第２大当り遊技が終了したときにリセットされるフラグである。
【０１３８】
また、第１特別図柄プロセスフラグの値がステップＳ３００を示す値となっている場合とは、特別図柄表示器８ａにおいて第１特別図柄の変動がなされておらず、かつ、第１特別図柄の可変表示結果が大当り表示結果となったことにより発生した大当り（第１大当り）にもとづく大当り遊技（第１大当り遊技）の実行中でもない場合である。
【０１３９】
第１始動入賞記憶数が０であれば、遊技制御用マイクロコンピュータ６０は、第１デモ表示フラグがセットされているか否かを確認する（ステップＳ７２）。第１デモ表示フラグがセットされていなければ、遊技制御用マイクロコンピュータ６０は、第１デモ表示フラグをセットするとともに（ステップＳ７３）、第１デモコマンド（第１デモンストレーション表示コマンド）を演出制御基板８０に対して送信する（ステップＳ７４）。
【０１４０】
第１デモ表示フラグは、第１デモンストレーション表示コマンドを送信するか否かを判定するためのフラグであり、遊技機への電力供給の開始時（初期状態）ではリセット状態とされている。
【０１４１】
第１始動入賞記憶数が０でなければ、遊技制御用マイクロコンピュータ６０は、第１始動入賞記憶数＝１に対応する保存領域に格納されている各乱数値を読み出してＲＡＭ５５の第１乱数バッファ領域に格納するとともに（ステップＳ５３）、第１始動入賞記憶数の値を１減らし、かつ、各保存領域の内容をシフトする（ステップＳ５４）。すなわち、第１始動入賞記憶数＝ｎ（ｎ＝２，３，４）に対応する保存領域に格納されている各乱数値を、第１始動入賞記憶数＝ｎ−１に対応する保存領域に格納する。よって、各第１始動入賞記憶数に対応するそれぞれの保存領域に格納されている各乱数値が抽出された順番は、常に、第１始動入賞記憶数＝１，２，３，４の順番と一致するようになっている。すなわち、この例では、可変表示の開始条件が成立する毎に、各保存領域の内容をシフトする構成としているので、各乱数値が抽出された順番を特定することができる。なお、本例では、第１始動入賞記憶数に対応するそれぞれの保存領域に格納されている各乱数値と、第２始動入賞記憶数に対応するそれぞれの保存領域に格納されている各乱数値とが抽出された順番についても特定可能に保存される。
【０１４２】
次いで、遊技制御用マイクロコンピュータ６０は、遊技状態が確変時短状態である場合には（ステップＳ５５）、時短回数カウンタが０でなければ１減算する（ステップＳ５６）。遊技状態が確変時短状態でない場合には、ステップＳ５７に移行する。なお、確変時短状態であるか否かは、確変時短状態となったときにセットされ、確変時短状態が終了したときにリセットされる確変時短フラグの状態によって判定される。なお、確変時短フラグは、ＲＡＭ５５の所定の領域に格納されている。
【０１４３】
次いで、遊技制御用マイクロコンピュータ６０は、遊技状態が確変状態または確変時短状態である場合には（ステップＳ５７）、ステップＳ６７，Ｓ６８の大当り判定を実行する前に、確変終了とするか否かの判定を抽選により行う（ステップＳ５８〜Ｓ５９）。遊技状態が確変状態でない場合には、ステップＳ６７に移行する。なお、本例では、確変終了とするか否かの判定は、可変表示が所定回数（例えば５回）実行される毎に実行される。すなわち、例えば５回毎に抽選判定を行う場合には、確変状態に移行したあと、確変状態が終了するまで、５回目、１０回目、１５回目、・・・の可変表示を実行する際に抽選判定（ステップＳ５８〜Ｓ５９の処理）が実行される。
【０１４４】
確変状態であるか否かは、確変状態または確変時短状態となったときにセットされ、確変状態でも確変時短状態でもなくなったときにリセットされる確変フラグの状態によって判定される。なお、確変フラグは、ＲＡＭ５５の所定の領域に格納されている。
【０１４５】
確変状態である場合には（ステップＳ５７）、遊技制御用マイクロコンピュータ６０は、抽選判定用乱数（確変終了判定用乱数：ランダム９）を保存領域から読み出して（ステップＳ５８）、読み出したランダム９の値が、確変終了値と一致するか否か判定し（ステップＳ５９）、一致する場合には、遊技状態を非確変状態に変更して確変状態（確変時短状態を含む。）を終了させる（ステップＳ６０）。
【０１４６】
そして、時短回数カウンタが０でない場合には（ステップＳ６２）、遊技状態が時短状態に移行されることになるため、確変状態が終了したことを示す確変終了指定の演出制御コマンドを演出制御基板８０に送信する制御を行う（ステップＳ６３）。
【０１４７】
また、時短回数カウンタが０（なお、確変時短状態ではない単なる確変状態であったときにも時短回数カウンタの値は０である）であれば、時短フラグがセットされていればその時短フラグをリセットする（ステップＳ６４）。
【０１４８】
本例では、時短状態であるか否かは、時短状態または確変時短状態となったときにセットされ、時短状態でも確変時短状態でもなくなったときにリセットされる時短フラグの状態によって判定される。なお、時短フラグは、ＲＡＭ５５の所定の領域に格納されている。
【０１４９】
従って、ランダム９の値にもとづいて確変状態が終了したときに、ステップＳ６８の大当り判定において低確率状態にもとづく抽選が実行される。
【０１５０】
一方、ステップＳ５８にて読み出したランダム９の値が、確変終了値と一致しない場合には（ステップＳ５９）、遊技制御用マイクロコンピュータ６０は、第１乱数格納バッファから大当り判定用乱数を読み出し（ステップＳ６７）、大当り判定モジュールを実行する（ステップＳ６８）。大当り判定モジュールは、大当り判定用乱数が、あらかじめ決められている大当り判定値と一致したら大当りとすることに決定するプログラムである。大当りとすることに決定した場合には（ステップＳ６９）、遊技制御用マイクロコンピュータ６０は、大当りフラグをセットする（ステップＳ７０）。なお、はずれとすることに決定した場合には、リーチ判定モジュールを実行してリーチとするか否かを決定する。「大当りフラグ」は、後述するステップＳ７５などにおいて参照される。
【０１５１】
そして、第１特別図柄プロセスフラグの値を第１特別図柄停止図柄設定処理に対応した値に更新する（ステップＳ７１）。
【０１５２】
なお、ステップＳ６８では、制御状態が確変状態であるか否かを加味して、確変時の大当り確率または非確変時の大当り確率で判定を行う。すなわち、制御状態が確変状態であるか否かを確変フラグによって確認し、確変状態であれば確変時の大当り確率で判定を行い、非確変状態であれば非確変時の大当り確率で判定を行う。
【０１５３】
なお、本例では、確変終了とするか否かの判定を抽選によって行うようにしていたが、確変終了とするか否かの判定を行わないようにしてもよい。すなわち、パンクによって確変状態が終了することのないようにしてもよい。この場合、上述した第１特別図柄通常処理において、ステップＳ５７〜Ｓ６４を実行しないようにすればよい。
【０１５４】
図１４は、第１特別図柄プロセス処理における第１特別図柄停止図柄設定処理（ステップＳ３０１）の例を示すフローチャートである。第１特別図柄停止図柄設定処理において、遊技制御用マイクロコンピュータ６０は、大当りの有無の決定結果に応じて、第１特別図柄の停止図柄を決定する。具体的には、ステップＳ６８にて大当りとすることに決定されている場合には（ステップＳ７５のＹ）、乱数格納バッファに格納されている大当り図柄決定用乱数（ランダム３）の値に従って大当り図柄を決定する（ステップＳ７６）。大当り図柄を決定することによって、通常大当りか、確変大当りか、時短大当りか、確変時短大当りかが決定される。また、ステップＳ６８にてはずれとすることに決定されている場合には（ステップＳ７５のＮ）、乱数格納バッファに格納されているはずれ図柄決定用乱数（ランダム２）の値に従ってはずれ図柄を決定する（ステップＳ７７）。そして、遊技制御用マイクロコンピュータ６０は、第１特別図柄プロセスフラグの値を変動時間設定処理に対応した値に更新する（ステップＳ７８）。
【０１５５】
図１５は、第１特別図柄プロセス処理における変動時間設定処理（ステップＳ３０２）の例を示すフローチャートである。変動時間設定処理において、遊技制御用マイクロコンピュータ６０は、時短フラグがセットされていれば（ステップＳ８１）、時短回数カウンタの値を−１する（ステップＳ８２）。時短回数カウンタの値が０になった場合には（ステップＳ８３）、時短フラグをリセットする（ステップＳ８４）。
【０１５６】
次いで、遊技制御用マイクロコンピュータ６０は、確変フラグ、時短フラグ、または確変時短フラグがセットされていれば（ステップＳ８５）、今回の可変表示の表示結果が通常大当り（非確変かつ非時短大当り：確変状態や時短状態の終了条件を満たすこととなる大当り）であれば（ステップＳ８６）、確変フラグ、時短フラグ、および確変時短フラグのうちセットされているフラグを全てリセットする（ステップＳ８７）。
【０１５７】
また、遊技制御用マイクロコンピュータ６０は、確変フラグ、時短フラグ、または確変時短フラグがセットされている場合に（ステップＳ８５）、今回の可変表示の表示結果が時短大当り（非確変かつ時短大当り：確変状態であればその終了条件を満たし時短状態に変更することとなり、時短状態であれば制御状態が維持されることとなる大当り）であれば（ステップＳ８８）、時短フラグをセットするとともに、時短回数カウンタに初期値（例えば「１００」）をセットし、さらに、確変フラグと確変時短フラグがセットされていればリセットする（ステップＳ８９）。このように、本例では、確変状態であるときに時短大当りが発生した場合には、表示結果が時短大当り図柄となる変動表示が開始される前に、遊技状態が確変状態から時短状態に変更されるとともに、時短回数カウンタに初期値がセットされる。また、確変時短状態であるときに時短大当りが発生した場合には、表示結果が時短大当り図柄となる変動表示が開始される前に、遊技状態が確変状態から時短状態に変更されるとともに、時短回数カウンタに初期値がセットされる。また、時短状態であるときに時短大当りが発生した場合には、表示結果が時短大当り図柄となる変動表示が開始される前に、遊技状態を変更することなく、時短回数カウンタに初期値がセットされる。
【０１５８】
次に、遊技制御用マイクロコンピュータ６０は、ステップＳ６８での大当りの有無やリーチの有無の決定結果と、第１特別図柄判定用バッファに格納されている変動パターン決定用乱数（ランダム４）とにもとづいて、図１１に示した変動パターンのいずれとするのかを決定する（ステップＳ９０）。本例では、変動パターンを決定することによって、第１特別図柄の変動時間が決定される。なお、変動時間を決定したあと、決定した変動時間が設定されている変動パターンを複数の変動パターンの中から選択するようにしてもよい。
【０１５９】
本例では、ステップＳ９０では、第２大当り変動フラグがセットされているか否か確認し、セットされていれば、今回の第１特別図柄の変動表示結果が大当りとなる場合を除き、予告演出を行う変動パターンとすることに決定する。そして、あらかじめ用意されている複数種類の予告演出用の変動パターンの中から、使用する変動パターンを選択する（例えば、複数種類の予告演出用の変動パターンが設定された変動パターン決定用テーブルを用いて選択する）。
【０１６０】
なお、第２大当り変動フラグは、変動表示結果が大当り表示結果となる可変表示が第２特別図柄によって実行されているか否かを示すフラグである。すなわち、第２特別図柄によって変動表示結果が大当り表示結果となる可変表示が実行されているとき（第２大当り変動フラグがセットされているとき）は、第１特別図柄にて予告演出を行うことに決定される。上記のように他方の特別図柄の表示結果を一方の特別図柄に関わる変動表示演出によって予告するものに限らず、一方の特別図柄の表示結果をその一方の特別図柄に関わる変動表示演出にて予告する予告演出も行うようにしてもよい。このようにすれば、一方の特別図柄に関わる変動表示演出にて出現した予告演出が、一方の特別図柄の表示結果を予告するものであるのか、他方の特別図柄の表示結果を予告するものであるのか遊技者に特定されないようにすることができ、遊技の興趣を向上させることが可能となる。
【０１６１】
さらに、本例では、ステップＳ９０にて、予告演出を行うことに決定したときは、その変動パターン（予告演出が実行されたか否かを示す「実行データ」の一例）をＲＡＭ５５の所定領域（第１予告演出記憶領域）に記憶する。そして、ステップＳ８５にて、第２大当り変動フラグがセットされていれば、前回までの可変表示にて予告演出を行ったか否かを第１予告演出記憶領域の記憶状態にもとづき確認し、予告演出が行われていた場合には、前回までの予告演出に関連する予告演出（例えば、複数回の可変表示演出に亘って、段階的に派手な演出を行うようにしたり、出現キャラクタが進化する演出を行うようにすることが考えられる）を行うことに決定する。この場合、例えば、第１予告演出記憶領域に実行済みの予告演出についての変動パターンが記憶されているか否かや、記憶されている変動パターンの内容に応じて、異なる変動パターン決定用テーブルを用いることとし、前回までの予告演出に関連する予告演出を行う変動パターンが選択されるようにすればよい。このように、複数種類の予告演出が設定された複数の変動パターン決定用テーブルから実行データの内容に応じていずれかの変動パターン決定用テーブルを選択し、選択した変動パターン決定用テーブルを用いて予告演出を決定するようにすれば、複数回の可変表示演出に亘って関連性を持たせた予告演出を行うことが可能となる。
【０１６２】
なお、ステップＳ９０にて、第２大当り変動フラグがセットされていた場合に、前回までの予告演出に関連する予告演出として、前回実行された予告演出と同一の予告演出を行うことに決定するようにしてもよい。このように構成する場合、ステップＳ９０にて、第２大当り変動フラグがセットされていなかった場合に、前回実行された予告演出と異なる予告演出を行うことに決定するようにしてもよい。
【０１６３】
なお、遊技制御用マイクロコンピュータ６０は、ステップＳ９０にて、今回の第１特別図柄の変動表示結果が大当りとなるときは、第１予告演出記憶領域に予告演出を伴う変動パターン（すなわち、前回までの可変表示にて実行されていた予告演出の種類）が記憶されていれば、その記憶情報を消去する。すなわち、実行データを初期化する。また、遊技制御用マイクロコンピュータ６０は、変動表示結果が大当り表示結果となる第２特別図柄の変動表示を終了し、第２特別図柄にて大当り表示結果を導出表示したときにも、第１予告演出記憶領域に予告演出を伴う変動パターンが記憶されていれば、その記憶情報を消去する。
【０１６４】
変動パターンを決定すると、遊技制御用マイクロコンピュータ６０は、決定した変動パターン指定のコマンド送信テーブルのアドレスをポインタにセットし（ステップＳ９１ａ）、サブルーチンであるコマンドセット処理を実行する（ステップＳ９２ａ）。
【０１６５】
コマンドセット処理を実行することによって演出制御コマンドが演出制御基板８０に送信される。この実施の形態では、演出制御手段に送信されうる各演出制御コマンドはＲＯＭ５４のコマンド送信テーブルに格納されている。また、コマンドセット処理では、遊技制御用マイクロコンピュータ６０は、ポインタが示すＲＯＭ５４のアドレスに格納されている演出制御コマンドデータを、演出制御コマンドデータを出力するための出力ポートに設定するとともに、コマンドを送信することを示す演出制御ＩＮＴ信号を出力する。
【０１６６】
次いで、遊技制御用マイクロコンピュータ６０は、ステップＳ６９などで決定した第１特別図柄の表示結果（例えば、確変大当り、通常大当り、はずれなど）を示す表示結果指定のコマンド送信テーブルのアドレスをポインタにセットし（ステップＳ９１ｂ）、サブルーチンであるコマンドセット処理を実行する（ステップＳ９２ｂ）。なお、ここで送信される確変大当り、非確変大当り、はずれなどの表示結果を指定する演出制御コマンド（表示結果指定コマンド）に応じて、第１飾り図柄の具体的な停止図柄が演出制御基板８０にて決定される。
【０１６７】
また、ステップＳ９０にて第１特別図柄の変動時間を決定すると、遊技制御用マイクロコンピュータ６０は、決定した変動時間を示す変動時間データを第１特別図柄プロセスタイマに設定して変動時間の計測を開始するとともに（ステップＳ９３）、後述する計測実行フラグをセットし、特別図柄表示器８ａでの第１特別図柄の変動表示を開始する（ステップＳ９４）。さらに、遊技制御用マイクロコンピュータ６０は、開始した第１特別図柄の可変表示結果が大当り表示結果となる場合には（ステップＳ９５）、第１大当り変動フラグをセットする（ステップＳ９６）。第１大当り変動フラグは、変動表示結果が大当り表示結果となる可変表示が第１特別図柄によって実行されているか否かを示すフラグである。そして、遊技制御用マイクロコンピュータ６０は、第１特別図柄プロセスフラグの値を第１特別図柄変動処理に対応した値に更新する（ステップＳ９７）。
【０１６８】
図１６は、第１特別図柄プロセス処理における第１特別図柄変動処理（ステップＳ３０３）の例を示すフローチャートである。第１特別図柄変動処理において、遊技制御用マイクロコンピュータ６０は、第１特別図柄プロセスタイマを用いた第１特別図柄の変動時間の計測が実行されているか確認する（ステップＳ１２１）。この確認は、第１特別図柄の変動時間の計測が実行されているか否かを示す計測実行フラグがセットされているか否かによって行われる。
【０１６９】
第１特別図柄の変動時間の計測が実行されている場合には（中断されていない場合には）、遊技制御用マイクロコンピュータ６０は、第２大当り実行中フラグがセットされていれば、計測実行フラグをリセットして変動時間の計測を中断する（ステップＳ１２４，Ｓ１２５）。すなわち、計測実行フラグをリセット状態とし、後述するステップＳ３５ｃが実行されないようにする。
【０１７０】
一方、第１特別図柄の変動時間の計測が実行されていない場合には（中断されている場合には）、遊技制御用マイクロコンピュータ６０は、第２大当り実行中フラグがリセットされていれば、計測実行フラグをセットして変動時間の計測を再開する（ステップＳ１２２，Ｓ１２３）。すなわち、計測実行フラグをセット状態とし、後述するステップＳ３５ｃが実行されるようにする。
【０１７１】
後述するステップＳ３５ｃの実行によって第１特別図柄の変動時間が進行し、第１特別図柄プロセスタイマに設定された変動時間データが示す変動時間が経過したと判定（変動時間が終了したと判定）すると（ステップＳ１２６のＹ）、遊技制御用マイクロコンピュータ６０は、第１特別図柄プロセスフラグの値を第１特別図柄停止処理に対応した値に更新する（ステップＳ１２７）。
【０１７２】
図１７は、第１特別図柄プロセス処理における第１特別図柄停止処理（ステップＳ３０４）の例を示すフローチャートである。第１特別図柄停止処理において、遊技制御用マイクロコンピュータ６０は、後述する第１変動中フラグがセットされていれば（ステップＳ１３６）、遊技機への電力供給が再開されて計測が再開された第１特別図柄の変動時間が終了したことを意味するため、第１デモンストレーション表示コマンドを演出制御基板８０に送信するとともに（ステップＳ１３７）、第１デモ表示フラグをセットし、復旧した第１特別図柄の可変表示の停止図柄を表示する（ステップＳ１３８）。そして、ステップＳ１３３に移行する。
【０１７３】
第１変動中フラグがセットされていなければ、遊技制御用マイクロコンピュータ６０は、第１飾り図柄停止を示す演出制御コマンドを送信する処理を行う（ステップＳ１３１）。また、遊技制御用マイクロコンピュータ６０は、決定されている停止図柄で第１特別図柄を停止表示する（ステップＳ１３２）。
【０１７４】
次いで、遊技制御用マイクロコンピュータ６０は、停止図柄が大当り図柄であるか否か確認し（ステップＳ１３３）、大当り図柄であれば、第１大当り変動フラグをリセットする（ステップＳ１３４）。
【０１７５】
また、遊技制御用マイクロコンピュータ６０は、第１デモ表示フラグがセットされていればリセットする（ステップＳ１３９）。なお、ステップＳ１３７にて第１デモンストレーション表示コマンドを送信した直後は、ステップＳ１３９は実行されない。
【０１７６】
そして、遊技制御用マイクロコンピュータ６０は、第１特別図柄の変動の停止図柄が大当り図柄であった場合には内部状態（第１特別図柄プロセスフラグ）をステップＳ３０５に移行するように更新し、そうでない場合には内部状態をステップＳ３００に移行するように更新する（ステップＳ１３５）。
【０１７７】
なお、上記の例では、第１変動中フラグの状態を判定し、第１変動中フラグがセットされていれば第１デモンストレーション表示コマンドを演出制御基板８０に送信する構成としていたが、第１変動中フラグを用いないようにしてもよい。すなわち、ステップＳ１３６〜ステップＳ１３８を実行しないようにしてもよい。この場合、第１変動中フラグをセットするための後述するステップＳ２０５，Ｓ２０９も実行しないようにすればよい。このように構成しても、遊技機への電力供給が再開されて計測が再開された第１特別図柄の変動時間が終了したときにも、ステップＳ１３９にて第１デモ表示フラグがリセットされるので、その後の上述したステップＳ７２〜ステップＳ７４の処理によって第１デモンストレーションコマンドが送信されることになる。
【０１７８】
図１８は、大当り遊技が終了したときに実行される大当り終了処理（ステップＳ３０８）を示すフローチャートである。大当り終了処理において、遊技制御用マイクロコンピュータ６０は、大当り遊技の起因となった特別図柄の停止図柄（大当り図柄である）が確変時短図柄であったか否か確認する（ステップＳ１５１）。確変時短図柄であった場合には、確変フラグ、時短フラグ、および確変時短フラグをセットするとともに（ステップＳ１５２）、時短回数カウンタに所定値をセットする（ステップＳ１５３）。なお、この実施の形態では、時短回数カウンタには１００が設定される。また、遊技制御用マイクロコンピュータ６０は、演出制御基板８０に、大当り遊技状態の終了と、特別遊技状態（確変状態または時短状態）への移行とを通知するために、特定大当り終了表示指定の演出制御コマンドを送信する処理を行う（ステップＳ１５５）。そして、第１特別図柄プロセスフラグの値を、第１特別図柄通常処理（ステップＳ３００）に応じた値にする（ステップＳ１５６）。
【０１７９】
第１特別図柄の停止図柄が確変時短図柄でなかった場合には、第１特別図柄の停止図柄が確変図柄であったか否か確認する（ステップＳ１５７）。確変図柄であった場合には、確変フラグをセットする（ステップＳ１５８）。そして、ステップＳ１５５に移行する。
【０１８０】
第１特別図柄の停止図柄が確変図柄でなかった場合には、第１特別図柄の停止図柄が時短図柄であったか否か確認する（ステップＳ１６０）。時短図柄であった場合には、時短フラグをセットし（ステップＳ１６１）、さらに、時短回数カウンタに所定値をセットする（ステップ１６２）。そして、ステップＳ１５５に移行する。
【０１８１】
第１特別図柄の停止図柄が時短図柄でもなかった場合には、大当り遊技状態の終了を通知するために、非特定大当り終了表示指定の演出制御コマンドを送信する処理を行う（ステップＳ１６４）。そして、ステップＳ１５６に移行する。
【０１８２】
なお、この実施の形態では、ステップＳ１５３，Ｓ１６２にて時短回数カウンタに１００がセットされるようにしているが、時短回数は他の回数（例えば５０回、１２０回など）とされていてもよい。また、複数種類の回数（例えば、２０回、５０回、１００回）から時短回数が選択される構成とされていてもよく、その場合には、抽選によって選択された回数がステップＳ１５３，Ｓ１６２にて時短回数カウンタに設定される。ここでの抽選による選択は、例えば、時短回数決定用の乱数を抽出し、その抽出値と回数とが対応付けされた時短回数決定用テーブルを用いて、乱数の抽出値に対応付けされている回数を選択する処理を実行することによって行われるようにすればよい。
【０１８３】
図１９は、普通図柄プロセス処理（ステップＳ２８）を示すフローチャートである。普通図柄プロセス処理では、遊技制御用マイクロコンピュータ６０は、ゲート３２を遊技球が通過してゲートスイッチ３２ａがオン状態となったことを検出すると（ステップＳ１０１）、ゲートスイッチ通過処理（ステップＳ１０２）を実行する。そして、遊技制御用マイクロコンピュータ６０は、普通図柄プロセスフラグの値に応じてステップＳ１０３〜Ｓ１０７に示された処理のうちのいずれかの処理を実行する。
【０１８４】
ゲートスイッチ通過処理では、遊技制御用マイクロコンピュータ６０によって、ゲート通過記憶カウンタのカウント値（ゲート通過記憶数）が最大値（この例では「４」）に達しているか否か確認し、最大値に達していなければ、ゲート通過記憶カウンタのカウント値を＋１し、当り判定用乱数の値を抽出し、ゲート通過記憶数の値に対応した保存領域（普通図柄判定用バッファ）に格納する処理が実行される。なお、ゲート通過記憶カウンタの値に応じて普通図柄始動記憶表示器４１のＬＥＤが点灯される。
【０１８５】
普通図柄変動待ち処理（ステップＳ１０３）： 普通図柄の変動を開始することができる状態（例えば普通図柄プロセスフラグの値がステップＳ１０３を示す値となっている場合）となったか否かを監視する。普通図柄プロセスフラグの値がステップＳ１０３を示す値となっている場合とは、普通図柄表示器１０において普通図柄の変動がなされておらず、かつ、大当り遊技中でもない場合である。そして、普通図柄の変動を開始することができる状態となった場合に、ゲート通過記憶数が０でなければ、普通図柄プロセスフラグの値を普通図柄判定処理（ステップＳ１０４）を示す値に変更する。
【０１８６】
普通図柄判定処理（ステップＳ１０４）：ゲート通過記憶数＝１に対応する保存領域に格納されている当り判定用乱数値を読み出してＲＡＭ５５の乱数バッファ領域に格納するとともに、ゲート通過記憶数の値を１減らし（ゲート通過記憶カウンタのカウント値を１減らし）、かつ、各保存領域の内容をシフトする。次いで、乱数格納バッファから当り判定用乱数を読み出し、当りとするかはずれとするかを決定する。
【０１８７】
具体的には、当り判定用乱数の値が当り判定値と一致するか否かが判定され、一致する当り判定値があれば当りと決定される。当り判定値は、例えば、特別遊技状態（確変状態、時短状態、確変時短状態）のときには３〜１２のいずれかとして高確率で当りとなる状態とされ、特別遊技状態でないときには３，５または７として比較的低確率で当りとなる状態とされる。なお、可変入賞球装置１５の開放時間や開放回数が高められた特別遊技状態だけでなく、確変状態などの他の特別遊技状態のときに高確率で当りとなる状態とするようにしてもよい。
【０１８８】
また、当り／はずれを決定したあと、普通図柄変動時間タイマに普通図柄の変動時間をセットする。例えば、高確率時には５．１秒をセットし、低確率時には２９．２秒をセットする。そして、遊技制御用マイクロコンピュータ６０は、普通図柄の演出を開始する。さらに、内部状態（普通図柄プロセスフラグ）を更新してステップＳ１０５（普通図柄変動処理）に移行させる。
【０１８９】
普通図柄変動処理（ステップＳ１０５）：普通図柄変動時間タイマがタイムアウトしたか否か確認し、タイムアウトしていたら、普通図柄プロセスフラグを普通図柄停止処理を示す値に更新する。
【０１９０】
普通図柄停止処理（ステップＳ１０６）：決定されている当り／はずれの表示結果に応じた領域を点灯状態として普通図柄の変動を停止し、普通図柄の演出を終了する。そして、当り図柄で停止表示したときには、普通図柄プロセスフラグを始動入賞口開閉処理を示す値に更新する。また、はずれ図柄で停止表示したときには、普通図柄プロセスフラグを普通図柄変動待ち処理を示す値に更新する。
【０１９１】
始動入賞口開閉処理（ステップＳ１０７）：遊技制御用マイクロコンピュータ６０は、可変入賞球装置１５を所定期間開放する開放制御を行う。この例では、開放延長状態でなければ、可変入賞球装置１５が１回だけ０．２秒間開放するように制御を行う。一方、開放延長状態であれば、可変入賞球装置１５が１回だけ２秒間開放するように制御を行う。なお、開放延長状態であるときに、可変入賞球装置１５が２秒間開放したあと３秒の閉成期間をおいて再度２秒間開放するように制御を行うようにしてもよい。そして、遊技制御用マイクロコンピュータ６０は、普通図柄プロセスフラグを普通図柄変動待ち処理を示す値に更新する。
【０１９２】
図２０は、表示制御処理（ステップＳ２２）を示すフローチャートである。表示制御処理では、遊技制御用マイクロコンピュータ６０は、先ず、特別図柄表示器８ａ，８ｂ、普通図柄表示器１０、および普通図柄始動記憶表示器４１に対する駆動信号を停止する（ステップＳ２２ａ）。
【０１９３】
次いで、遊技制御用マイクロコンピュータ６０は、第１特別図柄表示制御データ設定用の出力バッファ（第１特別図柄用出力バッファ）に設定された表示制御データに応じて、特別図柄表示器８ａに対して駆動信号を出力する（ステップＳ２２ｂ）。
【０１９４】
具体的には、表示制御データとして停止図柄指定値が設定されていれば、その内容に応じて、特別図柄表示器８ａに、今回の可変表示の停止図柄あるいは前回の可変表示の停止図柄を表示するための駆動信号を出力する。また、表示制御データとして変動状態指定値が設定されていれば、特別図柄表示器８ａの表示状態を点滅状態とするための駆動信号を出力する。また、表示制御データとして開放回数表示指定値がセットされていれば、特別図柄表示器８ａに、大当り中における大入賞口の開放回数を表示するための駆動信号を出力する。さらに、表示制御データとして消灯指定値がセットされていれば、特別図柄表示器８ａに、大当り中における大入賞口の開放回数の表示を消灯するための駆動信号を出力する。
【０１９５】
また、表示制御データとして中断状態指定値が設定されていれば、特別図柄表示器８ａに、図柄変動の進行の中断中に任意のはずれ図柄（具体的には「−」）を表示した状態とするための駆動信号を出力する。はずれ図柄が複数種類設けられている場合には、表示するはずれ図柄は、例えば、あらかじめ定められた所定のはずれ図柄であってもよく、乱数抽選などによって決定したはずれ図柄であってもよい。なお、表示制御データとして中断状態指定値が設定されている場合に、特別図柄表示器８ａに、図柄変動の進行の中断中に、特別図柄表示器８ａの表示状態を変動表示状態としておくための駆動信号を出力するようにしてもよい。すなわち、第１特別図柄プロセスタイマの減算処理（ステップＳ３５ｃ）を中断した状態（変動時間の計測の進行を中断した状態）で、図柄変動の進行中と同じ表示状態としておくための駆動信号を出力するようにしてもよい。
【０１９６】
次いで、遊技制御用マイクロコンピュータ６０は、ステップＳ２２ｂと同様にして、第２特別図柄表示制御データ設定用の出力バッファ（第２特別図柄用出力バッファ）に設定された表示制御データに応じて、特別図柄表示器８ｂに対して駆動信号を出力する（ステップＳ２２ｃ）。
【０１９７】
また、遊技制御用マイクロコンピュータ６０は、普通図柄表示制御データ設定用の出力バッファ（普通図柄用出力バッファ）に設定された表示制御データに応じて、普通図柄表示器１０に対して駆動信号を出力する（ステップＳ２２ｄ）。
【０１９８】
具体的には、表示制御データとして停止図柄指定値が設定されていれば、その内容に応じて、普通図柄表示器１０に、今回の可変表示の停止図柄あるいは前回の可変表示の停止図柄を表示するための駆動信号を出力する。また、表示制御データとして変動状態指定値が設定されていれば、普通図柄表示器１０の表示状態を左右のランプを交互に点灯させるための駆動信号を出力する。
【０１９９】
次いで、遊技制御用マイクロコンピュータ６０は、特別図柄保留記憶数データ設定用の出力バッファ（特別図柄用始動入賞記憶数バッファ）に設定された特別図柄保留記憶数データに応じて、特別図柄始動記憶表示器１８に対して、現在の特別図柄の保留記憶数を表示させるための駆動信号を出力する（ステップＳ２２ｅ）。
【０２００】
そして、遊技制御用マイクロコンピュータ６０は、普通図柄保留記憶数データ設定用の出力バッファ（普通図柄用始動入賞記憶数バッファ）に設定された普通図柄保留記憶数データに応じて、普通図柄始動記憶表示器４１に対して、現在の普通図柄の保留記憶数を表示させるための駆動信号を出力する（ステップＳ２２ｆ）。
【０２０１】
さらに、遊技制御用マイクロコンピュータ６０は、他のデータ設定用の出力バッファ（例えば遊技状態表示制御データ設定用の出力バッファなど）の他の出力バッファの設定内容に応じて、駆動信号を出力する（ステップＳ２２ｇ）。ステップＳ２２ｇでは、例えば、確変状態や時短状態などの遊技状態を表示する表示装置（例えば遊技状態報知ランプ２５）に対して、遊技状態を表示させるための駆動信号を出力する処理などが実行される。
【０２０２】
図２１は、記憶処理（ステップＳ３４）を示すフローチャートである。記憶処理では、遊技制御用マイクロコンピュータ６０は、先ず、現在の普通図柄の保留記憶数に応じた普通図柄保留記憶数データを普通図柄用始動入賞記憶数バッファに設定する（ステップＳ３４ａ）。そして、遊技制御用マイクロコンピュータ６０は、現在の特別図柄の保留記憶数に応じた特別図柄保留記憶数データを特別図柄用始動入賞記憶数バッファに設定する（ステップＳ３４ｂ）。
【０２０３】
図２２は、第１特別図柄表示制御処理（ステップＳ３５の特別図柄表示制御処理のうち第１特別図柄に関する処理）を示すフローチャートである。なお、ステップＳ３５の特別図柄表示制御処理には、第１特別図柄表示制御処理と同様に処理される第２特別図柄表示制御処理も含まれるが、ここではその説明は省略する。第１特別図柄表示制御処理では、第１特別図柄プロセスフラグが示す値に応じて、特別図柄表示器８ａに表示すべき第１特別図柄の表示内容を特定する指定値を、第１特別図柄用出力バッファにセットする処理が実行される。ここで第１特別図柄用出力バッファにセットされた指定値に応じて、上述したステップＳ２２ｂにて駆動信号が出力される。
【０２０４】
第１特別図柄表示制御処理において、遊技制御用マイクロコンピュータ６０は、先ず、第１特別図柄プロセスフラグを読み出す（ステップＳ３５ａ）。次いで、読み出した第１特別図柄プロセスフラグがステップＳ３０３（第１特別図柄変動処理）を示す値であれば（ステップＳ３５ｂのＹ）、遊技制御用マイクロコンピュータ６０は、特別図柄の変動表示の進行が中断されているか否か確認する（ステップＳ３５ｎ）。具体的には、中断フラグがセットされているか否かを確認することで、第１特別図柄の変動表示における変動時間の進行が中断されているか否か確認する。
【０２０５】
第１特別図柄の変動表示の進行の中断中であれば、遊技制御用マイクロコンピュータ６０は、中断状態指定値を選択し（ステップＳ３５ｒ）、選択した中断状態指定値を第１特別図柄用出力バッファにセットする（ステップＳ３５ｓ）。そして、第１特別図柄プロセスタイマを減算することなく、処理を終了する。
【０２０６】
第１特別図柄の変動表示の進行の中断中でなければ、遊技制御用マイクロコンピュータ６０は、第１特別図柄プロセスタイマを１減算し（ステップＳ３５ｃ）、変動状態指定値を選択し（ステップＳ３５ｄ）、選択した変動状態指定値を特別図柄用出力バッファにセットする（ステップＳ３５ｅ）。なお、変動状態指定値は、第１特別図柄の変動期間に応じて選択され、本例では、ステップＳ３５ｄにて変動表示における変動状態にて表示される図柄を示す指定値が選択される。
【０２０７】
ステップＳ３５ａにて読み出した第１特別図柄プロセスフラグが、ステップＳ３００（第１特別図柄通常処理）、ステップＳ３０１（第１特別図柄停止図柄設定処理）、ステップＳ３０２（変動時間設定処理）、ステップＳ３０４（第１特別図柄停止処理）のいずれかを示す値であれば（ステップＳ３５ｆ）、遊技制御用マイクロコンピュータ６０は、停止図柄指定値を選択し（ステップＳ３５ｇ）、選択した停止図柄指定値を特別図柄用出力バッファにセットする（ステップＳ３５ｈ）。
【０２０８】
なお、本例では、ステップＳ３５ｆにて第１特別図柄プロセスフラグの示す値が所定の値であれば、ステップＳ３５ｇに移行し、図柄が停止しているときでもステップＳ３５ｈにて停止図柄指定値を毎回セットするようにしているが、第１特別図柄プロセスフラグの示す値を記憶しておき、ステップＳ３５ｆにて第１特別図柄プロセスフラグが更新されたか否かを判定し、第１特別図柄プロセスフラグが更新されていたときにのみ処理をステップＳ３５ｇに移行させるようにしてもよい。ただし、本例のように、ステップＳ３５ｈにて停止図柄指定値を毎回セットする構成とした方が、第１特別図柄プロセスフラグの示す値を記憶する処理や、第１特別図柄プロセスフラグが更新されたか否かを判定する処理が不要となるため、遊技制御用マイクロコンピュータ６０の負荷を軽減することができる。
【０２０９】
なお、停止図柄指定値は、第１特別図柄プロセスフラグの状態に応じて選択される。具体的には、第１特別図柄プロセスフラグがステップＳ３００〜ステップＳ３０２のいずれかを示す値であれば、ステップＳ３５ｇにて、前回の変動表示の表示結果であった停止図柄を示す停止図柄指定値が選択される。一方、第１特別図柄プロセスフラグがステップＳ３０４を示す値であれば、ステップＳ３５ｇにて、今回の変動表示の表示結果である停止図柄を示す停止図柄指定値が選択される。なお、第１特別図柄プロセスフラグがステップＳ３０２を示す値である場合に、前回の変動表示の表示結果であった停止図柄を示す停止図柄指定値として大当り図柄を示す停止図柄指定値が選択された場合には、はずれ図柄を示す停止図柄指定値に差し替えるようにしてもよい。
【０２１０】
ステップＳ３５ａにて読み出した第１特別図柄プロセスフラグが、ステップＳ３００〜ステップＳ３０４のいずれかを示す値でもなければ（ステップＳ３５ｆのＮ）、すなわち大当り遊技状態であるときには、遊技制御用マイクロコンピュータ６０は、大入賞口開放回数表示待ちタイマが０であるか否か確認する処理を行う（ステップＳ３５ｉ）。
【０２１１】
大入賞口開放回数表示待ちタイマは、例えば、ステップＳ３０６からステップＳ３０７に移行するときにセットされ、次回のラウンドが開始するときにタイムアウトするような時間がセットされるタイマである。
【０２１２】
大入賞口開放回数表示待ちタイマが０でなければ（ステップＳ３５ｉのＮ）、遊技制御用マイクロコンピュータ６０は、大入賞口開放回数表示待ちタイマを１減算し（ステップＳ３５ｊ）、消灯指定値を特別図柄用出力バッファにセットする（ステップＳ３５ｋ）。消灯指定値は、大入賞口開放回数の表示の終了を指示するための指定値である。
【０２１３】
大入賞口開放回数表示待ちタイマが０であれば（ステップＳ３５ｉのＹ）、遊技制御用マイクロコンピュータ６０は、開放回数表示指定値を選択し（ステップＳ３５ｌ）、選択した開放回数表示指定値を特別図柄用出力バッファにセットする（ステップＳ３５ｍ）。
【０２１４】
なお、開放回数表示指定値は、大当り遊技状態におけるラウンド数に応じて選択される。具体的には、これから移行するラウンドのラウンド数を示す開放回数表示指定値が選択される。
【０２１５】
図２３は、普通図柄表示制御処理（ステップＳ３６）を示すフローチャートである。普通図柄表示制御処理において、遊技制御用マイクロコンピュータ６０は、先ず、普通図柄プロセスフラグを読み出す（ステップＳ３６ａ）。次いで、読み出した、普通図柄プロセスフラグがステップＳ１０５（普通図柄変動処理）を示す値であれば（ステップＳ３６ｂのＹ）、遊技制御用マイクロコンピュータ６０は、普通図柄変動時間タイマを１減算し（ステップＳ３６ｃ）、変動状態指定値を選択し（ステップＳ３６ｄ）、選択した変動状態指定値を普通図柄用出力バッファにセットする（ステップＳ３６ｅ）。なお、変動状態指定値は、特別図柄の変動期間に応じて選択され、本例では、ステップＳ３６ｄにて左右の発光体が交互に点灯する変動表示におけるいずれかの時点での表示状態を示す変動状態指定値が選択される。
【０２１６】
ステップＳ３６ａにて読み出した普通図柄プロセスフラグが、ステップＳ１０５（普通図柄変動処理）以外の処理を示す値であれば（ステップＳ３６ｂのＮ）、遊技制御用マイクロコンピュータ６０は、停止図柄指定値を選択し（ステップＳ３６ｆ）、選択した変動状態指定値を普通図柄用出力バッファにセットする（ステップＳ３６ｇ）。
【０２１７】
停止図柄指定値は、普通図柄プロセスフラグの状態に応じて選択される。具体的には、普通図柄プロセスフラグがステップＳ１０３〜ステップＳ１０４のいずれかを示す値であれば、ステップＳ３６ｆにて、前回の変動表示の表示結果であった停止図柄を示す停止図柄指定値が選択される。一方、普通図柄プロセスフラグがステップＳ１０６〜ステップＳ１０７のいずれかを示す値であれば、ステップＳ３６ｆにて、今回の変動表示の表示結果である停止図柄を示す停止図柄指定値が選択される。
【０２１８】
なお、本例では、上記のように、特別図柄プロセス処理（ステップＳ２５，２７）と特別図柄表示制御処理（ステップＳ３５）とを別個に設けているが、双方をまとめて処理するようにしてもよい。また、特別図柄プロセス処理（ステップＳ２５，２７）と特別図柄表示制御処理（ステップＳ３５）とで実行される各種の処理について、特別図柄プロセス処理では特別図柄プロセスフラグを更新する処理のみを行い、他の処理は全て特別図柄表示制御処理で行うようにしてもよい。
【０２１９】
また、本例では、上記のように、普通図柄プロセス処理（ステップＳ２８）と普通図柄表示制御処理（ステップＳ３６）とを別個に設けているが、双方をまとめて処理するようにしてもよい。また、普通図柄プロセス処理（ステップＳ２８）と普通図柄表示制御処理（ステップＳ３６）とで実行される各種の処理について、普通図柄プロセス処理では普通図柄プロセスフラグを更新する処理のみを行い、他の処理は全て普通図柄表示制御処理で行うようにしてもよい。
【０２２０】
次に、遊技制御手段から演出制御手段に対する制御コマンドの送出方式について説明する。図２４は、主基板３１から演出制御基板８０に送信される演出制御コマンドの信号線を示す説明図である。図２４に示すように、この実施の形態では、演出制御コマンドは、演出制御信号Ｄ０〜Ｄ７の８本の信号線で主基板３１から演出制御基板８０に送信される。また、主基板３１と演出制御基板８０との間には、ストローブ信号（演出制御ＩＮＴ信号）を送信するための演出制御ＩＮＴ信号の信号線も配線されている。なお、図２４には、演出制御コマンドの例が示されているが、他の電気部品制御基板（この実施の形態では払出制御基板３７）への制御コマンドも、８本の信号線と１本のＩＮＴ信号の信号線によって送信される。
【０２２１】
この実施の形態では、演出制御コマンドは２バイト構成であり、１バイト目はＭＯＤＥ（コマンドの分類）を表し、２バイト目はＥＸＴ（コマンドの種類）を表す。ＭＯＤＥデータの先頭ビット（ビット７）は必ず「１」とされ、ＥＸＴデータの先頭ビット（ビット７）は必ず「０」とされる。なお、そのようなコマンド形態は一例であって他のコマンド形態を用いてもよい。例えば、１バイトや３バイト以上で構成される制御コマンドを用いてもよい。
【０２２２】
図２５に示すように、演出制御コマンドの８ビットの演出制御コマンドデータは、演出制御ＩＮＴ信号に同期して出力される。演出制御基板８０に搭載されている演出制御用マイクロコンピュータ１０１は、演出制御ＩＮＴ信号が立ち上がったことを検知して、割込処理によって１バイトのデータの取り込み処理を開始する。従って、演出制御用マイクロコンピュータ１０１から見ると、演出制御ＩＮＴ信号は、演出制御コマンドデータの取り込みの契機となる取込信号に相当する。
【０２２３】
演出制御コマンドは、演出制御用マイクロコンピュータ１０１が認識可能に１回だけ送出される。認識可能とは、この例では、演出制御ＩＮＴ信号のレベルが変化することであり、認識可能に１回だけ送出されるとは、例えば演出制御コマンドデータの１バイト目および２バイト目のそれぞれに応じて演出制御ＩＮＴ信号が１回だけパルス状（矩形波状）に出力されることである。なお、演出制御ＩＮＴ信号は図２５に示された極性と逆極性であってもよい。
【０２２４】
図２６は、演出制御基板８０に送出される演出制御コマンドの内容の一例を示す説明図である。図２６に示す例において、コマンド８０００（Ｈ）〜８０５８（Ｈ）は、第１特別図柄に対応して可変表示装置９ａにて可変表示される第１飾り図柄の変動パターンを指定する演出制御コマンド（変動パターンコマンド、第１変動パターンコマンド）である。コマンド８１００（Ｈ）〜８１５８（Ｈ）は、第２特別図柄に対応して可変表示装置９ｂにて可変表示される第２飾り図柄の変動パターンを指定する演出制御コマンド（変動パターンコマンド、第２変動パターンコマンド）である。
【０２２５】
コマンド８５ＸＸ（Ｈ）は、第１特別図柄の表示結果を指定する演出制御コマンド（表示結果指定コマンド、第１表示結果指定コマンド）である。第１表示結果指定コマンドは、可変表示装置９ａにおける第１飾り図柄の停止図柄の決定などのために用いられる。コマンド８６ＸＸ（Ｈ）は、第２特別図柄の表示結果を指定する演出制御コマンド（表示結果指定コマンド、第２表示結果指定コマンド）である。第２表示結果指定コマンドは、可変表示装置９ｂにおける第２飾り図柄の停止図柄の決定などのために用いられる。
【０２２６】
コマンド９０００（Ｈ）は、可変表示装置９ａにおける停電復旧中画面の表示を指定する演出制御コマンドである。コマンド９１００（Ｈ）は、可変表示装置９ｂにおける停電復旧中画面の表示を指定する演出制御コマンドである。
【０２２７】
コマンドＡ０００（Ｈ）は、第１飾り図柄の可変表示の停止を指示する演出制御コマンドである。コマンドＡ１００（Ｈ）は、第２飾り図柄の可変表示の停止を指示する演出制御コマンドである。
【０２２８】
コマンドＢＸＸＸ（Ｈ）は、大当り遊技開始から大当り遊技終了までの間に送出される演出制御コマンドである。そして、コマンドＣ０００（Ｈ）〜ＥＸＸＸ（Ｈ）は、飾り図柄の変動および大当り遊技に関わらない可変表示装置９ａ，９ｂの表示状態に関する演出制御コマンドである。
【０２２９】
コマンドＤ０００（Ｈ）は、可変表示装置９ａにおける客待ちデモンストレーションを指定する演出制御コマンドである。コマンドＤ１００（Ｈ）は、可変表示装置９ｂにおける客待ちデモンストレーションを指定する演出制御コマンドである。
【０２３０】
また、コマンドＥ４００（Ｈ）は、高確率状態から低確率状態になったときに送信されるコマンドであり、コマンドＥ４０１（Ｈ）は、低確率状態から高確率状態になったときに送信されるコマンドである。なお、本例では、高確率状態から低確率状態になったときや、低確率状態から高確率状態になったときを、変動パターンコマンドのＭＯＤＥデータによって認識することができるため、上記のコマンドＥ４００（Ｈ）およびコマンドＥ４０１（Ｈ）は使用されない。ただし、コマンドＥ４００（Ｈ）およびコマンドＥ４０１（Ｈ）を用いるようにしてもよい。
【０２３１】
なお、各演出制御コマンドは、特に言及していない場合であっても、例えばＭＯＤＥデータを異ならせることによって、可変表示装置９ａでの表示指示用であるのか可変表示装置９ｂでの表示指示用であるのかが区別可能に構成されている。
【０２３２】
演出制御基板８０の演出制御手段は、主基板３１の遊技制御手段から上述した演出制御コマンドを受信すると図２６に示された内容に応じて可変表示装置９ａ，９ｂの表示状態を変更するとともに、ランプ・ＬＥＤの表示状態を変更し、必要ならば音声出力基板７０に対して音番号データを出力する。なお、図２６に示された例以外の制御コマンドも遊技制御手段から演出制御手段に送信される。例えば、賞球ＬＥＤ５１や球切れＬＥＤ５２の表示状態、および大当り遊技に関するより詳細な演出制御コマンドも遊技制御手段から演出制御手段に送信される。
【０２３３】
次に、電源基板９１０の構成を図２７のブロック図を参照して説明する。電源基板９１０には、遊技機内の各電気部品制御基板や機構部品への電力供給を実行または遮断するための電源スイッチ９１４が設けられている。なお、電源スイッチ９１４は、遊技機において、電源基板９１０の外に設けられていてもよい。電源スイッチ９１４が閉状態（オン状態）では、交流電源（ＡＣ２４Ｖ）が、過電圧保護回路としてのバリスタ９１８を介して、整流回路９１２に印加される状態になる。すなわち、遊技機に電力供給がなされる状態になる。
【０２３４】
電源基板９１０は、電気部品制御基板（主基板３１および払出制御基板３７等）と独立して設置され、遊技機内の各基板および機構部品が使用する電圧を生成する。この例では、ＡＣ２４Ｖ、ＶSL（ＤＣ＋３０Ｖ）、ＶLP（ＤＣ＋２４Ｖ）、ＶDD（ＤＣ＋１２Ｖ）およびＶCC（ＤＣ＋５Ｖ）を生成する。また、バックアップ電源（ＶBB）すなわちバックアップＲＡＭに記憶内容を保持させるための記憶保持手段となるコンデンサ９１６は、ＤＣ＋５Ｖ（ＶCC）すなわち各基板上のＩＣ等を駆動する電源のラインから充電される。また、＋５Ｖラインとバックアップ＋５Ｖ（ＶBB）ラインとの間に、逆流防止用のダイオード９１７が挿入される。なお、ＶSLは、整流平滑回路９１５において、整流素子でＡＣ２４Ｖを整流昇圧することによって生成される。ＶSLは、ソレノイド駆動電源となる。また、ＶLPは、ランプ点灯用の電圧であって、整流回路９１２において、整流素子でＡＣ２４Ｖを整流することによって生成される。
【０２３５】
電源電圧生成手段としてのＤＣ−ＤＣコンバータ９１３は、１つまたは複数のレギュレータＩＣ（図２７では２つのレギュレータＩＣ９２４Ａ，９２４Ｂを示す。）を有し、ＶSLにもとづいてＶDDおよびＶCCを生成する。レギュレータＩＣ（スイッチングレギュレータ）９２４Ａ，９２４Ｂの入力側には、比較的大容量のコンデンサ９２３Ａ，９２３Ｂが接続されている。従って、外部からの遊技機に対する電力供給が停止したときに、ＶSL、ＶDD、ＶCC等の直流電圧は、比較的緩やかに低下する。
【０２３６】
図２７に示すように、ＡＣ２４Ｖは、そのままコネクタ９２２Ｂに供給される。また、ＶLPは、コネクタ９２２Ｃに供給される。ＶCC、ＶDDおよびＶSLは、コネクタ９２２Ａ，９２２Ｂ，９２２Ｃに供給される。
【０２３７】
コネクタ９２２Ａに接続されるケーブルは、主基板３１に接続される。また、コネクタ９２２Ｂに接続されるケーブルは、払出制御基板３７に接続される。従って、コネクタ９２２Ａ，９２２Ｂには、ＶBBも供給されている。そして、コネクタ９２２Ｃに接続されるケーブルは、枠側ランプドライバ基板３５に接続される。なお、演出制御基板８０および音声制御基板７０には、枠側ランプドライバ基板３５を経由して各電圧が供給される。
【０２３８】
また、電源基板９１０には、押しボタン構造のクリアスイッチ９２１が搭載されている。クリアスイッチ９２１が押下されるとローレベル（オン状態）のクリアスイッチ信号が出力され、コネクタ９２２Ｂを介して払出制御基板３７に送信される。また、クリアスイッチ９２１が押下されていなければハイレベル（オフ状態）の信号が出力される。なお、クリアスイッチ９２１は、押しボタン構造以外の他の構成であってもよい。また、クリアスイッチ９２１は、遊技機において、例えば払出制御基板３７などの電源基板９１０以外の基板やその他の場所に設けられていてもよい。
【０２３９】
さらに、電源基板９１０には、それぞれの電気部品制御基板に搭載されている各マイクロコンピュータに対するシステムリセット信号（リセットレベルではマイクロコンピュータの動作を禁止し、非リセットレベルになるとマイクロコンピュータの動作を可能にする信号）を作成するとともに、電源断信号を出力する電源監視回路９２０と、電源監視回路９２０からのリセット信号を増幅してコネクタ９２２Ａ，９２２Ｂ，９２２Ｃに出力するとともに、電源断信号を増幅してコネクタ９２２Ｂに出力する出力ドライバ回路９２５が搭載されている。なお、遊技制御用マイクロコンピュータ５６０と払出制御用マイクロコンピュータ３７０に対するシステムリセット信号は主基板３１と払出制御基板３７に直接伝達されるが、演出制御用マイクロコンピュータ１０１に対するシステムリセット信号はランプ制御基板３５を経由して演出制御基板８０に伝達される。しかし、電源基板９１０から、演出制御基板８０に直接伝達されるようにしてもよい。
【０２４０】
電源監視回路９２０は電源断信号を出力する電源監視手段とシステムリセット信号を生成するリセット信号生成手段とを実現する回路であるが、電源監視回路９２０として、市販の停電監視リセットモジュールＩＣを使用することができる。電源監視回路９２０は、遊技機において用いられる所定電圧（例えば＋２４Ｖ）が所定値（例えば＋１７Ｖ）以下になった期間が、あらかじめ決められている時間（例えば５６ｍｓ）以上継続すると電源断信号を出力する。具体的には、電源断信号をオン状態（ローレベル）にする。また、電源監視回路９２０は、例えば、ＶCCが＋４．５Ｖ以下になると、システムリセット信号をローレベルにすることが可能な状態になる。
【０２４１】
電源監視回路９２０は、遊技機に対する電力供給が停止する際には、電源断信号を出力（ローレベルにする）してから所定期間が経過したときに、システムリセット信号をローレベルにすることになる。また、遊技機に対する電力供給が開始され、ＶCCが例えば＋４．５Ｖを越えるとシステムリセット信号をハイレベルにするのであるが、その場合に、電源断信号が出力されなくなってから（ハイレベルにしてから）所定期間が経過したことを条件にシステムリセット信号をハイレベルにする。
【０２４２】
電源監視回路９２０からの電源断信号は、払出制御基板３７において、入力ポートを介して払出制御用ＣＰＵに入力される。従って、払出制御用ＣＰＵは、入力ポートの入力信号を監視することによって遊技機への電力供給の停止の発生を確認することができる。
【０２４３】
なお、この実施の形態では、電源監視手段が所定電位の電源の出力を監視し、外部から遊技機に供給される電力の供給停止に関わる検出条件として、遊技機の外部からの電圧（この実施の形態ではＡＣ２４Ｖ）から作成された所定の直流電圧が所定値以下になったことを用いたが、検出条件は、それに限られず、外部からの電力が途絶えたことを検出できるのであれば、他の条件を用いてもよい。例えば、交流波そのものを監視して交流波が途絶えたことを検出条件としてもよいし、交流波をディジタル化した信号を監視して、ディジタル信号が平坦になったことをもって交流波が途絶えたことを検出条件としてもよい。
【０２４４】
図２８および図２９は、ステップＳ２０ｂの電源断処理の一例を示すフローチャートである。電源断処理において、遊技制御用マイクロコンピュータ６０は、まず、電源断信号が出力されているか否か（オン状態になっているか否か）確認する（ステップＳ４５０）。オン状態でなければ、ＲＡＭ５５に形成されるバックアップ監視タイマの値を０クリアする（ステップＳ４５１）。オン状態であれば、ＲＡＭ５５に形成されるバックアップ監視タイマの値を１増やす（ステップＳ４５２）。そして、バックアップ監視タイマの値が判定値（例えば２）と一致すれば（ステップＳ４５３）、ステップＳ４５４以降の電力供給停止時処理すなわち電力の供給停止のための準備処理を実行する。つまり、遊技の進行を制御する状態から遊技状態を保存させるための電力供給停止時処理を実行する状態に移行する。
【０２４５】
バックアップ監視タイマと判定値とを用いることによって、判定値に相当する時間だけ電源断信号のオン状態が継続したら、電力供給停止時処理が開始される。すなわち、ノイズ等で一瞬電源断信号のオン状態が発生しても、誤って電力供給停止時処理が開始されるようなことはない。なお、ＲＡＭ５５に形成されるバックアップ監視タイマの値は、遊技機への電力供給が停止しても、所定期間はバックアップ電源によって保存される。従って、メイン処理におけるステップＳ１４では、バックアップ監視タイマの値が判定値と同じ値になっていることによって、電力供給停止時処理の処理結果が保存されていることを確認できる。
【０２４６】
電力供給停止時処理において、遊技制御用マイクロコンピュータ６０は、パリティデータを作成する（ステップＳ４５４〜Ｓ４６３）。すなわち、まず、クリアデータ（００）をチェックサムデータエリアにセットし（ステップＳ４５４）、電力供給停止時でも内容が保存されるべきＲＡＭ領域の先頭アドレスに相当するチェックサム算出開始アドレスをポインタにセットする（ステップＳ４５５）。また、電力供給停止時でも内容が保存されるべきＲＡＭ領域の最終アドレスに相当するチェックサム算出回数をセットする（ステップＳ４５６）。
【０２４７】
次いで、チェックサムデータエリアの内容とポインタが指すＲＡＭ領域の内容との排他的論理和を演算する（ステップＳ４５７）。演算結果をチェックサムデータエリアにストアするとともに（ステップＳ４５８）、ポインタの値を１増やし（ステップＳ４５９）、チェックサム算出回数の値を１減算する（ステップＳ４６０）。そして、ステップＳ４５７〜Ｓ４６０の処理を、チェックサム算出回数の値が０になるまで繰り返す（ステップＳ４６１）。
【０２４８】
チェックサム算出回数の値が０になったら、遊技制御用マイクロコンピュータ６０は、チェックサムデータエリアの内容の各ビットの値を反転する（ステップＳ４６２）。そして、反転後のデータをチェックサムデータエリアにストアする（ステップＳ４６３）。このデータが、電源投入時にチェックされるパリティデータとなる。次いで、ＲＡＭアクセスレジスタにアクセス禁止値を設定する（ステップＳ４７１）。以後、内蔵ＲＡＭ５５のアクセスができなくなる。
【０２４９】
さらに、遊技制御用マイクロコンピュータ６０は、ＲＯＭ５４に格納されているポートクリア設定テーブルの先頭アドレスをポインタにセットする（ステップＳ４７２）。ポートクリア設定テーブルにおいて、先頭アドレスには処理数（クリアすべき出力ポートの数）が設定され、次いで、出力ポートのアドレスおよび出力値データ（クリアデータ：出力ポートの各ビットのオフ状態の値）が、処理数分の出力ポートについて順次設定されている。
【０２５０】
遊技制御用マイクロコンピュータ６０は、ポインタが指すアドレスのデータ（すなわち処理数）をロードする（ステップＳ４７３）。また、ポインタの値を１増やし（ステップＳ４７４）、ポインタが指すアドレスのデータ（すなわち出力ポートのアドレス）をロードする（ステップＳ４７５）。さらに、ポインタの値を１増やし（ステップＳ４７６）、ポインタが指すアドレスのデータ（すなわち出力値データ）をロードする（ステップＳ４７７）。そして、出力値データを出力ポートに出力する（ステップＳ４７８）。その後、処理数を１減らし（ステップＳ４７９）、処理数が０でなければステップＳ４７４に戻る。処理数が０であれば、すなわち、クリアすべき出力ポートを全てクリアしたら、タイマ割込を停止し（ステップＳ４８１）、ループ処理に入る。
【０２５１】
ループ処理では、電源断信号がオフ状態になったか否かを監視する（ステップＳ４８２）。電源断信号がオフ状態になった場合には復帰アドレスとして、電源投入時実行アドレス（ステップＳ１のアドレス）を設定してリターン命令を実行する（ステップＳ４８３）。すなわち、メイン処理に戻る。具体的には、遊技機に設けられている遊技用の装置を制御（自身で制御することと、他のマイクロコンピュータに制御させるために指令信号を送信することの双方を含む概念）する状態に戻る。
【０２５２】
以上の処理によって、電力供給が停止する場合には、ステップＳ４５４〜Ｓ４８１の電力供給停止時処理が実行され、電力供給停止時処理が実行されたことを示すデータ（バックアップあり指定値およびチェックサム）がバックアップＲＡＭへストアされ、ＲＡＭアクセスが禁止状態にされ、出力ポートがクリアされ、かつ、遊技制御処理を実行するためのタイマ割込が禁止状態に設定される。
【０２５３】
この実施の形態では、ＲＡＭ５５の全領域がバックアップ電源によって電源バックアップ（遊技機への電力供給が停止しても所定期間はＲＡＭ５５の内容が保存されこと）されている。従って、ステップＳ４５２〜Ｓ４７９の処理によって、バックアップ監視タイマの値とともに、電源断信号が出力されたときのＲＡＭ５５の内容にもとづくチェックサムもＲＡＭ５５に保存される。遊技機への電力供給が停止した後、所定期間内に電力供給が復旧したら、遊技制御手段は、後述するステップＳ２０２〜Ｓ２１３の処理によって、ＲＡＭ５５に保存されているデータ（電力供給が停止した直前の遊技制御手段による制御状態である遊技状態を示すデータ（例えば、プロセスフラグの状態、大当り中フラグの状態、確変フラグの状態、出力ポートの出力状態等）を含む）に従って、遊技状態を、電力供給が停止した直前の状態に戻すことができる。なお、電力供給停止の期間が所定期間を越えたらバックアップ監視タイマの値とチェックサムとが正規の値とは異なるはずであるから、その場合には、ステップＳ１１〜Ｓ１３の初期化処理が実行される。
【０２５４】
以上のように、電力供給停止時処理（電力の供給停止のための準備処理）によって、遊技状態を電力供給が停止した直前の状態に戻すためのデータが確実に変動データ記憶手段（この例ではＲＡＭ５５の全領域）に保存される。よって、停電等による電源断が生じても、所定期間内に電源が復旧すれば、遊技状態を電力供給が停止した直前の状態に戻すことができる。なお、ＲＡＭ５５の全領域が電源バックアップされるのではなく、遊技状態を電力供給が停止した直前の状態に戻すためのデータを記憶する領域のみが電源バックアップされるようにしてもよい。
【０２５５】
また、電源断信号がオフ状態になった場合には、ステップＳ１に戻る。その場合、電力供給停止時処理が実行されたことを示すデータが設定されているので、ステップＳ１０の遊技状態復旧処理が実行される。よって、電力供給停止時処理を実行した後に電源監視手段からの検出信号がオフ状態になったときには、遊技の進行を制御する状態に戻る。従って、電源瞬断等が生じても、遊技制御処理が停止してしまうようなことはなく、自動的に、遊技制御処理が続行される。
【０２５６】
図３０は、遊技状態復旧処理の一例を示すフローチャートである。遊技状態復旧処理において、遊技制御用マイクロコンピュータ６０は、まず、遊技状態を電源断時の状態に復旧させることを通知するための第１停電復旧コマンドおよび第２停電復旧コマンドを、演出制御基板８０に対して送信する（ステップＳ２０２）。
【０２５７】
次いで、遊技制御用マイクロコンピュータ６０は、電源断時に第１特別図柄が可変表示の実行中であったか否かを確認する（ステップＳ２０３）。この確認は、例えば、第１特別図柄プロセスフラグが第１特別図柄変動処理（ステップＳ３０３）を示す値であるか否かを確認することで行われる。
【０２５８】
第１特別図柄の可変表示中であった場合には、遊技制御用マイクロコンピュータ６０は、実行中の可変表示の表示結果を通知するために、本例では電源断によって中断した第１特別図柄の可変表示の開始時に送信した表示結果指定コマンドを、演出制御基板８０に対して送信する（ステップＳ２０４）。そして、第１特別図柄の可変表示の実行中の状態に復旧し、その電源断によって中断した第１特別図柄の可変表示の変動期間が未だ終了していないことを示す第１変動中復旧フラグをセットする（ステップＳ２０５）。
【０２５９】
第１特別図柄の可変表示中でなかった場合には、ステップＳ２０４，Ｓ２０５を実行することなく、ステップＳ２０７に移行する。
【０２６０】
次いで、遊技制御用マイクロコンピュータ６０は、電源断時に第２別図柄が可変表示の実行中であったか否かを確認する（ステップＳ２０７）。この確認は、例えば、第２特別図柄プロセスフラグが第２特別図柄変動処理（ステップＳ３０３に対応する処理）を示す値であるか否かを確認することで行われる。
【０２６１】
第２特別図柄の可変表示中であった場合には、遊技制御用マイクロコンピュータ６０は、実行中の可変表示の表示結果を通知するために、本例では電源断によって中断した第２特別図柄の可変表示の開始時に送信した表示結果指定コマンドを、演出制御基板８０に対して送信する（ステップＳ２０８）。そして、第２特別図柄の可変表示の実行中の状態に復旧し、その電源断によって中断した第２特別図柄の可変表示の変動期間が未だ終了していないことを示す第２変動中復旧フラグをセットする（ステップＳ２０９）。
【０２６２】
第２特別図柄の可変表示中でなかった場合には、ステップＳ２０８，Ｓ２０９を実行することなく、ステップＳ２１１に移行する。
【０２６３】
なお、遊技状態復旧処理にて演出制御基板８０に送信される演出制御コマンドは、上述したものに限らず、例えば、また、確変状態であることを通知するための演出制御コマンドなどの他のコマンドが含まれる。
【０２６４】
次に、遊技制御用マイクロコンピュータ６０は、バックアップフラグをクリアする（ステップＳ２１１）すなわち、前回の電力供給停止時に所定の記憶保護処理が実行されたことを示すフラグをリセットする。よって、制御状態の復旧後に不必要な情報が残存しないようにすることができる。また、スタック領域から各種レジスタの退避値を読み出して、各種レジスタ（ＩＸレジスタ、ＨＬレジスタ、ＤＥレジスタ、ＢＣレジスタ）に設定する（ステップＳ２１２）。すなわち、レジスタ復元処理を行う。なお、各レジスタが復元させる毎に、スタックポインタの値が減らされる。すなわち、スタックポインタの値が、スタック領域の１つ前のアドレスを指すように更新される。最後に、ＡＦレジスタ（アキュミュレータとフラグのレジスタ）をスタック領域から復元する（ステップＳ２１３）。
【０２６５】
そして、ＲＥＴ命令が実行される。ＲＥＴ命令が実行されるときには、遊技制御用マイクロコンピュータ６０は、スタックポインタが指す領域に格納されているデータをプログラムカウンタに設定することによってプログラムのリターン動作を実現する。ただし、ここでのリターン先は、遊技状態復旧処理をコールした部分ではない。なぜなら、ステップＳ２１３でレジスタの復元処理が終了した後では、スタック領域を指すスタックポインタは、電力供給停止時処理が開始されたときに実行されていたプログラムのアドレスが退避している領域を指している。従って、ステップＳ２１３の次のＲＥＴ命令によって、電力供給停止時に実行されていたプログラムのアドレスにリターンする。すなわち、本例では、スタック領域に退避されていたアドレスデータ（プログラムアドレスデータ）にもとづいて復旧制御が実行されている。
【０２６６】
次に、演出制御手段の動作を説明する。図３１は、演出制御用マイクロコンピュータ１０１が実行するメイン処理を示すフローチャートである。メイン処理では、まず、ＲＡＭ領域のクリアや各種初期値の設定、また演出制御の起動間隔を決めるための２ｍｓタイマの初期設定等を行うための初期化処理が行われる（ステップＳ７０１）。その後、演出制御用マイクロコンピュータ１０１は、タイマ割込フラグの監視（ステップＳ７０２）の確認を行うループ処理に移行する。タイマ割込が発生すると、演出制御用マイクロコンピュータ１０１は、タイマ割込処理においてタイマ割込フラグをセットする。メイン処理において、タイマ割込フラグがセットされていたら、演出制御用マイクロコンピュータ１０１は、そのフラグをクリアし（ステップＳ７０３）、以下の演出制御処理を実行する。
【０２６７】
この実施の形態では、タイマ割込は２ｍｓ毎にかかる。すなわち、演出制御処理は、２ｍｓ毎に起動される。また、この実施の形態では、タイマ割込処理ではフラグセットのみがなされ、具体的な演出制御処理はメイン処理において実行されるが、タイマ割込処理で演出制御処理を実行してもよい。
【０２６８】
演出制御処理において、演出制御用マイクロコンピュータ１０１は、まず、受信した演出制御コマンドを解析する（コマンド解析実行処理：ステップＳ７０４）。次いで、演出制御用マイクロコンピュータ１０１は、第１演出制御プロセス処理を行う（ステップＳ７０５）。第１演出制御プロセス処理では、制御状態に応じた各プロセスのうち、現在の制御状態（第１演出制御プロセスフラグ）に対応したプロセスを選択して可変表示装置９ａの表示制御を実行する。また、演出制御用マイクロコンピュータ１０１は、第２演出制御プロセス処理を行う（ステップＳ７０６）。第２演出制御プロセス処理では、制御状態に応じた各プロセスのうち、現在の制御状態（第２演出制御プロセスフラグ）に対応したプロセスを選択して可変表示装置９ｂの表示制御を実行する。そして、カメラ１２０からの画像データを入力する画像データ入力処理を行う（ステップＳ７０７）。画像データ入力処理によって入力した画像データは、例えば第１演出制御プロセス処理や第２演出制御プロセス処理における可変表示装置９ａ，９ｂの表示制御の際に使用される。なお、この例では、ステップＳ７０７にて、選択スイッチ１２２やリセットスイッチ１２３からの操作信号など、他の外部装置からの外部信号を入力する処理も実行されるものとする。そして、乱数カウンタを更新する処理を実行する（ステップＳ７０８）。その後、ステップＳ７０２のタイマ割込フラグの確認を行う処理に戻る。
【０２６９】
次に、主基板３１からの演出制御コマンド受信処理について説明する。図３２は、主基板３１から受信した演出制御コマンドを格納するためのコマンド受信バッファの一構成例を示す説明図である。この例では、２バイト構成の演出制御コマンドを６個格納可能なリングバッファ形式のコマンド受信バッファが用いられる。従って、コマンド受信バッファは、受信コマンドバッファ１〜１２の１２バイトの領域で構成される。そして、受信したコマンドをどの領域に格納するのかを示すコマンド受信個数カウンタが用いられる。コマンド受信個数カウンタは、０〜１１の値をとる。なお、必ずしもリングバッファ形式でなくてもよく、例えば、図柄指定コマンド格納領域を３個（２×３＝６バイトのコマンド受信バッファ）、それ以外の変動パターン指定などのコマンド格納領域を１個（２×１＝２バイトのコマンド受信バッファ）のようなバッファ構成としてもよい。音声制御手段や、ランプ制御手段においても同様に、リングバッファ形式でないバッファ形式としてもよい。
【０２７０】
主基板３１からの演出制御用のＩＮＴ信号は演出制御用マイクロコンピュータ１０１の割込端子に入力されている。例えば、主基板３１からのＩＮＴ信号がオン状態になると、演出制御用マイクロコンピュータ１０１において割込がかかる。そして、演出制御用マイクロコンピュータ１０１は、割込処理において演出制御コマンドの受信処理を実行する。演出制御コマンドの受信処理において、演出制御用マイクロコンピュータ１０１は、受信した演出制御コマンドデータを、コマンド受信個数カウンタが示す受信コマンドバッファに格納する。
【０２７１】
図３３，図３４は、コマンド解析処理（ステップＳ７０４）の具体例を示すフローチャートである。主基板３１から受信された演出制御コマンドは受信コマンドバッファに格納されるが、コマンド解析処理では、演出制御用マイクロコンピュータ１０１は、コマンド受信バッファに格納されているコマンドの内容を確認する。
【０２７２】
コマンド解析処理において、演出制御用マイクロコンピュータ１０１は、まず、コマンド受信バッファに受信コマンドが格納されているか否か確認する（ステップＳ６１１）。格納されているか否かは、コマンド受信個数カウンタの値と読出ポインタとを比較することによって判定される。両者が一致している場合が、受信コマンドが格納されていない場合である。コマンド受信バッファに受信コマンドが格納されている場合には、演出制御用マイクロコンピュータ１０１は、コマンド受信バッファから受信コマンドを読み出す（ステップＳ６１２）。なお、読み出したら読出ポインタの値を＋１しておく（ステップＳ６１３）。
【０２７３】
受信した演出制御コマンドが第１変動パターン指定の演出制御コマンドであれば（ステップＳ６１４）、演出制御用マイクロコンピュータ１０１は、そのコマンドのＥＸＴデータを第１変動パターンデータ格納領域に格納する（ステップＳ６１５）。
【０２７４】
受信した演出制御コマンドが第２変動パターン指定の演出制御コマンドであれば（ステップＳ６１６）、演出制御用マイクロコンピュータ１０１は、そのコマンドのＥＸＴデータを第２変動パターンデータ格納領域に格納する（ステップＳ６１７）。
【０２７５】
受信した演出制御コマンドが第１飾り図柄指定の演出制御コマンドであれば（ステップＳ６１８）、演出制御用マイクロコンピュータ１０１は、そのコマンドのＥＸＴデータを第１飾り図柄格納領域に格納する（ステップＳ６１９）。
【０２７６】
受信した演出制御コマンドが第２飾り図柄指定の演出制御コマンドであれば（ステップＳ６２０）、演出制御用マイクロコンピュータ１０１は、そのコマンドのＥＸＴデータを第２飾り図柄格納領域に格納する（ステップＳ６２１）。
【０２７７】
受信した演出制御コマンドが第１停電復旧指定の演出制御コマンドであれば（ステップＳ６２２）、演出制御用マイクロコンピュータ１０１は、可変表示装置９ａに、停電復旧中であることを示す第１停電復旧中画面（例えば、「停電復旧中！！」なる表示）を表示するとともに、第１飾り図柄復旧フラグをセットする（ステップＳ６２３）。第１飾り図柄復旧フラグは、可変表示装置９ａの表示に関する復旧のための処理の実行中であるか否かを判定するためのフラグであり、例えば演出制御基板８０が備えるＲＡＭ領域に格納される。
【０２７８】
受信した演出制御コマンドが第２停電復旧指定の演出制御コマンドであれば（ステップＳ６２４）、演出制御用マイクロコンピュータ１０１は、可変表示装置９ｂに、停電復旧中であることを示す第２停電復旧中画面（例えば、「停電復旧中！！」なる表示）を表示するとともに、第２飾り図柄復旧フラグをセットする（ステップＳ６２５）。第２飾り図柄復旧フラグは、可変表示装置９ｂの表示に関する復旧のための処理の実行中であるか否かを判定するためのフラグであり、例えば演出制御基板８０が備えるＲＡＭ領域に格納される。
【０２７９】
受信した演出制御コマンドが第１デモンストレーション表示指定の演出制御コマンドであれば（ステップＳ６２６）、演出制御用マイクロコンピュータ１０１は、第１飾り図柄復旧フラグがセットされているか否か確認する（ステップＳ６２７）。すなわち、可変表示装置９ａの表示に関する復旧のための処理の実行中であるか否かを確認する。第１飾り図柄復旧フラグがセットされていれば、演出制御用マイクロコンピュータ１０１は、第１飾り図柄の表示結果がセーブされていないか、またはセーブされている第１飾り図柄の表示結果がはずれ図柄であった場合には（ステップＳ６２８）、可変表示装置９ａに第１初期出目を表示するとともに（ステップＳ６２９）、第１初期出目表示計測タイマをスタートする（ステップＳ６３０）。
【０２８０】
「第１初期出目」とは、遊技機への電源投入がなされたときに、初期表示として最初に可変表示装置９ａに表示される第１飾り図柄（いわゆる朝一出目）を意味する。また、「第１初期出目表示計測タイマ」は、第１初期出目の表示時間を計測するためのタイマである。
【０２８１】
ステップＳ６２８にてセーブされている第１飾り図柄の表示結果が大当り図柄であった場合には、演出制御用マイクロコンピュータ１０１は、可変表示装置９ａにセーブされている大当り図柄を表示する（ステップＳ６３１）。
【０２８２】
また、ステップＳ６２７にて第１飾り図柄復旧フラグがセットされていなければ、演出制御用マイクロコンピュータ１０１は、可変表示装置９ａに第１デモンストレーション画面を表示する（ステップＳ６３２）。すなわち、復旧時でないときに第１デモンストレーション表示コマンドを受信したときには、演出制御用マイクロコンピュータ１０１は、第１初期出目を表示することなく直ちに第１デモンストレーション画面を表示する。
【０２８３】
受信した演出制御コマンドが第２デモンストレーション表示指定の演出制御コマンドであれば（ステップＳ６３３）、演出制御用マイクロコンピュータ１０１は、第２飾り図柄復旧フラグがセットされているか否か確認する（ステップＳ６３４）。すなわち、可変表示装置９ｂの表示に関する復旧のための処理の実行中であるか否かを確認する。第２飾り図柄復旧フラグがセットされていれば、演出制御用マイクロコンピュータ１０１は、第２飾り図柄の表示結果がセーブされていないか、またはセーブされている第２飾り図柄の表示結果がはずれ図柄であった場合には（ステップＳ６３５）、可変表示装置９ｂに第２初期出目を表示するとともに（ステップＳ６３６）、第２初期出目表示計測タイマをスタートする（ステップＳ６３７）。
【０２８４】
「第２初期出目」とは、遊技機への電源投入がなされたときに、初期表示として最初に可変表示装置９ｂに表示される第２飾り図柄（いわゆる朝一出目）を意味する。また、「第２初期出目表示計測タイマ」は、第２初期出目の表示時間を計測するためのタイマである。
【０２８５】
ステップＳ６３５にてセーブされている第２飾り図柄の表示結果が大当り図柄であった場合には、演出制御用マイクロコンピュータ１０１は、可変表示装置９ｂにセーブされている大当り図柄を表示する（ステップＳ６３８）。
【０２８６】
また、ステップＳ６３４にて第２飾り図柄復旧フラグがセットされていなければ、演出制御用マイクロコンピュータ１０１は、可変表示装置９ｂに第２デモンストレーション画面を表示する（ステップＳ６３９）。すなわち、復旧時でないときに第２デモンストレーション表示コマンドを受信したときには、演出制御用マイクロコンピュータ１０１は、第２初期出目を表示することなく直ちに第２デモンストレーション画面を表示する。
【０２８７】
演出制御用マイクロコンピュータ１０１は、ステップＳ６１２で読み出した受信コマンドがその他の演出制御コマンドである場合には、受信コマンドに対応するコマンド受信フラグをセットし、必要であれば受信コマンドを保存する（ステップＳ６４０）。
【０２８８】
図３５は、図３１に示されたメイン処理における第１演出制御プロセス処理（ステップＳ７０５）を示すフローチャートである。第１演出制御プロセス処理では、第１演出制御プロセスフラグの値に応じてステップＳ８００〜Ｓ８０６のうちのいずれかの処理が行われる。各処理において、以下のような処理が実行される。
【０２８９】
なお、詳細な説明は省略するが、第２演出制御プロセス処理（ステップＳ７０６）では、第２演出制御プロセスフラグの値に応じて、第１演出制御プロセス処理と同様の処理が実行される。可変表示装置９ａを制御する処理（第１演出制御プロセス処理）において可変表示装置９ｂの表示制御状態にもとづく処理（例えば第２大当り中演出フラグの状態にもとづく処理）を行う部分については、可変表示装置９ｂを制御する処理（第２演出制御プロセス処理）に適用した場合、可変表示装置９ａの表示制御状態にもとづく処理（例えば第１大当り中演出フラグの状態にもとづく処理）を行うことになる。
【０２９０】
第１飾り図柄通常処理（ステップＳ８００）：第２飾り図柄の可変表示等を行う可変表示装置９ｂにて大当り遊技演出（第２大当り遊技演出）が実行されているか否か確認する。具体的には、後述する第２大当り中演出フラグがセットされているか否を確認する。第２大当り中演出フラグがセットされておらず、かつ、第１変動パターンコマンドを受信していれば、演出制御用マイクロコンピュータ１０１は、第１演出制御プロセスフラグの値を第１飾り図柄変動パターン決定処理に対応した値に変更する。
【０２９１】
第１飾り図柄変動パターン決定処理（ステップＳ８０１）：第１変動パターンデータ格納領域の格納情報などにもとづいて、第１飾り図柄の変動パターンを決定する。
【０２９２】
第１飾り図柄変動開始処理（ステップＳ８０２）：左中右図柄の変動が開始されるように制御する。
【０２９３】
第１飾り図柄変動中処理（ステップＳ８０３）：変動パターンを構成する各変動状態（変動速度）の切替タイミングを制御するとともに、変動時間の終了を監視する。また、左右図柄の停止制御を行う。
【０２９４】
第１飾り図柄停止処理（ステップＳ８０４）：変動時間が終了したことに応じて、第１飾り図柄の変動を停止し停止図柄を表示する。なお、表示結果が大当り表示結果（大当りを示唆する表示結果）である場合には、変動時間の終了時に、全図柄停止を指示する演出制御コマンド（第１飾り図柄停止の演出制御コマンド）を受信していたら、第１飾り図柄の変動を停止し停止図柄を表示する制御を行う。
【０２９５】
大当り表示処理（ステップＳ８０５）：変動時間の終了後、確変大当り表示、時短大当り表示、確変時短大当り表示、または通常大当り表示の制御を行う。
【０２９６】
大当り遊技中処理（ステップＳ８０６）：第１大当り遊技中の制御を行う。例えば、大入賞口開放前表示や大入賞口開放時表示の演出制御コマンドを受信したら、ラウンド数の表示制御等を行う。なお、最終ラウンドの表示制御等が終了したときは、第１大当り中演出フラグをリセットする。
【０２９７】
図３６は、変動パターンテーブル毎に設定されているプロセスデータの一構成例を示す説明図である。プロセスデータは、プロセスタイマ設定値と演出制御実行データの組み合わせが複数集まったデータで構成されている。演出制御実行データは、表示制御実行データとランプ制御実行データとを含む。表示制御実行データは、飾り図柄の変動期間中における可変表示装置９ａ，９ｂの表示状態を示すデータが設定されている。例えば、表示制御実行データ１には、可変表示開始時の可変表示装置９ａ，９ｂの表示状態を示すデータが設定されている。また、ランプ制御実行データは、飾り図柄の変動期間中におけるランプ・ＬＥＤの表示状態を示すデータが設定されている。例えば、ランプ制御実行データ１には、可変表示開始時のランプ・ＬＥＤの表示状態を示すデータが設定されている。そして、飾り図柄の変動期間中において、表示状態を切り替えるタイミング（例えば可変表示装置９ａ，９ｂにおいて新たなキャラクタが登場するタイミング、ランプ・ＬＥＤを点灯状態から消灯状態に切り替えるタイミング）が到来すると、演出制御手段は、プロセスデータにおける次の演出制御実行データに従って、可変表示装置９ａ，９ｂおよびランプ・ＬＥＤの表示状態を制御する。プロセスタイマ設定値には、切替のタイミングに応じた時間が設定されている。
【０２９８】
このように、演出制御手段が、ＲＯＭに記憶されているプログラムおよびプロセスデータにもとづいて演出手段を制御し、複数の演出手段（この実施の形態では可変表示装置９ａ，９ｂおよびランプ・ＬＥＤ）の制御に関わるプログラムが、演出制御基板８０に搭載されているＲＯＭに格納されている。そして、それらのプログラムを格納するＲＯＭを１つのＲＯＭとして構成することができる。従って、部品点数を減らすことができる。また、ＲＯＭに記憶されているプロセスデータのうち、プロセスタイマ設定値が共通化されている。従って、演出制御手段のＲＯＭ容量を節減することができる。なお、演出制御実行データについても、表示制御実行データとランプ制御実行データとを共通化できるのであれば、１つの演出制御実行データとしてもよい。このように、この実施の形態では、複数の演出手段の制御に関わるデータのうち少なくとも一部のデータ（この実施の形態では音声データＲＯＭ７０４に格納されているデータを除くデータ）を同一ＲＯＭに格納することができる。
【０２９９】
図３６に示すプロセスデータは、演出制御基板８０におけるＲＯＭに格納されている。また、プロセスデータは、飾り図柄の変動パターンのそれぞれに応じて用意されている。なお、飾り図柄の変動パターンと、特別図柄の変動パターンとは異なるものである。ただし、飾り図柄の変動パターンには、少なくとも、図１１に示した各変動パターンに対応する変動パターンが含まれる。
【０３００】
図３７は、図３５に示された演出制御プロセス処理における第１飾り図柄通常処理（ステップＳ８００）を示すフローチャートである。第１飾り図柄通常処理において、演出制御用マイクロコンピュータ１０１は、第２大当り中演出フラグがセットされているか否を確認する（ステップＳ８１１）。第２大当り中演出フラグは、演出制御用マイクロコンピュータ１０１によって、可変表示装置９ｂにて大当り遊技演出が開始されるときにセットされ（第１大当り中演出フラグがセットされるステップＳ８５６の処理に対応する処理にてセットされる）、その大当り遊技演出が終了したときにリセットされる（第１大当り中演出フラグがリセットされるステップＳ８０６にて最終ラウンドの表示制御等が終了したあとの処理に対応する処理にてリセットされる）フラグである。
【０３０１】
第２大当り中演出フラグがセットされていなければ、演出制御用マイクロコンピュータ１０１は、第１変動パターンコマンド受信フラグがセットされているか否か確認する（ステップＳ８１２）。第１変動パターンコマンド受信フラグは、ステップＳ６１４にてＹと判定されたとき、すなわち、第１変動パターンコマンドを受信したときにセットされる。
【０３０２】
第１変動パターンコマンド受信フラグがセットされていれば、演出制御用マイクロコンピュータ１０１は、第１変動パターンコマンド受信フラグをリセットし、第１初期出目表示計測タイマをリセットする（ステップＳ８１４）。すなわち、第１初期出目表示計測タイマにて第１初期出目の表示時間の計測中であれば、その計測を中途終了させる。また、第１飾り復旧フラグがセットされていれば、その第１飾り復旧フラグをリセットする（ステップＳ８１５）。そして、演出制御用マイクロコンピュータ１０１は、第１演出制御プロセスフラグの値を第１飾り図柄変動パターン決定処理に対応した値に変更する（ステップＳ８１６）。
【０３０３】
第１変動パターンコマンド受信フラグがセットされていなければ、演出制御用マイクロコンピュータ１０１は、第１初期出目表示計測タイマがタイムアウトしたか否かを確認する（ステップＳ８１６）。すなわち、第１初期出目表示計測タイマにて第１初期出目の表示時間の計測中であれば、その計測時間が経過したか否かを確認する。第１初期出目表示計測タイマがタイムアウトしていれば、演出制御用マイクロコンピュータ１０１は、可変表示装置９ａに第１デモンストレーション画面を表示し（ステップＳ８１７）、第１飾り復旧フラグをリセットする（ステップＳ８１８）。
【０３０４】
図３８は、図３５に示された演出制御プロセス処理における第１飾り図柄変動パターン決定処理（ステップＳ８０１）を示すフローチャートである。飾り図柄変動パターン決定処理において、演出制御用マイクロコンピュータ１０１は、第１変動パターンデータ格納領域の格納情報にもとづいて、今回の第１飾り図柄の可変表示の表示結果が大当り表示結果となるか否か確認する（ステップＳ８２０）。大当り表示結果とする場合には、演出制御用マイクロコンピュータ１０１は、可変表示装置９ａにて大当り表示結果となる可変表示が実行されているか否かの確認に用いられる第１大当り変動中フラグをセットする（ステップＳ８２１）。なお、演出制御基板８０側で予告演出に関わる決定（実行の有無、演出内容）を行うときにのみ第１大当り変動中フラグが使用される場合には、本例では主基板３１側で予告演出に関わる決定を行うようにしており、第１大当り変動中フラグが使用されないため、ステップＳ８２１を実行しない（第１大当り変動中フラグをセットしない）ようにしてもよい。一方、演出制御基板８０側で予告演出に関わる決定を行う構成とする場合には、ステップＳ８２１にて第１大当り変動中フラグをセットする処理を実行するようにすればよい。
【０３０５】
次いで、演出制御用マイクロコンピュータ１０１は、第１変動パターンデータ格納領域に格納されているＥＸＴデータに応じて、飾り図柄の変動パターンを決定する（ステップＳ８２２）。本例では、演出制御用マイクロコンピュータ１０１は、飾り図柄の変動パターンの少なくとも一部を独自に決定する。例えば、あらかじめ用意された複数種類の飾り図柄の変動パターンのうち、ＥＸＴデータによって特定される変動時間および事前判定結果（確変時短大当り、確変大当り、時短大当り、通常大当り、はずれ、リーチ、予告など）に合致する複数種類の飾り図柄の変動パターンの中から、実行する変動パターンを選択する。上記のようにして、演出制御用マイクロコンピュータ１０１は、例えば、飾り図柄の演出内容（例えば、どのキャラクタを用いて演出するかなど）、予告演出の実行の有無や演出内容、ミッション演出の有無や演出内容など、飾り図柄の変動態様の少なくとも一部を独自に決定する。
【０３０６】
ステップＳ８２２にて飾り図柄の変動パターンを決定する際には、例えば、遊技状態が通常状態であるときに使用される変動パターンテーブル（通常状態用飾り図柄変動パターンテーブル）と、遊技状態が確変状態であるときに使用される変動パターンテーブル（確変状態用飾り図柄変動パターンテーブル）と、遊技状態が時短状態であるときに使用される変動パターンテーブル（時短状態用飾り図柄変動パターンテーブル）とが用いられる。各飾り図柄変動パターンテーブルには、複数種類の飾り図柄の変動パターンが設定されている。なお、遊技状態が確変時短状態であるときには、確変状態用飾り図柄変動パターンテーブルが用いられる。
【０３０７】
なお、演出制御用マイクロコンピュータ１０１が、予告演出の実行の有無、および予告演出の演出内容を決定するようにする場合には、主基板３１からの変動パターンコマンドには予告演出の有無や演出内容に関する情報は含まれない。この場合、演出制御用マイクロコンピュータ１０１は、主基板３１からの変動パターンコマンドが示す変動時間や変動結果にもとづいて、予告演出を実行するか否か、および予告演出の演出内容を決定する。
【０３０８】
具体的には、演出制御用マイクロコンピュータ１０１は、例えば、ステップＳ８２２にて、第２大当り変動中フラグ（可変表示装置９ｂにて大当り表示結果となる可変表示が実行されているか否かを示すフラグ）がセットされているか否か確認し、セットされていれば、今回の第１飾り図柄の変動表示結果が大当りとなる場合を除き、予告演出を行う変動パターンとすることに決定するようにすればよい。そして、あらかじめ用意されている複数種類の予告演出用の変動パターンの中から、主基板３１からの変動パターンコマンドが示す変動時間に合致する変動パターンを使用する変動パターンとして選択するようにすればよい。このようにして、例えば、第２飾り図柄によって変動表示結果が大当り表示結果となる可変表示が実行されているとき（第２大当り変動中フラグがセットされているとき）に、第１飾り図柄にて予告演出を行うことに決定する。なお、第２飾り図柄によって変動表示結果が大当り表示結果となる可変表示が実行されているときに、乱数抽選によってランダムに予告演出を行うか否かを決定するようにしてもよい。また、第２飾り図柄によって変動表示結果が大当り表示結果となる可変表示が実行されていないときに、例えば乱数抽選によって予告演出（ガセ予告）を行うか否かを決定し、ガセ予告を行うようにしてもよい。さらに、上記のように他方の飾り図柄の表示結果を一方の飾り図柄の変動表示演出によって予告するものでなく、自己の飾り図柄の表示結果を予告する予告演出を実行するようにしてもよい。また、主基板３１側で予告演出の有無や演出内容を決定する場合と同様にして、演出制御用マイクロコンピュータ１０１が、実行する予告演出の演出内容を示す実行データを記憶するようにし、前回までに記憶された実行データにもとづいて、今回の予告演出の演出内容を決定するようにしてもよい。この場合、主基板３１側で予告演出の有無や演出内容を決定する場合と同様のタイミングで、実行データを初期化するようにすればよい。
【０３０９】
そして、演出制御用マイクロコンピュータ１０１は、演出制御プロセスフラグを第１飾り図柄変動開始処理（ステップＳ８０２）に対応した値に更新する（ステップＳ８２４）。
【０３１０】
図３９は、演出制御プロセス処理における第１飾り図柄変動開始処理（ステップＳ８０２）を示すフローチャートである。第１飾り図柄変動開始処理において、演出制御用マイクロコンピュータ１０１は、まず、第１飾り図柄の可変表示の変動パターンに応じたプロセスデータを選択する（ステップＳ８３１）。そして、選択したプロセスデータにおける演出実行データ１に対応したプロセスタイマをスタートさせる（ステップＳ８３２）。また、プロセスデータ中の表示制御実行データ１にもとづいてＬＣＤ制御を行う（ステップＳ８３３）。例えば、表示制御実行データ１の内容に応じた信号を、ＬＣＤによる可変表示装置９ａに与える。なお、表示制御実行データにはＲＯＭのアドレスが設定され、そのアドレスから始まる領域に、より詳細な制御データを格納しておき、それらの制御データに従ってＬＣＤ制御を行うように構成してもよい。また、プロセスデータ中のランプ制御実行データ１にもとづいてランプ・ＬＥＤ制御を行う（ステップＳ８３４）。例えば、ランプ制御実行データ１の内容に応じた信号を各ランプ・ＬＥＤに与える。なお、ランプ制御実行データにはＲＯＭのアドレスが設定され、そのアドレスから始まる領域に、より詳細な制御データを格納しておき、それらの制御データに従ってランプ・ＬＥＤ制御を行うように構成してもよい。
【０３１１】
また、変動パターンに応じた音番号データを音声出力基板７０に出力する（ステップＳ８３５）。音声出力基板７０において、音声合成用ＩＣ７０３は、音番号データに応じたデータを音声データＲＯＭ７０４から読み出し、読み出したデータに応じた音声や効果音を発生し増幅回路７０５に出力する。増幅回路７０５は、音声合成用ＩＣ７０３の出力レベルを、ボリューム７０６で設定されている音量に応じたレベルに増幅した音声信号をスピーカ２７に出力する。
【０３１２】
その後、第１変動時間タイマ（第１飾り図柄の変動時間に応じたタイマ）をスタートし（ステップＳ８３６）、第１演出制御プロセスフラグの値を第１飾り図柄変動中処理に対応した値にする（ステップＳ８３７）。
【０３１３】
図４０は、演出制御プロセス処理における第１飾り図柄変動中処理（ステップＳ８０３）を示すフローチャートである。第１飾り図柄変動中処理において、演出制御用マイクロコンピュータ１０１は、第２大当り中演出フラグがセットされている場合には（ステップＳ８４０）、プロセスタイマおよび第１変動時間タイマの更新処理を中断していなければ、プロセスタイマおよび第１変動時間タイマの更新を中断する（ステップＳ８４８）。タイマの更新を中断しているときは、プロセスタイマおよび第１変動時間タイマが更新されずタイムアウトしないため、後述するステップＳ８４１およびステップＳ８４６にてＮと判定され、第１飾り図柄の可変表示の進行が中断される。すなわち、可変表示装置９ａでの第１飾り図柄の変動表示の実行中に可変表示装置９ｂにて大当り遊技演出が開始されると、可変表示装置９ａにおける第１飾り図柄の可変表示の変動時間の計測の進行が中断し、中断したときの第１飾り図柄の変動表示の状態が見た目上継続する。なお、第１飾り図柄の可変表示の変動時間の進行が中断しているときに、可変表示装置９ａにはずれ図柄を停止表示させておくようにしてもよい。
【０３１４】
第２大当り中演出フラグがセットされていない場合には（ステップＳ８４０）、演出制御用マイクロコンピュータ１０１は、プロセスタイマおよび第１変動時間タイマの更新処理を中断していれば、プロセスタイマおよび第１変動時間タイマの更新を再開する（ステップＳ８４９）。すなわち、可変表示装置９ａでの第１飾り図柄の可変表示の進行が中断しているときに、可変表示装置９ｂでの大当り遊技演出が終了すると、可変表示装置９ａにおける第１飾り図柄の可変表示の進行が再開し、中断したときの状態から第１飾り図柄の変動表示が再開する。
【０３１５】
次いで、演出制御用マイクロコンピュータ１０１は、プロセスタイマがタイムアウトしたか否か確認する。タイムアウトしたら、プロセスデータにおける演出制御実行データの切り替えを行う（ステップＳ８４２）。すなわち、プロセスデータにおいて、次に設定されているプロセスタイマをスタートさせるとともに（ステップＳ８４３）、次に設定されている表示制御実行データにもとづいてＬＣＤ制御を行う（ステップＳ８４４）。また、プロセスデータ中の次に設定されているランプ制御実行データにもとづいてランプ・ＬＥＤ制御を行う（ステップＳ８４５）。
【０３１６】
そして、第１変動時間タイマがタイムアウトしていたら（ステップＳ８４６）、演出制御プロセスフラグの値を第１飾り図柄停止待ち処理に対応した値にする（ステップＳ８４７）。
【０３１７】
図４１は、演出制御プロセス処理における第１飾り図柄停止処理（ステップＳ８０４）を示すフローチャートである。第１飾り図柄停止処理において、演出制御用マイクロコンピュータ１０１は、第１飾り図柄停止を指示する演出制御コマンド（第１飾り図柄停止の演出制御コマンド）を受信しているか否か確認する（ステップＳ８５２）。第１飾り図柄停止を指示する演出制御コマンドを受信していれば、自己が決定した停止図柄で第１飾り図柄を停止させる制御を行う（ステップＳ８５３）。なお、停止図柄は、例えばステップＳ８０１にて、演出制御用マイクロコンピュータ１０１が、変動パターンコマンドによって認識される第１特別図柄の表示結果に合致した図柄となるように決定する。
【０３１８】
そして、ステップＳ８５３で大当り図柄を表示した場合には（ステップＳ８５４のＹ）、演出制御用マイクロコンピュータ１０１は、第１大当り変動中フラグをリセットするとともに（ステップＳ８５５）、第１大当り中演出フラグをセットし（ステップＳ８５６）、演出制御プロセスフラグの値を大当り表示処理（ステップＳ８０５）に対応した値に設定する（ステップＳ８５７）。
【０３１９】
ステップＳ８５３で大当り図柄を表示しない場合（はずれ図柄を表示した場合）には、演出制御用マイクロコンピュータ１０１は、演出制御プロセスフラグの値を第１飾り図柄通常処理（ステップＳ８００）に対応した値に設定する（ステップＳ８５８）。
【０３２０】
次に、本例の遊技機における特別図柄と飾り図柄の変動状態の関係について詳しく説明する。ここでは、特別図柄表示器８ａと可変表示装置９ａの図柄変動状態の関係について説明する。なお、ここでは説明しないが、特別図柄表示器８ｂと可変表示装置９ｂの図柄変動状態の関係についても同様である。
【０３２１】
図４２は、始動入賞口１３ａへの始動入賞が連続して２回あった場合における第１特別図柄と第１飾り図柄の変動状態の具体例を示すタイミング図である。ここでは、始動入賞口１３ａへの２回の始動入賞（始動入賞Ａ〜Ｂ）にもとづく第１特別図柄の変動表示が実行される例について説明する。
【０３２２】
始動入賞Ａが発生すると、遊技制御用マイクロコンピュータ６０は、第１始動口スイッチ通過処理を実行する。そして、遊技制御用マイクロコンピュータ６０は、第１特別図柄の可変表示の実行が可能な状態となっていれば、事前判定（ステップＳ６７〜Ｓ６９, Ｓ７５〜Ｓ７７, Ｓ９０参照）を行い、その結果にもとづいて、例えば１０秒の変動時間であることを示す変動パターンコマンドと、はずれとなることを指定する表示結果指定コマンドとを送信する（ステップＳ９１ａ，Ｓ９１ｂ，Ｓ９２ａ，Ｓ９２ｂ参照）。また、遊技制御用マイクロコンピュータ６０は、始動入賞Ａに応じた第１特別図柄の変動表示（特図変動Ａ）を開始する（ステップＳ９３，Ｓ９４参照）。
【０３２３】
演出制御用マイクロコンピュータ１０１は、始動入賞Ａにもとづく変動パターンコマンドを受信すると、受信した変動パターンコマンドおよび表示結果指定コマンドにもとづいて、１０秒の変動時間で表示結果がはずれとなる第１飾り図柄の変動パターンを決定し（ステップＳ８２２参照）、決定した変動パターンに従って第１飾り図柄の変動表示（飾り変動Ａ）を実行する。
【０３２４】
また、遊技制御用マイクロコンピュータ６０は、始動入賞Ｂが発生したときに、第１始動口スイッチ通過処理（図１２参照）を実行する。しかし、未だ特図変動Ａが終了しておらず、始動入賞Ｂにもとづく第１特別図柄の可変表示の実行が可能な状態でないので、始動入賞Ｂにもとづく第１特別図柄の可変表示は保留される。
【０３２５】
その後、遊技制御用マイクロコンピュータ６０は、特図変動Ａの終了タイミングが到来すると、演出制御基板８０に対して、図柄停止コマンドを送信するとともに（ステップＳ１３１参照）、特図変動Ａを終了する（ステップＳ１３２参照）。一方、演出制御用マイクロコンピュータ１０１は、その図柄停止コマンドを受信すると、飾り変動Ａを終了する（ステップＳ８５２，Ｓ８５３参照）。
【０３２６】
次いで、遊技制御用マイクロコンピュータ６０は、特図変動Ａが終了して第１特別図柄の可変表示の実行が可能な状態となったときに、始動入賞Ｂにもとづく事前判定（ステップＳ６７〜Ｓ６９, Ｓ７５〜Ｓ７７, Ｓ９０参照）を行い、その結果にもとづいて、例えば１５秒の変動時間であることを示す変動パターンコマンドと、はずれとなることを指定する表示結果指定コマンドとを送信する（ステップＳ９１ａ，Ｓ９１ｂ，Ｓ９２ａ，Ｓ９２ｂ参照）。また、遊技制御用マイクロコンピュータ６０は、始動入賞Ｂに応じた第１特別図柄の変動表示（特図変動Ｂ）を開始する（ステップＳ９３，Ｓ９４参照）。
【０３２７】
演出制御用マイクロコンピュータ１０１は、始動入賞Ｂにもとづく変動パターンコマンドを受信すると、受信した変動パターンコマンドおよび表示結果指定コマンドにもとづいて、１５秒の変動時間で表示結果がはずれとなる第１飾り図柄の変動パターンを決定し（ステップＳ８２２参照）、決定した変動パターンに従って第１飾り図柄の変動表示（飾り変動Ｂ）を実行する。
【０３２８】
その後、遊技制御用マイクロコンピュータ６０は、特図変動Ｂの終了タイミングが到来すると、演出制御基板８０に対して、図柄停止コマンドを送信するとともに（ステップＳ１３１参照）、特図変動Ｂを終了する（ステップＳ１３２参照）。一方、演出制御用マイクロコンピュータ１０１は、その図柄停止コマンドを受信すると、飾り変動Ｂを終了する（ステップＳ８５２，Ｓ８５３参照）。
【０３２９】
上記のように、本実施の形態では、遊技制御用マイクロコンピュータ６０は、特別図柄の変動開始時に変動パターンコマンドおよび表示結果指定コマンドを送信し、変動停止時に図柄停止コマンドを送信する。従って、特別図柄と飾り図柄との間の同期を確実にとることができる。
【０３３０】
次に、本例の遊技機における複数の特別図柄と複数の飾り図柄の変動状態の関係の例について詳しく説明する。図４３は、複数の特別図柄と複数の飾り図柄の変動状態の具体例を示すタイミング図である。図４４，図４５は、この例における可変表示装置９ａ，９ｂの表示状態の例を示す説明図である。
【０３３１】
この例では、図４３に示すように、第１特別図柄および第２特別図柄の保留記憶がなく、かつ第２特別図柄および第２飾り図柄の変動表示が実行されているときに（図４４（ａ））、始動入賞口１３ａへの始動入賞（始動入賞Ａ）が発生し、さらに始動入賞口１３ｂに３回の始動入賞（始動入賞ａ〜ｃ）が発生したものとする。図４４（ａ）に示すように、ここでは、特別図柄始動記憶表示器１８において、始動入賞口１３ａへの始動入賞にもとづく保留記憶は赤色で表示され、始動入賞口１３ｂへの始動入賞にもとづく保留記憶は緑色で表示される。
【０３３２】
この例では、始動入賞Ａにもとづく特別図柄の変動表示の表示結果が大当り表示結果となり、その他の始動入賞にもとづく特別図柄の変動表示の表示結果ははずれとなるものとする。
【０３３３】
先ず、始動入賞Ａが発生すると、遊技制御用マイクロコンピュータ６０は、始動入賞Ａにもとづく変動表示を開始できる状態となっているので、ステップＳ６８にて始動入賞Ａにもとづく表示結果が大当りであると判定したことなどにもとづいて、ステップＳ９０にて複数種類の変動パターンから実行する変動パターンを決定する。
【０３３４】
上記のような事前判定（ステップＳ６７〜Ｓ６９, Ｓ７５〜Ｓ７７,Ｓ９０参照）の結果にもとづいて、遊技制御用マイクロコンピュータ６０は、始動入賞Ａにもとづく可変表示の変動パターンを示す第１変動パターンコマンドと、表示結果が大当りとなることを示す表示結果指定コマンドとを送信する（ステップＳ９１ａ，Ｓ９２ａ，Ｓ９１ｂ，Ｓ９２ｂ参照）。また、遊技制御用マイクロコンピュータ６０は、始動入賞Ａに応じた第１特別図柄の変動表示（特図変動Ａ）を開始する。
【０３３５】
演出制御用マイクロコンピュータ１０１は、始動入賞Ａにもとづく第１変動パターンコマンドおよび表示結果指定コマンドを受信すると、受信した第１変動パターンコマンドおよび表示結果指定コマンドにもとづいて、表示結果が大当りとなる第１飾り図柄の変動パターンを決定し（ステップＳ８２２参照）、決定した変動パターンに従って第１飾り図柄の変動表示（飾り変動Ａ）を実行する（図４４（ｂ））。
【０３３６】
始動入賞ａが発生すると、遊技制御用マイクロコンピュータ６０は、始動入賞ａにもとづく変動表示を開始できる状態となったときに、事前判定を行う。この例では、遊技制御用マイクロコンピュータ６０は、第１特別図柄による表示結果が大当り表示結果となる変動表示（飾り変動Ａ）の実行中であるときは、ステップＳ９０に相当する処理にて、他方の特別図柄（第１特別図柄）で現在実行されている変動表示の表示結果が大当り表示結果となることを予告する予告演出を実行するための変動パターンとすることに決定する。ここでは、「予告１」の演出態様で予告演出を実行するための変動パターンに決定されたものとする。
【０３３７】
なお、予告演出は、本例では、比較的短期間変動の変動パターンとされていることが望ましい。すなわち、予告演出は、予告対象となる第２特別図柄側の可変表示が完了するまでに第１特別図柄側での予告演出が完了されるように、表示結果が大当りとなる変動表示の変動時間よりも、短い変動時間とされていることが望ましい。具体的には、例えば、表示結果が大当りとなる変動表示の変動時間が３０秒〜９０秒とされ、予告演出を伴う可変表示の変動時間が１０秒〜２０秒とするようにしておけばよい。なお、図４３〜図４５に示す例のように、予告演出が、予告対象となる第２特別図柄側の可変表示が完了するまでに第１特別図柄側にて複数回の予告演出が連続して出現されるように、表示結果が大当りとなる変動表示の変動時間よりも、十分短い変動時間とされるようにしてもよい。
【０３３８】
遊技制御用マイクロコンピュータ６０は、事前判定の結果にもとづいて、始動入賞ａにもとづく表示結果がはずれであり、かつ「予告１」の予告演出を含む変動パターンを示す第２変動パターンコマンドを送信する。また、遊技制御用マイクロコンピュータ６０は、始動入賞ａに応じた第２特別図柄の変動表示（特図変動ａ）を開始する。
【０３３９】
演出制御用マイクロコンピュータ１０１は、始動入賞ａにもとづく第２変動パターンコマンドを受信すると、受信した第２変動パターンコマンドにもとづいて、表示結果がはずれとなり、かつ「予告１」の予告演出を行うための第２飾り図柄の変動パターンを決定し、決定した変動パターンに従って第２飾り図柄の変動表示（飾り変動ａ）を実行する（図４４（ｃ））。
【０３４０】
この例では、メインキャラクタＭＣとサブキャラクタＳＣ１との２つのキャラクタを登場させ（図４４（ｃ））、ボクシングの試合にてメインキャラクタＭＣがサブキャラクタＳＣ１に勝利した様子を表示（図４４（ｄ））することによって「予告１」の予告演出を実行する。なお、図４４（ｃ）等に示すように、予告演出の実行中は、第２特別図柄が画面の右下領域に縮小して表示される。
【０３４１】
その後、遊技制御用マイクロコンピュータ６０は、特図変動ａの終了タイミングが到来すると、演出制御基板８０に対して、第２飾り図柄停止コマンドを送信するとともに、特図変動ａを終了する。一方、演出制御用マイクロコンピュータ１０１は、その図柄停止コマンドを受信すると、飾り変動ａを終了する（図４４（ｄ））。
【０３４２】
特図変動ａを終了すると、遊技制御用マイクロコンピュータ６０は、始動入賞ｂの発生にもとづく事前判定の結果にもとづいて、始動入賞ｂにもとづく表示結果がはずれとなり、かつ、「予告２」の予告演出を含む変動パターンとすることに決定する。ここでは、表示結果が大当りとなる特図変動Ａが未だ実行されているため予告演出を行うことが決定され、前回の可変表示にて予告１の予告演出を行っているため予告１に関連する予告２を実行することが選択される。
【０３４３】
次いで、遊技制御用マイクロコンピュータ６０は、決定した変動パターンを示す第２変動パターンコマンドを送信するとともに、特図変動ｂを開始する。そして、特図変動ｂの終了タイミングが到来すると、演出制御基板８０に対して、第２飾り図柄停止コマンドを送信するとともに、特図変動ｂを終了する。
【０３４４】
演出制御用マイクロコンピュータ１０１は、始動入賞ｂにもとづく第２変動パターンコマンドを受信すると、受信した第２変動パターンコマンドにもとづいて、表示結果がはずれとなり、かつ「予告２」の予告演出を行うための第２飾り図柄の変動パターンを決定し、決定した変動パターンに従って第２飾り図柄の変動表示（飾り変動ｂ）を実行する（図４４（ｅ））。その後、演出制御用マイクロコンピュータ１０１は、第２飾り図柄停止コマンドを受信すると、飾り変動ｂを終了する（図４５（ａ））。
【０３４５】
この例では、メインキャラクタＭＣとサブキャラクタＳＣ２との２つのキャラクタを登場させ（図４４（ｅ））、ボクシングの試合にてメインキャラクタＭＣがサブキャラクタＳＣ２に勝利した様子を表示（図４５（ａ））することによって「予告２」の予告演出を実行する。
【０３４６】
特図変動ｂを終了すると、遊技制御用マイクロコンピュータ６０は、始動入賞ｃの発生にもとづく事前判定の結果にもとづいて、始動入賞ｃにもとづく表示結果がはずれとなり、かつ、「予告３」の予告演出を含む変動パターンとすることに決定する。ここでは、表示結果が大当りとなる特図変動Ａが未だ実行されているため予告演出を行うことが決定され、前回の可変表示にて予告２の予告演出を行っているため予告２関連する予告３を実行することが選択される。
【０３４７】
次いで、遊技制御用マイクロコンピュータ６０は、決定した変動パターンを示す第２変動パターンコマンドを送信するとともに、特図変動ｃを開始する。そして、特図変動ｃの終了タイミングが到来すると、演出制御基板８０に対して、第２飾り図柄停止コマンドを送信するとともに、特図変動ｃを終了する。
【０３４８】
演出制御用マイクロコンピュータ１０１は、始動入賞ｃにもとづく第２変動パターンコマンドを受信すると、受信した第２変動パターンコマンドにもとづいて、表示結果がはずれとなり、かつ「予告３」の予告演出を行うための第２飾り図柄の変動パターンを決定し、決定した変動パターンに従って第２飾り図柄の変動表示（飾り変動ｃ）を実行する（図４５（ｂ））。その後、演出制御用マイクロコンピュータ１０１は、第２飾り図柄停止コマンドを受信すると、飾り変動ｃを終了する（図４５（ｃ））。
【０３４９】
この例では、メインキャラクタＭＣとサブキャラクタＳＣ３との２つのキャラクタを登場させ（図４５（ｂ））、ボクシングの試合にてメインキャラクタＭＣがサブキャラクタＳＣ３に勝利した様子を表示（図４５（ｃ））することによって「予告３」の予告演出を実行する。
【０３５０】
なお、この例では、特図変動ａ〜特図変動ｃが実行されている期間中は、表示結果が大当り表示結果となる特図変動Ａは未だ継続しているものとする。
【０３５１】
そして、遊技制御用マイクロコンピュータ６０は、特図変動ｃを停止表示したあと、特図変動Ａの終了タイミングが到来すると、演出制御基板８０に対して、第１飾り図柄停止コマンドを送信するとともに、大当り表示結果で停止表示して特図変動Ａを終了する。また、演出制御用マイクロコンピュータ１０１は、飾り変動ｃを停止表示（図４５（ｃ）の右側画面）したあと、第１飾り図柄停止コマンドを受信すると、大当り表示結果で停止表示して飾り変動Ａを終了する（図４５（ｄ）の左側画面）。
【０３５２】
その後、特別図柄表示器８ａにて大当り遊技演出を開始するとともに、可変表示装置９ａにて大当り遊技演出を開始する。なお、特別図柄の変動表示をＬＣＤで行う構成とし、上述した予告演出を特別図柄の変動表示にて行うようにしてもよい。
【０３５３】
本例では、可変表示装置９ｂで予告演出を実行する構成としていたが、特別図柄表示器８ｂで予告演出を実行するようにしてもよい。例えば、特別図柄の更新間隔を通常の変動表示の際の間隔よりも遅くしたり速くしたりして、通常の可変表示演出と異なる演出を行うことによって予告演出を行うようにすればよい。
【０３５４】
また、上記の例では、一方の可変表示装置（例えば可変表示装置９ａ）にて大当り表示結果となる可変表示が実行されているときは、他方の可変表示装置（例えば可変表示装置９ｂ）にて常に予告演出を行うようにしていたが、乱数にもとづく抽選などによって予告演出を行うか否かを決定するようにしてもよい。さらに、上記の例では、一方の可変表示装置（例えば可変表示装置９ａ）にて大当り表示結果となる可変表示が実行されているときに、他方の可変表示装置（例えば可変表示装置９ｂ）にて予告演出を行うようにしていたが、一方の可変表示装置（例えば可変表示装置９ａ）にて大当り表示結果とならない可変表示が実行されているときに、例えば乱数にもとづく抽選などによって実行の有無を決定し、他方の可変表示装置（例えば可変表示装置９ｂ）にて予告演出（いわゆるガセ予告）を行うようにしてもよい。なお、乱数にもとづく抽選によって予告演出を行うか否かを決定する場合には、一方の可変表示装置（例えば可変表示装置９ａ）にて大当り表示結果となる可変表示が実行されているときの方が、一方の可変表示装置（例えば可変表示装置９ａ）にて大当り表示結果とならない可変表示が実行されているときと比較して、予告演出を行うことに高確率で決定されるようにすることが好ましい。このようにすれば、遊技者の予告に対する期待を過度に減退させてしまうことを防止することができる。
【０３５５】
上記のように、特別図柄の一方で表示結果が大当り表示結果となるときに、その大当りとなる特別図柄と飾り図柄の変動表示の実行中に、他方の特別図柄と飾り図柄で予告演出を実行する構成としたので、第２特別図柄側の表示画面で予告演出を実行し、第１特別図柄にて大当りを発生させるという意外性のある演出を実行することができ、演出のバリエーションを増加させることができる。よって、遊技の興趣を向上させることができる。
【０３５６】
次に、本例の遊技機における複数の特別図柄と複数の飾り図柄の変動状態の他の関係について詳しく説明する。図４６は、複数の特別図柄と複数の飾り図柄の変動状態の具体例を示すタイミング図である。
【０３５７】
この例では、始動入賞口１３ａへの始動入賞（始動入賞Ａ）が発生したものとする。また、始動入賞口１３ａへの始動入賞（始動入賞Ａ）が発生したあと、始動入賞口１３ｂに３回の始動入賞（始動入賞ａ〜ｃ）が発生したものとする。
【０３５８】
また、この例では、始動入賞Ａにもとづく特別図柄の変動表示の表示結果と、始動入賞ｃにもとづく特別図柄の変動表示の表示結果とが大当り表示結果となり、その他の始動入賞にもとづく特別図柄の変動表示の表示結果ははずれとなるものとする。
【０３５９】
先ず、始動入賞Ａが発生すると、遊技制御用マイクロコンピュータ６０は、始動入賞Ａにもとづく変動表示を開始できる状態となったときに、ステップＳ６８にて始動入賞Ａにもとづく表示結果が大当りであると判定したことなどにもとづいて、ステップＳ９０にて複数種類の変動パターンから実行する変動パターンを決定する。ここでは、表示結果が大当りとなることにもとづいて可変表示の変動パターンが決定される。
【０３６０】
上記のような事前判定（ステップＳ６７〜Ｓ６９,Ｓ７５〜Ｓ７７,Ｓ９０参照）の結果にもとづいて、遊技制御用マイクロコンピュータ６０は、始動入賞Ａにもとづく可変表示の変動パターンを示す第１変動パターンコマンドと、表示結果が大当りとなることを示す表示結果指定コマンドとを送信する（ステップＳ９１ａ，Ｓ９２ａ，Ｓ９１ｂ，Ｓ９２ｂ参照）。また、遊技制御用マイクロコンピュータ６０は、始動入賞Ａに応じた第１特別図柄の変動表示（特図変動Ａ）を開始する。
【０３６１】
演出制御用マイクロコンピュータ１０１は、始動入賞Ａにもとづく第１変動パターンコマンドを受信すると、受信した第１変動パターンコマンドおよび表示結果指定コマンドにもとづいて、表示結果が大当りとなる第１飾り図柄の変動パターンを決定し（ステップＳ８２２参照）、決定した変動パターンに従って第１飾り図柄の変動表示（飾り変動Ａ）を実行する。
【０３６２】
始動入賞ａが発生すると、遊技制御用マイクロコンピュータ６０は、始動入賞ａにもとづく変動表示を開始できる状態となったときに、事前判定を行う。この例では、遊技制御用マイクロコンピュータ６０は、第１特別図柄による表示結果が大当り表示結果となる変動表示（飾り変動Ａ）の実行中であるときは、ステップＳ９０に相当する処理にて、他方の特別図柄（第１特別図柄）で現在実行されている変動表示の表示結果が大当り表示結果となることを予告する予告演出を実行するための変動パターンとすることに決定する。ここでは、「予告１」の演出態様で予告演出を実行するための変動パターンに決定されたものとする。
【０３６３】
次いで、遊技制御用マイクロコンピュータ６０は、事前判定の結果にもとづいて、始動入賞ａにもとづく表示結果がはずれとなることを示す表示結果指定コマンドと、「予告１」の予告演出を含む変動パターンを示す第２変動パターンコマンドとを送信する。また、遊技制御用マイクロコンピュータ６０は、始動入賞ａに応じた第２特別図柄の変動表示（特図変動ａ）を開始する。
【０３６４】
演出制御用マイクロコンピュータ１０１は、始動入賞ａにもとづく第２変動パターンコマンドおよび表示結果指定コマンドを受信すると、受信した第２変動パターンコマンドおよび表示結果指定コマンドにもとづいて、表示結果がはずれとなり、かつ「予告１」の予告演出を行うための第２飾り図柄の変動パターンを決定し、決定した変動パターンに従って第２飾り図柄の変動表示（飾り変動ａ）を実行する。
【０３６５】
その後、遊技制御用マイクロコンピュータ６０は、特図変動ａの終了タイミングが到来すると、演出制御基板８０に対して、第２飾り図柄停止コマンドを送信するとともに、特図変動ａを終了する。一方、演出制御用マイクロコンピュータ１０１は、その図柄停止コマンドを受信すると、飾り変動ａを終了する。
【０３６６】
特図変動ａを終了すると、遊技制御用マイクロコンピュータ６０は、始動入賞ｂの発生にもとづく事前判定の結果にもとづいて、始動入賞ｂにもとづく表示結果がはずれとなり、かつ、「予告２」の予告演出を含む変動パターンとすることに決定する。ここでは、表示結果が大当りとなる特図変動Ａが未だ実行されているため予告演出を行うことが決定され、前回の可変表示にて予告１の予告演出を行っているため予告１に関連する予告２を実行することが選択される。
【０３６７】
次いで、遊技制御用マイクロコンピュータ６０は、決定した変動パターンを示す第２変動パターンコマンドと、はずれとなることを指定する表示結果指定コマンドとを送信するとともに、特図変動ｂを開始する。そして、特図変動ｂの終了タイミングが到来すると、演出制御基板８０に対して、第２飾り図柄停止コマンドを送信するとともに、特図変動ｂを終了する。
【０３６８】
演出制御用マイクロコンピュータ１０１は、始動入賞ｂにもとづく第２変動パターンコマンドおよび表示結果指定コマンドを受信すると、受信した第２変動パターンコマンドおよび表示結果指定コマンドにもとづいて、表示結果がはずれとなり、かつ「予告２」の予告演出を行うための第２飾り図柄の変動パターンを決定し、決定した変動パターンに従って第２飾り図柄の変動表示（飾り変動ｂ）を実行する。その後、演出制御用マイクロコンピュータ１０１は、第２飾り図柄停止コマンドを受信すると、飾り変動ｂを終了する。
【０３６９】
特図変動ｂを終了すると、遊技制御用マイクロコンピュータ６０は、始動入賞ｃの発生にもとづく事前判定の結果にもとづいて、始動入賞ｃにもとづく可変表示の表示結果が大当りとなる変動パターンとすることに決定する。ここでは、表示結果が大当りとなる特図変動Ａが未だ実行されているが、始動入賞ｃにもとづく可変表示の可変表示の表示結果が大当りとなるため、予告演出は選択されない。
【０３７０】
次いで、遊技制御用マイクロコンピュータ６０は、決定した変動パターンを示す第２変動パターンコマンドおよび表示結果が大当りとなることを指定する表示結果指定コマンドを送信するとともに、特図変動ｃを開始する。そして、特図変動ｃの終了タイミングが到来すると、演出制御基板８０に対して、第２飾り図柄停止コマンドを送信するとともに、変動表示の表示結果を大当り表示結果として特図変動ｃを終了する。
【０３７１】
演出制御用マイクロコンピュータ１０１は、始動入賞ｃにもとづく第２変動パターンコマンドおよび表示結果指定コマンドを受信すると、受信した第２変動パターンコマンドおよび表示結果指定コマンドにもとづいて、表示結果が大当りとなる第２飾り図柄の変動パターンを決定し、決定した変動パターンに従って第２飾り図柄の変動表示（飾り変動ｃ）を実行する。その後、演出制御用マイクロコンピュータ１０１は、第２飾り図柄停止コマンドを受信すると、変動表示の表示結果を大当り表示結果として飾り変動ｃを終了する。
【０３７２】
なお、この例では、特図変動ａ〜特図変動ｃが実行されている期間中は、長期間変動の特図変動Ａは未だ継続しているものとする。
【０３７３】
そして、遊技制御用マイクロコンピュータ６０は、特図変動ｃを大当り表示結果で停止表示したあと、特別図柄表示器８ｂにて大当り遊技演出を開始する。また、演出制御用マイクロコンピュータ１０１は、飾り変動ｃを大当り表示結果で停止表示したあと、可変表示装置９ｂにて大当り遊技演出を開始する。
【０３７４】
本例では、特別図柄表示器８ｂおよび可変表示装置９ｂで大当り遊技演出が開始されたときは、長期間変動の特図変動Ａおよび飾り変動Ａが未だ終了していないものとする。
【０３７５】
この例では、特図変動Ａは、特別図柄表示器８ｂおよび可変表示装置９ｂで大当り遊技演出が開始したときに実行時間の計測が中断し（ステップＳ１２５参照）、その大当り遊技演出が終了したときに実行時間の計測が再開する（ステップＳ１２３参照）。従って、特図変動Ａは、可変表示装置９ｂでの大当り遊技演出の実行中は実行時間の計測が中断され、可変表示装置９ｂでの大当り遊技演出が終了したあと実行時間の計測が再開され、残りの実行時間が経過して特図変動Ａの終了タイミングが到来したときに、大当り表示結果で停止する。
【０３７６】
また、この例では、飾り変動Ａは、特別図柄表示器８ｂおよび可変表示装置９ｂで大当り遊技演出が開始したときに実行時間の計測が中断し（ステップＳ８４８参照）、その大当り遊技演出が終了したときに実行時間の計測が再開する（ステップＳ８４９参照）。また、飾り変動Ａは、可変表示装置９ｂで大当り遊技演出が終了するまで第１飾り図柄停止コマンドが送信されないので、その大当り遊技演出が終了したあと停止表示される。従って、飾り変動Ａは、可変表示装置９ｂでの大当り遊技演出の実行中は実行時間の計測が中断され、可変表示装置９ｂでの大当り遊技演出が終了したあと実行時間の計測が再開され、残りの実行時間が経過し、第１飾り図柄停止コマンドが演出制御用マイクロコンピュータ１０１によって受信されたときに大当り表示結果で停止する。
【０３７７】
本例では、可変表示装置９ｂで大当り遊技演出が実行されている期間中は、特図変動Ａと飾り変動Ａの変動表示が継続して実行されるものとする。すなわち、特図変動Ａの実行時間が中断している間も、見た目上変動表示期間が継続しているような演出がなされる。なお、可変表示装置９ｂで大当り遊技演出が実行されている期間中は、特図変動Ａと飾り変動ａの変動表示を中断するようにしてもよい。この場合、例えば、はずれ図柄を表示しておくようにすればよい。
【０３７８】
上記のように、特別図柄の一方で表示結果が大当り表示結果となるときに、その大当りとなる特別図柄と飾り図柄の変動表示の実行中に、他方の特別図柄と飾り図柄で予告演出を実行するとともに、他方の特別図柄にて表示結果が大当り表示結果となる場合であっても制御上の制限（具体的には、一方の特別図柄が大当り表示結果となり大当り遊技が終了するまでの期間以外に他方の特別図柄の表示結果を導出表示させないような制限）を設けない構成としたので、予告対象でない他方の特別図柄にて先に大当りを発生させることができ、そのような場合に、特別図柄の一方で表示結果が大当り表示結果となることを予告するために実行していた予告演出を、本来の予告対象とは異なる他方の特別図柄で表示結果が大当り表示結果となることを予告する予告演出であるとすることができる。よって、大当りとすることに決定される前に、大当り予告を行うことができるようになり、演出のバリエーションを増加させることができる。よって、遊技の興趣を向上させることができる。
【０３７９】
次に、電源断状態となったあと遊技機への電力供給が再開されたときの可変表示装置９ａ，９ｂ等の表示制御について詳しく説明する。図４７は、電力供給が復旧したときの可変表示装置９ａ，９ｂ等の表示状態の例を示すタイミング図である。図４８は、電力供給が復旧したときの可変表示装置９ａ，９ｂ等の表示状態の例を示す説明図である。
【０３８０】
この例では、始動入賞Ａにもとづく表示結果がはずれとなる特図変動Ａおよび飾り変動Ａの実行中であり、第２特別図柄および第２飾り図柄の可変表示は実行されていないときに電源断状態となり、その後に電力供給が復旧したときを例に説明する。なお、この例では、電源断が発生したときは保留記憶がないものとする。
【０３８１】
図４７に示すように、保留記憶がないときに、始動入賞口１３ａへの始動入賞（始動入賞Ａ）が発生すると、遊技制御用マイクロコンピュータ６０は、始動入賞Ａにもとづく変動表示を開始できる状態となったときに、ステップＳ６８にて始動入賞Ａにもとづく表示結果がはずれであると判定したことにもとづいて、ステップＳ９０にて複数種類の変動パターンから実行する変動パターンを決定する。ここでは、表示結果がはずれとなる可変表示の変動パターンが選択される。
【０３８２】
遊技制御用マイクロコンピュータ６０は、事前判定（ステップＳ６７〜Ｓ６９,Ｓ７５〜Ｓ７７,Ｓ９０参照）を実行したあと、始動入賞Ａにもとづく変動パターンを示す第１変動パターンコマンドと、表示結果がはずれとなることを指定する表示結果指定コマンドとを送信する（ステップＳ９１ａ，Ｓ９１ｂ，Ｓ９２ａ，Ｓ９２ｂ参照）。また、遊技制御用マイクロコンピュータ６０は、始動入賞Ａに応じた第１特別図柄の変動表示（特図変動Ａ）を開始する。
【０３８３】
演出制御用マイクロコンピュータ１０１は、始動入賞Ａにもとづく第１変動パターンコマンドおよび表示結果指定コマンドを受信すると、受信した第１変動パターンコマンドにもとづいて、表示結果がはずれとなる第１飾り図柄の変動パターンを決定し（ステップＳ８２２参照）、決定した変動パターンに従って第１飾り図柄の変動表示（飾り変動Ａ）を実行する。
【０３８４】
この例では、特別図柄表示器８ａにて特図変動Ａの実行中であり、可変表示装置９ａにて飾り変動Ａの実行中であり（図４８（Ａ））、特別図柄表示器８ｂおよび可変表示装置９ｂでは変動表示が実行されていないとき（図４８（Ｂ）：変動表示されていない場合の例として、前回の可変表示の表示結果として「３，９，０」が表示されている状態が示されている。）に、電源断が発生して電力供給停止時処理（図２８、図２９参照）が実行され、その後に遊技機への電力供給が復旧して遊技状態復旧処理（図３０参照）が実行されるものとする。
【０３８５】
電力供給が復旧すると、遊技制御用マイクロコンピュータ６０は、第１停電復旧コマンドおよび第２停電復旧コマンドを送信する（ステップＳ２０２参照）。
【０３８６】
演出制御用マイクロコンピュータ１０１は、第１停電復旧コマンドを受信すると、可変表示装置９ａに停電復旧していることを示す停電復旧中画面（第１復旧中画面）を表示するとともに（図４８（Ｃ））、第１飾り復旧フラグをセットする（ステップＳ６２２，Ｓ６２３参照）。また、演出制御用マイクロコンピュータ１０１は、第２停電復旧コマンドを受信すると、可変表示装置９ｂに停電復旧していることを示す停電復旧中画面（第２復旧中画面）を表示するとともに（図４８（Ｄ））、第２飾り復旧フラグをセットする（ステップＳ６２４，Ｓ６２５参照）。
【０３８７】
次いで、遊技制御用マイクロコンピュータ６０は、電源断時に第１特別図柄の変動中であったことを確認し（ステップＳ２０３参照）、電源断時に実行されていた可変表示を開始する際に送信した表示結果指定コマンドを再度送信するとともに（ステップＳ２０４参照）、第１変動中復旧フラグをセットする（ステップＳ２０５参照）。演出制御用マイクロコンピュータ１０１は、第１表示結果指定コマンドを受信すると、第１表示結果指定コマンドが示す第１飾り図柄の表示結果（第１特別図柄の表示結果と同じ）をセーブする（ステップＳ６１８，Ｓ６１９参照）。
【０３８８】
また、遊技制御用マイクロコンピュータ６０は、電源断時に第２特別図柄が変動中でなかったことを確認し（ステップＳ２０７参照）、遊技状態復旧処理（図３０）を終えたあとの第２特別図柄通常処理において、第２デモンストレーション表示コマンドを送信する（ステップＳ７４に対応する第２特別図柄に関する処理を実行する部分）。
【０３８９】
演出制御用マイクロコンピュータ１０１は、第２デモンストレーション表示コマンドを受信すると（ステップＳ６３３参照）、第２飾り復旧フラグがセットされているため、可変表示装置９ｂに第２初期出目を表示するとともに（ステップＳ６３６参照）（図４８（Ｆ））、第２初期出目表示計測タイマをスタートする（ステップＳ６３７参照）。ここでは、第２初期出目は、「１，２，３」であるものとする。そして、演出制御用マイクロコンピュータ１０１は、第２始動入賞が発生することなく所定期間（例えばｔ秒）が経過して第２初期出目表示計測タイマがタイムアウトすると、第２デモンストレーション画面を可変表示装置９ｂに表示する（図４８（Ｈ））。すなわち、可変表示装置９ｂに、第２初期出目が所定期間（例えばｔ秒）表示されたあと、第２デモンストレーション画面が表示される。
【０３９０】
また、遊技制御用マイクロコンピュータ６０は、遊技状態復旧処理を終えて遊技制御処理を開始したあと、復旧した第１特別図柄の変動時間が終了したときに、第１変動中復旧フラグがセットされているため（ステップＳ１３６参照）、第１デモンストレーション表示コマンドを送信するとともに（ステップＳ１３７参照）、第１特別図柄の停止図柄を表示する（ステップＳ１３８参照）。
【０３９１】
演出制御用マイクロコンピュータ１０１は、第１デモンストレーション表示コマンドを受信すると（ステップＳ６２６参照）、第１飾り復旧フラグがセットされているため、可変表示装置９ａに第１初期出目を表示するとともに（ステップＳ６２９参照）（図４８（Ｉ））、第１初期出目表示計測タイマをスタートする（ステップＳ６３０参照）。ここでは、第１初期出目は、第２初期出目と同じ「１，２，３」であるものとする。なお、第１初期出目は、第２初期出目と異なる図柄であってもよい。そして、演出制御用マイクロコンピュータ１０１は、第１始動入賞が発生することなく所定期間（例えばｔ秒）が経過して第１初期出目表示計測タイマがタイムアウトすると（ステップＳ８１６参照）、第１デモンストレーション画面を可変表示装置９ａに表示する（図４８（Ｊ））。すなわち、可変表示装置９ａに、第１初期出目が所定期間（例えばｔ秒）表示されたあと、第１デモンストレーション画面が表示される。
【０３９２】
なお、上記の例においては、演出制御用マイクロコンピュータ１０１が、第２停電復旧コマンドの受信に応じて可変表示装置９ｂに停電復旧中画面（第２復旧中画面）を表示したあと（図４８（Ｄ））、第２デモンストレーション表示コマンドの受信に応じて可変表示装置９ｂに第２初期出目を表示する（図４８（Ｆ））ようにしていたが、第２停電復旧コマンドのあと直ぐに第２デモンストレーション表示コマンドが送信されてくるため、停電復旧中画面を表示することなく第２初期出目を表示するようにしてもよい。
【０３９３】
以上に説明したように、複数の可変表示装置９ａ，９ｂを備えた遊技機において、可変表示装置９ａ，９ｂの少なくとも一方において可変表示が実行されているときに電源断が発生し、その後に電力供給が復旧したときに、遊技制御手段から表示制御手段に送信されるコマンドの種類を減らすことができ、遊技制御手段の制御負担を軽減させることができる。すなわち、電源断が発生したときに可変表示中であった飾り図柄における左中右それぞれの停止図柄を指定する３つのコマンドを送信するのではなく、表示結果を示す表示結果指定コマンドを１つ送信するので、遊技制御手段の制御負担を軽減させることができる。また、電源断が発生したときに可変表示中であった飾り図柄を電力供給が復旧したあとに停止させる図柄停止コマンドと、電力供給が復旧したあとに保留記憶がない状態が所定期間継続したときにデモンストレーション画面を表示させるためのデモンストレーション表示コマンドとをそれぞれ送信するのではなく、復旧した可変表示の停止を指示するときにデモンストレーション表示コマンドを送信し、デモンストレーション表示コマンドの受信に応じて可変表示を停止させ、所定期間が停止しても始動入賞がないときにデモンストレーション画面を表示させるようにし、デモンストレーション表示コマンドのみを送信するようにしたので、遊技制御手段の制御負担を軽減させることができる。
【０３９４】
また、上述した実施の形態では、複数の表示装置（例えば特別図柄表示器８ａ，８ｂ、あるいは可変表示装置９ａ，９ｂ）を用いて識別情報の変動表示を行う場合に、一方の表示装置（例えば特別図柄表示器８ａ、可変表示装置９ａ）にて大当り遊技演出が実行されているときは、他方の表示装置（例えば特別図柄表示器８ｂ、可変表示装置９ｂ）における変動表示の実行期間の計測を中断する構成としたので、一方の表示装置にて大当りとなる変動表示が実行されていても、他方の表示装置における変動表示を遅延させることなく開始させることができるようになる。よって、一の表示装置にて大当り表示結果が導出表示されることが、他の表示装置の表示態様によって遊技者が予測可能となってしまうことを防止することができ、遊技の興趣を向上させることができる。
【０３９５】
また、上述した実施の形態では、一方の表示装置（例えば特別図柄表示器８ａ、可変表示装置９ａ）にて実行されている可変表示の表示結果が特定表示結果となることを予告する予告表示を、一方の表示装置での識別情報の可変表示に対応して行うのではなく、他方の表示装置（例えば特別図柄表示器８ｂ、可変表示装置９ｂ）における識別情報の変動に対応して実行する構成としたので、複数の表示装置の表示内容に関連を持たせることができるとともに、意外性のある演出（予告表示を行っている表示装置ではない別の表示装置にて予告にもとづく演出を出現させる演出）を実行することが可能となり、遊技の興趣を向上させることができる。
【０３９６】
また、上述した実施の形態では、一方の表示装置（例えば特別図柄表示器８ａ、可変表示装置９ａ）にて表示結果が特定表示結果となる可変表示が実行されている間は、他方の表示装置（例えば特別図柄表示器８ｂ、可変表示装置９ｂ）を用いて連続して予告表示を行う構成としたので、複数回の可変表示に亘って予告表示を行うことができ、期待感を段階的に向上させることができるようになる。
【０３９７】
また、上述した実施の形態では、一方の表示装置（例えば特別図柄表示器８ａ、可変表示装置９ａ）にて実行されている可変表示の表示結果が特定表示結果となることを予告する予告表示を、他方の表示装置（例えば特別図柄表示器８ｂ、可変表示装置９ｂ）における識別情報の変動に対応して実行し、他方の表示装置にて可変表示の表示結果が特定表示結果となる場合には、一方の表示装置にて特定表示結果が導出表示される前であっても、他方の表示装置にて特定表示結果を導出表示する構成としたので、一方の表示装置における可変表示の表示結果を予告するための予告表示を、見かけ上他方の表示装置において可変表示の表示結果が特定表示結果となることを予告する予告表示であるように制御することができる。
【０３９８】
上記のように、一方の表示装置における可変表示の表示結果を予告するための予告表示を、見かけ上他方の表示装置において可変表示の表示結果が特定表示結果となることを予告する予告表示であるように制御するようにしたので、他方の表示装置において実行されている予告演出が、一方の表示装置における可変表示の表示結果が特定表示結果となることを予告する演出であるのか、他方の表示装置における可変表示の表示結果が特定表示結果となることを予告する演出であるのかを遊技者に特定されないようにすることができ、一方の表示装置と他方の表示装置の両方の変動表示に対して遊技者の期待感を向上させることができる。
【０３９９】
また、上述した実施の形態では、一方の表示装置（例えば特別図柄表示器８ａ、可変表示装置９ａ）にて特定表示結果が導出表示されたことにもとづく特定遊技状態が継続している間、他方の表示装置（例えば特別図柄表示器８ｂ、可変表示装置９ｂ）で特定表示結果以外の表示態様（例えばはずれ図柄）で識別情報を停止表示する構成とした場合には、特定遊技状態が継続している間に他方の表示装置で特定表示結果が停止表示されることを防止することができ、可変表示の整合をとることができるとともに、遊技者に誤解を与えてしまうことを防止することができる。
【０４００】
また、上述した実施の形態では、一方の表示装置（例えば特別図柄表示器８ａ、可変表示装置９ａ）にて特定表示結果が導出表示されたことにもとづく特定遊技状態が継続している間、他方の表示装置（例えば特別図柄表示器８ｂ、可変表示装置９ｂ）で識別情報の可変表示を見かけ上継続して実行する構成とした場合には、特定遊技状態が継続している間に他方の表示装置で識別情報の表示結果が導出表示されることを防止することができ、可変表示の整合をとることができる。
【０４０１】
なお、上述した実施の形態では、遊技状態復旧処理にて、複数の可変表示装置９ａ，９ｂに対するそれぞれ別個の停電復旧コマンド（第１停電復旧コマンド、第２停電復旧コマンド）を送信するようにしていたが、複数の可変表示装置９ａ，９ｂに共通の停電復旧コマンドを送信するようにしてもよい。
【０４０２】
図４９は、電力供給が復旧したときに共通の停電復旧コマンドが送信される場合における可変表示装置９ａ，９ｂ等の表示状態の例を示すタイミング図である。なお、この例においては、電力供給が復旧したときの可変表示装置９ａ，９ｂ等の表示状態が図４８に示したものと同様となるため、図４８を参照して説明する。
【０４０３】
この例では、始動入賞Ａにもとづく表示結果がはずれとなる特図変動Ａおよび飾り変動Ａの実行中であり、第２特別図柄および第２飾り図柄の可変表示は実行されていないときに電源断状態となり、その後に電力供給が復旧したときを例に説明する。なお、この例では、電源断が発生したときは保留記憶がないものとする。
【０４０４】
図４７に示した例と同様に、この例では、特別図柄表示器８ａにて特図変動Ａの実行中であり、可変表示装置９ａにて飾り変動Ａの実行中であり（図４８（Ａ））、特別図柄表示器８ｂおよび可変表示装置９ｂでは変動表示が実行されていないとき（図４８（Ｂ）：変動表示されていない場合の例として、前回の可変表示の表示結果として「３，９，０」が表示されている状態が示されている。）に、電源断が発生して電力供給停止時処理（図２８、図２９参照）が実行され、その後に遊技機への電力供給が復旧して遊技状態復旧処理（図３０参照）が実行されるものとする。
【０４０５】
電力供給が復旧すると、遊技制御用マイクロコンピュータ６０は、複数の可変表示装置９ａ，９ｂに対して共通に用いられる停電復旧コマンドを送信する。例えば、上述したステップＳ２０２にて、共通に用いられる１つの停電復旧コマンドを送信するようにすればよい。
【０４０６】
演出制御用マイクロコンピュータ１０１は、停電復旧コマンドを受信すると、可変表示装置９ａに停電復旧していることを示す停電復旧中画面（第１復旧中画面）を表示するとともに（図４８（Ｃ））、可変表示装置９ｂに停電復旧していることを示す停電復旧中画面（第２復旧中画面）を表示する（図４８（Ｄ））。また、第１飾り復旧フラグをセットし（ステップＳ６２２，Ｓ６２３参照）、第２飾り復旧フラグをセットする（ステップＳ６２４，Ｓ６２５参照）。
【０４０７】
次いで、遊技制御用マイクロコンピュータ６０は、電源断時に第１特別図柄の変動中であったことを確認し（ステップＳ２０３参照）、電源断時に実行されていた可変表示を開始する際に送信した表示結果指定コマンドを再度送信するとともに（ステップＳ２０４参照）、第１変動中復旧フラグをセットする（ステップＳ２０５参照）。演出制御用マイクロコンピュータ１０１は、第１表示結果指定コマンドを受信すると、第１表示結果指定コマンドが示す第１飾り図柄の表示結果（第１特別図柄の表示結果と同じ）をセーブする（ステップＳ６１８，Ｓ６１９参照）。
【０４０８】
また、遊技制御用マイクロコンピュータ６０は、電源断時に第２特別図柄が変動中でなかったことを確認し（ステップＳ２０７参照）、遊技状態復旧処理（図３０）を終えたあとの第２特別図柄通常処理において、第２デモンストレーション表示コマンドを送信する（ステップＳ７４に対応する第２特別図柄に関する処理を実行する部分）。第２デモンストレーション表示コマンドを送信する（ステップＳ２１０参照）。
【０４０９】
演出制御用マイクロコンピュータ１０１は、第２デモンストレーション表示コマンドを受信すると（ステップＳ６３３参照）、第２飾り復旧フラグがセットされているため、可変表示装置９ｂに第２初期出目を表示するとともに（ステップＳ６３６参照）（図４８（Ｆ））、第２初期出目表示計測タイマをスタートする（ステップＳ６３７参照）。ここでは、第２初期出目は、「１，２，３」であるものとする。そして、演出制御用マイクロコンピュータ１０１は、第２始動入賞が発生することなく所定期間（例えばｔ秒）が経過して第２初期出目表示計測タイマがタイムアウトすると、第２デモンストレーション画面を可変表示装置９ｂに表示する（図４８（Ｈ））。すなわち、可変表示装置９ｂに、第２初期出目が所定期間（例えばｔ秒）表示されたあと、第２デモンストレーション画面が表示される。
【０４１０】
また、遊技制御用マイクロコンピュータ６０は、遊技状態復旧処理を終えて遊技制御処理を開始したあと、復旧した第１特別図柄の変動時間が終了したときに、第１変動中復旧フラグがセットされているため（ステップＳ１３６参照）、第１デモンストレーション表示コマンドを送信するとともに（ステップＳ１３７参照）、第１特別図柄の停止図柄を表示する（ステップＳ１３８参照）。
【０４１１】
演出制御用マイクロコンピュータ１０１は、第１デモンストレーション表示コマンドを受信すると（ステップＳ６２６参照）、第１飾り復旧フラグがセットされているため、可変表示装置９ａに第１初期出目を表示するとともに（ステップＳ６２９参照）（図４８（Ｉ））、第１初期出目表示計測タイマをスタートする（ステップＳ６３０参照）。ここでは、第１初期出目は、第２初期出目と同じ「１，２，３」であるものとする。なお、第１初期出目は、第２初期出目と異なる図柄であってもよい。そして、演出制御用マイクロコンピュータ１０１は、第１始動入賞が発生することなく所定期間（例えばｔ秒）が経過して第１初期出目表示計測タイマがタイムアウトすると（ステップＳ８１６参照）、第１デモンストレーション画面を可変表示装置９ａに表示する（図４８（Ｊ））。すなわち、可変表示装置９ａに、第１初期出目が所定期間（例えばｔ秒）表示されたあと、第１デモンストレーション画面が表示される。
【０４１２】
上記のように、複数の可変表示装置９ａ，９ｂに共通の停電復旧コマンドを送信する構成とすれば、複数の可変表示装置を備えた遊技機において、電力供給が復旧したときに遊技制御手段から表示制御手段に送信されるコマンドの種類を、コマンドを極力共通化することによって減らすことができ、遊技制御手段の制御負担を軽減させることができる。すなわち、第１停電復旧コマンドと第２停電復旧コマンドとを別個に送信することなく、機能を共通化した停電復旧コマンドを１つ送信するだけでよくすることができ、遊技制御手段の制御負担を軽減させることができる。
【０４１３】
また、上述した実施の形態では、遊技状態復旧処理にて、電源断時に可変表示中であった可変表示装置（例えば可変表示装置９ａ）に対しても、電源断時に可変表示中でなかった可変表示装置（例えば可変表示装置９ｂ）に対しても、それぞれ別個に停電復旧コマンドを送信するようにしていたが、電源断時に可変表示中であった可変表示装置（例えば可変表示装置９ａ）に対してのみ停電復旧コマンドを送信するようにしてもよい。
【０４１４】
図５０は、電源断時に可変表示中であった可変表示装置に対してのみ停電復旧コマンドを送信するようにした場合における電力供給が復旧したときの可変表示装置９ａ，９ｂ等の表示状態の例を示すタイミング図である。図５１は、電源断時に可変表示中であった可変表示装置に対してのみ停電復旧コマンドを送信するようにした場合における電力供給が復旧したときの可変表示装置９ａ，９ｂ等の表示状態の例を示す説明図である。
【０４１５】
この例では、始動入賞Ａにもとづく表示結果がはずれとなる特図変動Ａおよび飾り変動Ａの実行中であり、第２特別図柄および第２飾り図柄の可変表示は実行されていないときに電源断状態となり、その後に電力供給が復旧したときを例に説明する。なお、この例では、電源断が発生したときは保留記憶がないものとする。
【０４１６】
図４７に示した例と同様に、この例では、特別図柄表示器８ａにて特図変動Ａの実行中であり、可変表示装置９ａにて飾り変動Ａの実行中であり（図５１（Ａ））、特別図柄表示器８ｂおよび可変表示装置９ｂでは変動表示が実行されていないとき（図５１（Ｂ）：変動表示されていない場合の例として、前回の可変表示の表示結果として「３，９，０」が表示されている状態が示されている。）に、電源断が発生して電力供給停止時処理（図２８、図２９参照）が実行され、その後に遊技機への電力供給が復旧して遊技状態復旧処理（図３０参照）が実行されるものとする。
【０４１７】
電力供給が復旧すると、遊技制御用マイクロコンピュータ６０は、電源断時に第１特別図柄の変動中であったことを確認し（ステップＳ２０３参照）、第１停電復旧コマンドを送信する。なお、遊技制御用マイクロコンピュータ６０は、電源断時に第２特別図柄が変動中でなかったことを確認し（ステップＳ２０７参照）、第２停電復旧コマンドは送信しない。この場合、上述したステップＳ２０２の処理を実行することなく、ステップＳ２０３の判定結果に応じて第１停電復旧コマンドを送信するか否か決定し、ステップＳ２０７の判定結果に応じて第２停電復旧コマンドを送信するか否か決定するようにすればよい。
【０４１８】
演出制御用マイクロコンピュータ１０１は、第１停電復旧コマンドを受信すると、可変表示装置９ａに停電復旧していることを示す停電復旧中画面（第１復旧中画面）を表示するとともに（図５１（Ｃ））、第１飾り復旧フラグをセットする（ステップＳ６２２，Ｓ６２３参照）。
【０４１９】
次いで、遊技制御用マイクロコンピュータ６０は、電源断時に第１特別図柄の変動中であったことを確認したので（ステップＳ２０３参照）、電源断時に実行されていた可変表示を開始する際に送信した表示結果指定コマンドを再度送信するとともに（ステップＳ２０４参照）、第１変動中復旧フラグをセットする（ステップＳ２０５参照）。演出制御用マイクロコンピュータ１０１は、第１表示結果指定コマンドを受信すると、第１表示結果指定コマンドが示す第１飾り図柄の表示結果（第１特別図柄の表示結果と同じ）をセーブする（ステップＳ６１８，Ｓ６１９参照）。
【０４２０】
また、遊技制御用マイクロコンピュータ６０は、電源断時に第２特別図柄が変動中でなかったことを確認し（ステップＳ２０７参照）、遊技状態復旧処理（図３０）を終えたあとの第２特別図柄通常処理において、第２デモンストレーション表示コマンドを送信する（ステップＳ７４に対応する第２特別図柄に関する処理を実行する部分）。
【０４２１】
演出制御用マイクロコンピュータ１０１は、電力供給が開始されてかた所定期間内に第２デモンストレーション表示コマンドを受信すると（ステップＳ６３３参照）、第２飾り復旧フラグがセットされていなくても、可変表示装置９ｂに第２初期出目を表示するとともに（ステップＳ６３６参照）（図５１（Ｄ））、第２初期出目表示計測タイマをスタートする（ステップＳ６３７参照）。ここでは、第２初期出目は、「１，２，３」であるものとする。そして、演出制御用マイクロコンピュータ１０１は、第２始動入賞が発生することなく所定期間（例えばｔ秒）が経過して第２初期出目表示計測タイマがタイムアウトすると、第２デモンストレーション画面を可変表示装置９ｂに表示する（図５１（Ｆ））。すなわち、電力供給が開始されてかた所定期間内に第２デモンストレーション表示コマンドを受信したときは、第２飾り復旧フラグがセットされていなくても、可変表示装置９ｂに第２初期出目を所定期間（例えばｔ秒）表示したあと、第２デモンストレーション画面を表示する。
【０４２２】
また、遊技制御用マイクロコンピュータ６０は、遊技状態復旧処理を終えて遊技制御処理を開始したあと、復旧した第１特別図柄の変動時間が終了したときに、第１変動中復旧フラグがセットされているため（ステップＳ１３６参照）、第１デモンストレーション表示コマンドを送信するとともに（ステップＳ１３７参照）、第１特別図柄の停止図柄を表示する（ステップＳ１３８参照）。
【０４２３】
演出制御用マイクロコンピュータ１０１は、第１デモンストレーション表示コマンドを受信すると（ステップＳ６２６参照）、第１飾り復旧フラグがセットされているため、可変表示装置９ａに第１初期出目を表示するとともに（ステップＳ６２９参照）（図５１（Ｇ））、第１初期出目表示計測タイマをスタートする（ステップＳ６３０参照）。ここでは、第１初期出目は、第２初期出目と同じ「１，２，３」であるものとする。なお、第１初期出目は、第２初期出目と異なる図柄であってもよい。そして、演出制御用マイクロコンピュータ１０１は、第１始動入賞が発生することなく所定期間（例えばｔ秒）が経過して第１初期出目表示計測タイマがタイムアウトすると（ステップＳ８１６参照）、第１デモンストレーション画面を可変表示装置９ａに表示する（図５１（Ｈ））。すなわち、可変表示装置９ａに、第１初期出目が所定期間（例えばｔ秒）表示されたあと、第１デモンストレーション画面が表示される。
【０４２４】
上記のように、電源断時に可変表示中であった可変表示装置に対してのみ停電復旧コマンドを送信するようにすれば、複数の可変表示装置を備えた遊技機において、電力供給が復旧したときに遊技制御手段から表示制御手段に送信されるコマンドの種類を、必要なコマンドに絞ることによって減らすことができ、遊技制御手段の制御負担を軽減させることができる。すなわち、第１停電復旧コマンドと第２停電復旧コマンドとを常に送信することなく、電源断時に可変表示中であった可変表示装置に対してのみに絞って停電復旧コマンドを送信することで、電力供給が復旧したときに遊技制御手段から表示制御手段に送信されるコマンドの種類を減らすことができ、遊技制御手段の制御負担を軽減させることができる。
【０４２５】
また、上述した実施の形態では、特別図柄の一方で表示結果が大当り表示結果となるときに、一方の特別図柄と飾り図柄が変動している期間中に、他方の特別図柄と飾り図柄で予告演出を実行する構成としていたが、他方の特別図柄や飾り図柄でミッション演出（特殊演出）を行うようにしてもよい。
【０４２６】
図５２は、他方で特殊演出を行う構成とした場合における複数の特別図柄と複数の飾り図柄の変動状態の具体例を示すタイミング図である。図５３は、他方で特殊演出を行う構成とした場合において可変表示装置９ｂに表示されるミッション演出の表示状態の例を示す説明図である。
【０４２７】
この例では、図５２に示すように、第１特別図柄および第２特別図柄の保留記憶がないときに、始動入賞口１３ａへの始動入賞（始動入賞Ａ）が発生し、さらに始動入賞口１３ｂに３回の始動入賞（始動入賞ａ〜ｃ）が発生したものとする。
【０４２８】
また、この例では、始動入賞Ａにもとづく特別図柄の変動表示の表示結果が大当り表示結果となり、その他の始動入賞にもとづく特別図柄の変動表示の表示結果ははずれとなるものとする。
【０４２９】
先ず、始動入賞Ａが発生すると、遊技制御用マイクロコンピュータ６０は、始動入賞Ａにもとづく変動表示を開始できる状態となると、事前判定において始動入賞Ａにもとづく表示結果が大当りであると判定したことにもとづいて、ステップＳ９０にて長期間変動の変動パターンを含む複数種類の変動パターンから実行する変動パターンを決定する。ここでは、長期間変動の変動パターンとすることに決定されたものとする。
【０４３０】
長期間変動の変動パターンは、例えば、遊技において実行される変動表示の通常の変動期間よりも長期間の変動期間とされている変動パターンを意味する。この例では、所定の基準長期間（例えば１分）以上の変動期間（例えば９０秒、１００秒、２分など）とされている変動パターンを長期間変動の変動パターンと呼び、長期間変動の変動パターンによる変動表示を長期間変動と呼ぶ。
【０４３１】
ステップＳ９０では、例えば、大当り遊技中でなく、未だ表示結果が導出されていない表示結果が大当りとなる他の特図変動（特図変動Ａ以外の変動）が存在せず、かつ、他方の特別図柄（第２特別図柄）の保留記憶が所定数（例えば、２個、３個）以上存在している場合に、長期間変動の変動パターンを含む複数種類の変動パターンから実行する変動パターンが決定される。
【０４３２】
上記のような事前判定の結果にもとづいて、遊技制御用マイクロコンピュータ６０は、始動入賞Ａにもとづく表示結果が大当りであり長期間変動の変動パターンを示す第１変動パターンコマンドを送信する。また、遊技制御用マイクロコンピュータ６０は、始動入賞Ａに応じた第１特別図柄の長期間変動の変動表示（特図変動Ａ）を開始する。
【０４３３】
演出制御用マイクロコンピュータ１０１は、始動入賞Ａにもとづく第１変動パターンコマンドを受信すると、受信した第１変動パターンコマンドにもとづいて、表示結果が大当りとなる長期間変動の第１飾り図柄の変動パターンを決定し（ステップＳ８２２参照）、決定した変動パターンに従って第１飾り図柄の長期間変動の変動表示（飾り変動Ａ）を実行する。
【０４３４】
始動入賞ａが発生すると、遊技制御用マイクロコンピュータ６０は、始動入賞ａにもとづく変動表示を開始できる状態となったときに、事前判定を行う。この例では、遊技制御用マイクロコンピュータ６０は、第１特別図柄による長期間変動の変動表示（飾り変動Ａ）の実行中であるときは、ステップＳ９０に相当する処理にて、変動期間が短期間の短期間変動であり、かつ、ミッション演出（特殊演出）を実行するための変動パターンとすることに決定する。この例では、「特殊１」〜「特殊３」の３回の可変表示によってミッション演出を実行することに決定され、ここでは、そのうち初回の可変表示で実行される「特殊１」の演出態様でミッション演出を実行するための変動パターンに決定されたものとする。なお、「ミッション演出」とは、ミッションとして特定の期間内に特定の演出態様を出現させることを遊技者に対して提示（ミッション報知）し、提示した特定の期間内に特定の演出態様が出現したときに、ミッション達成として大当り遊技状態に移行する制御を可能とする演出を意味する。
【０４３５】
短期間変動の変動パターンは、例えば、遊技において実行される変動表示の通常の変動期間よりも短期間の変動期間とされている変動パターンを意味する。この例では、所定の基準短期間（例えば２０秒）以下の変動期間（例えば５秒、１０秒）とされている変動パターンを短期間変動の変動パターンと呼び、短期間変動の変動パターンによる変動表示を短期間変動と呼ぶ。
【０４３６】
上記のステップＳ９０に相当する処理では、例えば、大当り遊技中でないこと、第１特別図柄にて長期間変動の変動表示が実行されていることなどの条件にもとづき、短期間変動でミッション演出を行うための変動パターンが実行する変動パターンに決定される。
【０４３７】
上記の事前判定の結果にもとづいて、遊技制御用マイクロコンピュータ６０は、事前判定の結果にもとづいて、始動入賞ａにもとづく表示結果がはずれであり、短期間変動であり、かつ「特殊１」のミッション演出を含む変動パターンを示す第２変動パターンコマンドを送信する。また、遊技制御用マイクロコンピュータ６０は、始動入賞ａに応じた第２特別図柄の変動表示（特図変動ａ）を開始する。
【０４３８】
演出制御用マイクロコンピュータ１０１は、始動入賞ａにもとづく第２変動パターンコマンドを受信すると、受信した第２変動パターンコマンドにもとづいて、表示結果がはずれとなり、かつ「特殊１」のミッション演出を行うための第２飾り図柄の変動パターンを決定し、決定した変動パターンに従って第２飾り図柄の変動表示（飾り変動ａ）を実行する。
【０４３９】
この例では、第２飾り図柄の可変表示（１回目：特殊１）を開始したあと（図５３（Ａ））、左中右図柄が高速変動している間に、可変表示装置９ｂの表示画面上にミッション報知用のキャラクタを登場させ、ミッション報知を行う（図５３（Ｂ））。ここでは、ミッション報知用のキャラクタの吹き出し表示として「３回転以内にノーマルリーチをかけなさい」というミッションを表示するとともに、スピーカ２７から「３回転以内にノーマルリーチをかけなさい」という音声を出力することによって、ミッション報知を行う。すなわち、ミッションとして提示される特定の期間が「３回転以内」であり、特定の演出態様が「ノーマルリーチ」ということになる。
【０４４０】
その後、遊技制御用マイクロコンピュータ６０は、特図変動ａの終了タイミングが到来すると、演出制御基板８０に対して、第２飾り図柄停止コマンドを送信するとともに、特図変動ａを終了する。一方、演出制御用マイクロコンピュータ１０１は、その図柄停止コマンドを受信すると、ノーマルリーチを出現させることなく、飾り変動ａを終了する（図５３（Ｃ））。
【０４４１】
特図変動ａを終了すると、遊技制御用マイクロコンピュータ６０は、始動入賞ｂの発生にもとづく事前判定の結果にもとづいて、始動入賞ｂにもとづく表示結果がはずれとなり、かつ、「特殊２」のミッション演出を含む変動パターンを示す第２変動パターンコマンドを送信するとともに、特図変動ｂを開始する。そして、特図変動ｂの終了タイミングが到来すると、演出制御基板８０に対して、第２飾り図柄停止コマンドを送信するとともに、特図変動ｂを終了する。
【０４４２】
演出制御用マイクロコンピュータ１０１は、始動入賞ｂにもとづく第２変動パターンコマンドを受信すると、受信した第２変動パターンコマンドにもとづいて、表示結果がはずれとなり、かつ「特殊２」のミッション演出を行うための第２飾り図柄の変動パターンを決定し、決定した変動パターンに従って第２飾り図柄の変動表示（飾り変動ｂ）を実行する。
【０４４３】
この例では、第２飾り図柄の可変表示（２回目：特殊２）を開始したあと（図５３（Ｄ））、可変表示装置９ｂの表示画面にて可変表示を実行する。この可変表示では、ミッションが達成されてしまわないように、ノーマルリーチは出現されない（図５３（Ｅ））。
【０４４４】
その後、演出制御用マイクロコンピュータ１０１は、第２飾り図柄停止コマンドを受信すると、飾り変動ｂを終了する（図５３（Ｆ））。
【０４４５】
特図変動ｂを終了すると、遊技制御用マイクロコンピュータ６０は、始動入賞ｃの発生にもとづく事前判定の結果にもとづいて、始動入賞ｃにもとづく表示結果がはずれとなり、かつ、「特殊３」のミッション演出を含む変動パターンを示す第２変動パターンコマンドを送信するとともに、特図変動ｃを開始する。そして、特図変動ｃの終了タイミングが到来すると、演出制御基板８０に対して、第２飾り図柄停止コマンドを送信するとともに、特図変動ｃを終了する。
【０４４６】
演出制御用マイクロコンピュータ１０１は、始動入賞ｃにもとづく第２変動パターンコマンドを受信すると、受信した第２変動パターンコマンドにもとづいて、表示結果がはずれとなり、かつ「特殊３」のミッション演出を行うための第２飾り図柄の変動パターンを決定し、決定した変動パターンに従って第２飾り図柄の変動表示（飾り変動ｃ）を実行する。
【０４４７】
この例では、第２飾り図柄の可変表示（３回目：特殊３）を開始したあと、左右図柄が同一図柄となるリーチ表示を行ってノーマルリーチ演出を開始したときに、ミッション達成報知を行う（図５３（Ｇ））。その後、演出制御用ＣＰＵ１０１は、第２飾り図柄停止コマンドを受信すると、はずれ図柄で停止表示して飾り変動ｃを終了する（図５３（Ｈ））。
【０４４８】
なお、この例では、特図変動ａ〜特図変動ｃが実行されている期間中は、長期間変動の特図変動Ａは未だ継続しているものとする。
【０４４９】
そして、遊技制御用マイクロコンピュータ６０は、特図変動ｃを停止表示したあと、特図変動Ａの終了タイミングが到来すると、演出制御基板８０に対して、第１飾り図柄停止コマンドを送信するとともに、大当り表示結果で停止表示して特図変動Ａを終了する。また、演出制御用マイクロコンピュータ１０１は、飾り変動ｃを停止表示したあと、第１飾り図柄停止コマンドを受信すると、大当り表示結果で停止表示して飾り変動Ａを終了する。
【０４５０】
その後、特別図柄表示器８ｂにて大当り遊技演出を開始するとともに、可変表示装置９ｂにて大当り遊技演出を開始する。また、特別図柄の変動表示をＬＣＤで行う構成とし、上述したミッション演出を特別図柄の変動表示にて行うようにしてもよい。
【０４５１】
上記のようにミッション演出を行う構成したことで、遊技者が特定の実行パターンの可変表示が実行されるように遊技を行うように促すことができ、遊技機の稼働率を向上させることができるようになる。
【０４５２】
上記の例では、可変表示装置９ｂでミッション演出を実行する構成としていたが、特別図柄表示器８ｂでミッション演出を実行するようにしてもよい。例えば、ミッション報知はスピーカ２７からの音声出力のみで行い、「３回転以内に第２特別図柄を高速で点滅表示しなさい」というミッションを提示することとし、特別図柄表示器８ｂで第２特別図柄を高速で点滅表示したことによってミッション達成となるようにすればよい。また、ミッション演出に、ミッション達成となったときであっても大当りを発生させない演出を含むようにしてもよい。なお、上記の例では、ミッション演出を実行するか否かを遊技制御手段が決定する構成としていたが、演出制御手段によって決定する構成としてもよい。
【０４５３】
また、上述した実施の形態では、複数の特別図柄表示器８ａ，８ｂを遊技制御手段が制御するとともに、複数の可変表示装置９ａ，９ｂを演出制御手段が制御する構成とし、遊技制御手段が、大当りか否かなどの事前判定の判定結果を示す変動パターンコマンドおよび表示結果指定コマンドを演出制御手段に送信するとともに、演出制御手段が、受信した変動パターンコマンドおよび表示結果指定コマンドにもとづいて飾り図柄の変動パターンを決定し、決定した変動パターンに従って飾り図柄を順次変動表示させる構成としたので、遊技制御手段の制御負担を増大させることなく、特別図柄および飾り図柄それぞれについて複数の表示装置を用いた可変表示を行うことができ、多くのバリエーションの演出を行うことができるという効果を奏する。
【０４５４】
具体的には、遊技制御手段は、飾り図柄の変動パターンのすべてを決定する必要がなく、また、飾り図柄の停止タイミングなどの変動状態にもすべて関与する必要がない。このため、飾り図柄の変動表示に関わる遊技制御手段の制御負担が軽減されるのである。
【０４５５】
また、具体的には、遊技制御手段が、飾り図柄の変動パターンのすべてを決定しないので、飾り図柄の変動パターンの決定に用いる各種のデータ（テーブル、プログラムなど）を主基板３１が備える記憶媒体に保存しておく必要がなくなる。パチンコ遊技機では、不正防止の観点より、大当りの決定を行うマイクロコンピュータでは、プログラムの書き換えを容易に判別可能とするために、記憶容量が制限されている。一方、演出制御基板８０では、そのような制限がない。このようなことから、演出制御手段で飾り図柄の変動パターンを決定し得る構成としているので、多くのバリエーションの演出を行うことができるのである。
【０４５６】
また、上述した実施の形態では、一方の特別図柄表示器（例えば特別図柄表示器８ａ）にて大当り表示結果が導出表示されたときに、他方の特別図柄表示器（例えば特別図柄表示器８ｂ）での特別図柄の可変表示を中断する構成としたので、複数の特別図柄表示器にて同時期に大当り表示結果が導出表示され、複数箇所で大当たりが発生してしまうことを防止することができる。
【０４５７】
なお、上述した実施の形態では、変動時間の計測を中断することで特別図柄および飾り図柄の可変表示を中断し、再開後に残りの時間分の可変表示を実行することで実現しているため、中断の期間中は、特別図柄の可変表示が継続するとともに、飾り図柄の演出表示も継続する。具体的には、例えば特別図柄や飾り図柄の高速変動表示が継続して実行されたりすることになる。ただし、上述したように、中断の期間中に、はずれ図柄などを停止表示しておくようにしてもよい。
【０４５８】
また、上述した実施の形態では、特別図柄始動記憶表示器１８を主基板３１が制御する構成としていたが、特別図柄始動記憶表示器１８を演出制御基板８０が制御する構成としてもよい。この場合、上述したステップＳ２０４にて、第１始動入賞カウンタが示す第１始動入賞記憶数を指定する第１始動入賞記憶数指定コマンドをも送信するようにすればよい。電力供給が再開されたときに、この第１始動入賞記憶数指定コマンドを受信すると、演出制御用マイクロコンピュータ１０１は、第１始動入賞記憶数指定コマンドが示す始動入賞記憶数を特別図柄始動記憶表示器１８に表示する。同様に、上述したステップＳ２０８にて、第２始動入賞カウンタが示す第２始動入賞記憶数を指定する第２始動入賞記憶数指定コマンドをも送信するようにすればよい。電力供給が再開されたときに、この第２始動入賞記憶数指定コマンドを受信すると、演出制御用マイクロコンピュータ１０１は、第２始動入賞記憶数指定コマンドが示す始動入賞記憶数を特別図柄始動記憶表示器１８に表示する。このように構成すれば、停電復旧表示がなされているときに保留記憶数も表示することができ、保留記憶が失われていないとの安心感を遊技者に与えるようにすることができる。なお、特別図柄始動記憶表示器１８を主基板３１が制御する場合にも、電力供給が再開されたときに、始動入賞記憶数を表示するようにしてもよい。また、特別図柄始動記憶表示器１８は主基板３１が制御し、演出制御用マイクロコンピュータ１０１が、第１始動入賞記憶数指定コマンドの受信に応じて可変表示装置９ａに第１特別図柄における始動入賞記憶数を表示し、第２始動入賞記憶数指定コマンドの受信に応じて第２特別図柄における始動入賞記憶数を可変表示装置９ｂに始動入賞記憶数を表示するようにしてもよい。このようにして可変表示装置に始動入賞記憶数を表示する場合に、可変表示装置９ａと可変表示装置９ｂにそれぞれ表示するのではなく、可変表示装置９ａと可変表示装置９ｂのいずれか一方に第１特別図柄における始動入賞記憶数と第２特別図柄における始動入賞記憶数とをともに表示するようにしてもよい。
【０４５９】
また、上述した各実施の形態では、大当り判定用乱数の抽出処理が実行される第１特別図柄プロセス処理と第２特別図柄プロセス処理との間で、大当り判定用乱数の更新処理を実行する構成としたので、１回のタイマ割込処理において第１特別図柄プロセス処理と第２特別図柄プロセス処理との双方で大当り判定用乱数の抽出処理が実行された場合であっても、その抽出値が同期してしまうことを防止することができる。すなわち、上述した実施の形態のように、第１特別図柄プロセス処理と第２特別図柄プロセス処理とで、一つの大当り判定用乱数発生用の乱数カウンタを共通に利用する構成としても、同期してしまうことを防止することができ、遊技の公平性を担保することができる。
【０４６０】
なお、上述した各実施の形態では、大当り判定用乱数の抽出処理が実行される第１特別図柄プロセス処理と第２特別図柄プロセス処理との間で大当り判定用乱数の更新処理を実行する構成としていたが、第１特別図柄プロセス処理と第２特別図柄プロセス処理とを各回のタイマ割込処理で交互に行う構成としてもよい。すなわち、第１特別図柄プロセス処理のみを実行するタイマ割込処理と、第２特別図柄プロセス処理のみを実行するタイマ割込処理とを、タイマ割込が発生する毎に交互に行うように構成してもよい。上記のように構成すれば、１回のタイマ割込処理において第１特別図柄プロセス処理と第２特別図柄プロセス処理との双方で大当り判定用乱数の抽出処理が実行されることを防止することができ、第１特別図柄プロセス処理と第２特別図柄プロセス処理とで抽出値が同期してしまうことを防止することができる。よって、第１特別図柄プロセス処理と第２特別図柄プロセス処理とで、一つの大当り判定用乱数発生用の乱数カウンタを共通に利用する構成としても、同期してしまうことを防止することができ、遊技の公平性を担保することができる。
【０４６１】
また、上記の各実施の形態では、第１特別図柄および第２特別図柄に対応する始動入賞記憶数をそれぞれ最大４個であるとしていたが、３個以下あるいは５個以上とされていてもよい。さらに、あらかじめ定められた所定条件の成立によって、始動入賞記憶数の上限が変化するように構成されていてもよい。具体的には、例えば、通常時は最大４個であるが、大当りが発生した場合には、大当り遊技状態が終了するまで、最大１５個となるようにすることが考えられる。
【０４６２】
また、上述した各実施の形態では、演出制御用マイクロコンピュータ１０１の制御によって可変表示装置９ａ，９ｂにて各種の報知を行うようにしていたが、可変表示装置９ａ，９ｂによって報知されていた各種の情報を、遊技制御用マイクロコンピュータ６０が制御する表示装置によって報知する構成としてもよい。この場合、可変表示装置９ａ，９ｂを遊技制御用マイクロコンピュータ６０が制御することで上記の報知を行うようにしてもよく、可変表示装置９ａ，９ｂとは別個の表示装置（例えばＬＣＤ）を遊技制御用マイクロコンピュータ６０が制御することで上記の報知を行うようにしてもよい。
【０４６３】
また、上述した各実施の形態では、特別図柄表示器８ａ，８ｂが７セグメント表示器によって構成され、特別図柄始動記憶表示器１８と普通図柄始動記憶表示器４１とがＬＥＤによって構成され、普通図柄表示器１０がランプによって構成され、可変表示装置９ａ，９ｂがＬＣＤによって構成されることとしていたが、各表示装置には、それぞれ、７セグメント表示器、ＬＥＤ、ランプ、ドットマトリクスなどの各種の表示装置を適用することができる。
【０４６４】
なお、上述した各実施の形態では、飾り図柄を２つの可変表示装置９ａ，９ｂによって表示する構成としていたが、それぞれが飾り図柄の可変表示を行う２つの表示エリアを有する１つの可変表示装置によって表示する構成としてもよい。
【０４６５】
また、上記の各実施の形態のパチンコ遊技機は、主として、始動入賞にもとづいて可変表示部９ａ，９ｂに可変表示される特別図柄の停止図柄が所定の図柄の組み合わせになると所定の遊技価値が遊技者に付与可能になるパチンコ遊技機であったが、始動入賞にもとづいて可変表示される図柄の停止図柄が所定の図柄の組み合わせになると開放する所定の電動役物への入賞があると所定の権利が発生または継続するパチンコ遊技機であっても、本発明を適用できる。
【産業上の利用可能性】
【０４６６】
本発明は、パチンコ遊技機などの遊技に適用可能であり、特に、複数の表示装置を備えた遊技機において、電力供給再開時のコマンド送受に関わる制御負担を軽減し、一方の特別図柄表示器にて特定表示結果が導出表示されることが、他方の特別図柄表示器の表示態様によって予測可能となってしまうことを防止し、遊技の興趣を向上させるために有用である。
【図面の簡単な説明】
【０４６７】
【図１】パチンコ遊技機を正面からみた正面図である。
【図２】遊技機を裏面から見た背面図である。
【図３】遊技制御基板（主基板）の回路構成例を示すブロック図である。
【図４】演出制御基板、枠側ランプドライバ基板および音声制御基板の回路構成例を示すブロック図である。
【図５】特別図柄表示器などの表示装置の例を示すブロック図である。
【図６】主基板におけるＣＰＵが実行するメイン処理を示すフローチャートである。
【図７】２ｍｓタイマ割込処理を示すフローチャートである。
【図８】各乱数を示す説明図である。
【図９】特別図柄の停止図柄と遊技状態との関係を示す説明図である。
【図１０】第１特別図柄プロセス処理を示すフローチャートである。
【図１１】変動パターンの一例を示す説明図である。
【図１２】第１始動口スイッチ通過処理を示すフローチャートである。
【図１３】第１特別図柄通常処理を示すフローチャートである。
【図１４】第１特別図柄停止図柄設定処理を示すフローチャートである。
【図１５】変動時間設定処理を示すフローチャートである。
【図１６】第１特別図柄変動処理を示すフローチャートである。
【図１７】第１特別図柄停止処理を示すフローチャートである。
【図１８】大当り終了処理を示すフローチャートである。
【図１９】普通図柄プロセス処理を示すフローチャートである。
【図２０】表示制御処理を示すフローチャートである。
【図２１】記憶処理を示すフローチャートである。
【図２２】第１特別図柄表示制御処理を示すフローチャートである。
【図２３】普通図柄表示制御処理を示すフローチャートである。
【図２４】演出制御コマンドの信号線を示す説明図である。
【図２５】制御コマンドを構成する８ビットの制御信号とＩＮＴ信号との関係を示すタイミング図である。
【図２６】演出制御コマンドの内容の一例を示す説明図である。
【図２７】電源基板の構成例を示すブロック図である。
【図２８】電源断処理を示すフローチャートである。
【図２９】電源断処理を示すフローチャートである。
【図３０】遊技状態復旧処理を示すフローチャートである。
【図３１】演出制御用ＣＰＵが実行するメイン処理を示すフローチャートである。
【図３２】コマンド受信バッファの構成を示す説明図である。
【図３３】コマンド解析処理を示すフローチャートである。
【図３４】コマンド解析処理を示すフローチャートである。
【図３５】第１演出制御プロセス処理を示すフローチャートである。
【図３６】プロセスデータの一構成例を示す説明図である。
【図３７】第１飾り図柄通常処理を示すフローチャートである。
【図３８】第１飾り図柄変動パターン決定処理を示すフローチャートである。
【図３９】第１飾り図柄変動開始処理を示すフローチャートである。
【図４０】第１飾り図柄変動中処理を示すフローチャートである。
【図４１】第１飾り図柄停止処理を示すフローチャートである。
【図４２】特別図柄と飾り図柄の可変表示タイミングの具体例を示す説明図である。
【図４３】複数の特別図柄と複数の飾り図柄の可変表示タイミングの例を示す説明図である。
【図４４】連続予告演出の表示状態の例を示す説明図である。
【図４５】連続予告演出の表示状態の例を示す説明図である。
【図４６】複数の特別図柄と複数の飾り図柄の可変表示タイミングの例を示す説明図である。
【図４７】電力供給が復旧したときの可変表示装置等の表示状態の例を示すタイミング図である。
【図４８】電力供給が復旧したときの可変表示装置等の表示状態の例を示す説明図である。
【図４９】電力供給が復旧したときの可変表示装置等の表示状態の他の例を示すタイミング図である。
【図５０】電力供給が復旧したときの可変表示装置等の表示状態のさらに他の例を示すタイミング図である。
【図５１】電力供給が復旧したときの可変表示装置等の表示状態のさらに他の例を示す説明図である。
【図５２】複数の特別図柄と複数の飾り図柄の可変表示タイミングの他の具体例を示す説明図である。
【図５３】ミッション演出の表示状態の例を示す説明図である。
【符号の説明】
【０４６８】
１          パチンコ遊技機
８ａ，８ｂ  特別図柄表示器
９ａ，９ｂ  可変表示装置
３１        遊技制御基板（主基板）
５６        ＣＰＵ
６０        遊技制御用マイクロコンピュータ
８０        演出制御基板
１０１      演出制御用マイクロコンピュータ
【図１】
2006280545.tif 000003
【図２】
2006280545.tif 000004
【図３】
2006280545.tif 000005
【図４】
2006280545.tif 000006
【図５】
2006280545.tif 000007
【図６】
2006280545.tif 000008
【図７】
2006280545.tif 000009
【図８】
2006280545.tif 000010
【図９】
2006280545.tif 000011
【図１０】
2006280545.tif 000012
【図１１】
2006280545.tif 000013
【図１２】
2006280545.tif 000014
【図１３】
2006280545.tif 000015
【図１４】
2006280545.tif 000016
【図１５】
2006280545.tif 000017
【図１６】
2006280545.tif 000018
【図１７】
2006280545.tif 000019
【図１８】
2006280545.tif 000020
【図１９】
2006280545.tif 000021
【図２０】
2006280545.tif 000022
【図２１】
2006280545.tif 000023
【図２２】
2006280545.tif 000024
【図２３】
2006280545.tif 000025
【図２４】
2006280545.tif 000026
【図２５】
2006280545.tif 000027
【図２６】
2006280545.tif 000028
【図２７】
2006280545.tif 000029
【図２８】
2006280545.tif 000030
【図２９】
2006280545.tif 000031
【図３０】
2006280545.tif 000032
【図３１】
2006280545.tif 000033
【図３２】
2006280545.tif 000034
【図３３】
2006280545.tif 000035
【図３４】
2006280545.tif 000036
【図３５】
2006280545.tif 000037
【図３６】
2006280545.tif 000038
【図３７】
2006280545.tif 000039
【図３８】
2006280545.tif 000040
【図３９】
2006280545.tif 000041
【図４０】
2006280545.tif 000042
【図４１】
2006280545.tif 000043
【図４２】
2006280545.tif 000044
【図４３】
2006280545.tif 000045
【図４４】
2006280545.tif 000046
【図４５】
2006280545.tif 000047
【図４６】
2006280545.tif 000048
【図４７】
2006280545.tif 000049
【図４８】
2006280545.tif 000050
【図４９】
2006280545.tif 000051
【図５０】
2006280545.tif 000052
【図５１】
2006280545.tif 000053
【図５２】
2006280545.tif 000054
【図５３】
2006280545.tif 000055